(57)【要約】実質的に固定のフッ素化連結基に同時に結合しているカチオン［Ｃｔ］＋及びアニオンを含有する両性イオン組成物について記載する。これらの両性イオン組成物は助触媒として働く。これらはオレフィン重合触媒を活性化し、脂肪族溶媒中で溶解することができる。合成及び重合について示す。【特許請求の範囲】
【請求項１】
金属を含有する触媒前駆体、及び以下を含有する助触媒化合物を含む触媒系：
（ａ）第１３族アニオン部分；
（ｂ）触媒前駆体を活性化できるカチオン部分；及び
（ｃ）２つの末端及び中間部分を含む間隔基であって、中間部分はフッ素化環成分を含み、一方の末端が第１３族アニオン部分に結合し、もう一方の末端がカチオン部分に結合している。
【請求項２】
第１３族アニオン部分が多数の同じまたは異なるフッ素化アリール配位子を有する１３族中心原子を含有する、請求項１に記載の触媒系。
【請求項３】
第１３族中心原子がホウ素である、請求項２に記載の触媒系。
【請求項４】
第１３族原子がアルミニウムである、請求項２に記載の触媒系。
【請求項５】
少なくとも１つのフッ素化アリール配位子のアリール部分がフェニル、ナフチル、ビフェニル、フルオレニルまたはアントラセニルである、請求項２に記載の触媒系。
【請求項６】
少なくとも１つのフッ素化アリール配位子のアリール部分がフェニル、ナフチルまたはビフェニルである、請求項５に記載の触媒系。
【請求項７】
少なくとも１つのフッ素化アリール配位子のアリール部分が実質的にフッ素化されている、請求項２に記載の触媒系。
【請求項８】
少なくとも１つのフッ素化アリール配位子のアリール部分が過フッ素化されている、請求項７に記載の触媒系。
【請求項９】
環部分が、フッ素化同素環または複素環、芳香族、複合または縮合環部分を含有する、請求項１に記載の触媒系。
【請求項１０】
環部分がフッ素化フェニル、ナフチルまたはビフェニルである、請求項９に記載の触媒系。
【請求項１１】
環部分が過フッ素化されている、請求項９に記載の触媒系。
【請求項１２】
カチオン部分が−ＰｎＲ２Ｈ＋であり、各Ｒが同じまたは異なる単純アルキルであり、ＰｎがＮ（窒素）、Ｐ（リン）またはＡｓ（ヒ素）である、請求項１に記載の触媒系。
【請求項１３】
カチオン部分が−ＰｎＲ２Ｈ＋であり、各Ｒが同じまたは異なる単純アルキルであり、及びＰｎがＮまたはＰである、請求項１２に記載の触媒系。
【請求項１４】
カチオン部分が−ＰｎＲ２Ｈ＋であり、各Ｒが同じまたは異なる単純アルキルであり、及びＰｎがＮである、請求項１３に記載の触媒系。
【請求項１５】
Ｒの末端部分が他のＲの末端部に結合して環を形成する、請求項１４に記載の触媒系。
【請求項１６】
カチオン部分がシリリウム、トリチル、カルベニウム、１２族金属、アニリニウム、アンモニウム、ホスホニウム及びアルソニウムカチオン及びアニリニウム、アンモニウム、ホスホニウム及びアルソニウムカチオン誘導体から選択され、該カチオン誘導体は１つ以上のカチオン水素原子に対してＣ１−Ｃ８ヒドロカルビル、ヒドロカルビルシリルまたはヒドロカルビル−アミン置換を含む、請求項１に記載の触媒系。
【請求項１７】
カチオン部分がアニリニウム及びアンモニウムカチオンから選択され、及びアニリニウム及びアンモニウムカチオン誘導体は１つ以上のカチオン水素原子上にＣ１−Ｃ８ヒドロカルビル、ヒドロカルビルシリルまたはヒドロカルビル−アミン置換を含む、請求項１６に記載の触媒系。
【請求項１８】
触媒前駆体がメタロセン触媒前駆体、ビスアミド触媒前駆体及びアミンビスアミド触媒前駆体またはピリジンビスアミド触媒前駆体から選択されるいずれかである、請求項１に記載の触媒系。
【請求項１９】
以下を含むオレフィン重合方法：
（ａ）　請求項１〜１８に記載の触媒系を供給する工程；
（ｂ）　触媒前駆体と助触媒を混合して活性化触媒及び非配位性アニオンを形成する工程；及び
（ｃ）　活性化触媒に重合可能オレフィンを供給する工程。
【請求項２０】
請求項１〜１８に記載の触媒系を用いて調製されるポリオレフィン。
【請求項２１】
請求項１〜１８に記載の触媒系を用いて調製したポリオレフィンを用いて製造される製品。
【請求項２２】
以下の工程を含む、請求項１〜１８に記載の助触媒化合物を調製する方法：
（ａ）　２級アミンまたはホスフィンとフルオロブロモアレンを混合する工程；
（ｂ）　工程（ａ）の物質を減らす工程；
続いて
（ｃ）　減量した物質に対してトリス（フルオロアリール）Ｔｒ（Ｔｒ＝ＢまたはＡｌ）を加える工程；及び
（ｄ）　該混合物に塩化水素ガスを加える工程。
【請求項２３】
Ｔｒがホウ素である、請求項２２に記載の方法。
【請求項２４】
２級アミンが複素環アミンである、請求項２２に記載の方法。
【請求項２５】
複素環アミンがピロリジンである、請求項２４に記載の方法。
【請求項２６】
フルオロブロモアレンがＣ６−Ｃ１２の芳香族化合物である、請求項２２に記載の方法。
【請求項２７】
フルオロブロモアレンのアリール部分がベンゼン、ナフタレンまたはビフェニルから選択されるいずれかである、請求項２２に記載の方法。
【請求項２８】
フルオロブロモアレンがペンタフルオロブロモベンゼンである、請求項２７に記載の方法。
【請求項２９】
フルオロブロモアレンが過フッ素化ブロモアレンである、請求項２２に記載の方法。
【請求項３０】
トリス（フルオロアリール）ボランのアリール基がフッ素−置換フェニル、ナフチル、またはビフェニル基から独立して選択されるいずれかである、請求項２３に記載の方法。
【請求項３１】
トリス（フルオロアリール）ボランのアリール基が過フッ素化物である、請求項３０に記載の方法。
【請求項３２】
トリス（フルオロアリール）ボランがトリス（ペンタフルオロフェニル）ボランである、請求項３１に記載の方法。
【請求項３３】
以下を含む、触媒系をプレ重合する方法：
（ａ）請求項１〜１８の触媒系を供給する工程；
（ｂ）触媒前駆体と助触媒を混合して、活性化触媒及び非配位性イオンを形成する工程；
（ｃ）制御された量のオレフィンモノマーを活性化触媒に供給する工程；及び
（ｄ）プレ重合触媒を回収する工程。
【請求項３４】
４−ＢｒＣ４Ｆ４−ＮＲ２を用いて調製される重合助触媒。
【請求項３５】
Ｔｒがホウ素である、請求項２２に記載の方法。
【発明の詳細な説明】
【０００１】
関連ケ−ス
本出願は、２０００年１１月６日及び２００１年３月９日にそれぞれ出願された、米国仮出願第６０／２４６，３０２号（代理人整理番号２０００Ｂ０６９）及び第６０／２７４，７８８号（代理人整理番号２０００Ｂ０６９−２）に基づく優先権を主張するものである。
【０００２】
発明の技術分野
本発明は、弱配位性第１３族元素アニオンを含む重合助触媒化合物及びこれらのアニオンによって安定化された有機遷移金属カチオン化合物に基づくイオン触媒系を用いたオレフィンポリマーの調製に関する。
【０００３】
発明の背景
“非配位性アニオン”（ＮＣＡ）の語は、今ではオレフィン及びビニル分子、配位、挿入及びカルボカチオン重合の分野における専門用語として受け入れられている。例えば、欧州特許第０　２７７　００３号、欧州特許第０　２７７　００４号、米国特許第５，１９８，４０１号、米国特許第５，２７８，１１９号及びＢａｉｒｄ，Ｍｉｃｈａｅｌら、Ｊ．Ａｍ．Ｃｈｅｍ．Ｓｏｃ．１９９４，１１６，６４３５−６４３６を参照されたい。非配位性アニオンは、電子安定化助触媒、または活性のための対イオン、カチオン性メタロセン重合触媒として機能することが記載されている。非配位性アニオンの語は、非配位性アニオンそのもの及び十分に活性で挿入部位にオレフィン系またはアセチレン系不飽和分子によって置換を受けることができる配位性アニオンの両方に用いられる。これらの非配位性アニオンは、重合媒体にイオン助触媒化合物として電荷平衡対カチオンを含んだブレンステッド酸塩として効果的に取り込まれることができ、または重合媒体に加える前に有機金属触媒と混合し得る。さらに、Ｓ．Ｈ．Ｓｔｒａｕｓｓによる”Ｔｈｅ　Ｓｅａｒｃｈ　ｆｏｒ　Ｌａｒｇｅｒ　ａｎｄ　Ｍｏｒｅ　Ｗｅａｋｌｙ　Ｃｏｏｒｄｉｎａｔｉｎｇ　Ａｎｉｏｎｓ，”Ｃｈｅｍ．Ｒｅｖ．，９３，９２７−９４２（１９９３）の総論を参照されたい。
【０００４】
米国特許第５，５０２，０７１号でＭａｒｋｓらは、例えばｔ−ブチルジメチル−シリル置換のような、ホウ素がハロゲン化アリール置換基であって好ましくはシリルアルキル置換を含むもので置換されている弱配位性アニオンを含んだオレフィン重合のためのイオンメタロセン触媒を扱っている。Ｍａｒｋｓらは助触媒としての弱配位性アニオンを開示している。シリルアルキル置換は、結果として生じるメタロセン塩の溶解性及び熱的安定性を増加させることが記載されている。実施例３〜５は、助触媒化合物トリフェニルカルベニウムテトラキス（４−ジメチル−ｔ−ブチルシリル−２，３，５，６−テトラフルオロフェニル）ボラートの合成、及びこれを用いた重合について説明している。
【０００５】
上記の点から、オレフィン重合活性剤にとって、溶液重合の産業経済を向上させること及びイオン、オレフィン重合触媒系のための新しい活性化合物を提供することの両方が必要とされ続けている。
【０００６】
発明の概要
本発明は、オレフィン挿入、配位またはカルボカチオン重合のための活性触媒を形成するために触媒前駆体化合物と結合させることができる両性助触媒化合物を提供し、そのような助触媒及び触媒前駆体化合物を含有する触媒系も同様に提供する。（本文書の目的のため、“助触媒化合物”は“助触媒活性剤化合物”及び“活性剤”と置き換え可能である）。オレフィン重合は、触媒と適当な分子の接触後にできる触媒構造によってあるいは、基本的に触媒と適当な分子の接触と同時に起こるｉｎ　ｓｉｔｕの触媒構造によって進行することができる：それらは接触可能なオレフィン系またはアセチレン系不飽和を有し、またはカチオン重合が可能なオレフィン系不飽和を有するものである。より一般的には、適当な分子は本発明の両性助触媒化合物を用いた触媒系により重合可能であるものである。本発明の触媒は、オレフィン系及びアセチレン系不飽和分子からのポリマー及びコポリマーの調製に適している。これらの両性助触媒化合物は同じ分子内にアニオン及びカチオンの両方を含む。該助触媒アニオン部分はフルオロアリール配位子に結合した１３族元素を含み、少なくとも１つのフルオロアリール配位子が少なくとも１つのカチオンアンモニウム基で置換されている。カチオンアンモニウム基からのプロトンは、有機金属化合物と接触することで、該有機金属化合物（すなわち、触媒前駆体）のアルキル基を引抜き、または炭素−金属結合を切断することができる。この工程は、第１３族基非配位性アニオン（‘元は’両性、助触媒化合物）の少なくとも１つのフルオロアリール配位子における中性アミン置換及びカチオン触媒を残す。
【０００７】
本発明の助触媒活性剤化合物は以下の式で表すことができる：
（ＡｒＦ）３ＭＣｎＦｎ−２ＮＲ２Ｈ
ここで、ＮＲ２Ｈはカチオン部分または側基である。この部分はアルキル基を引抜くことができ、または触媒前駆体の炭素−金属結合を切断することができる（活性化させるために）。Ｍは１３族元素である；いくつかの実施形態ではホウ素またはアルミニウムを選ぶ；ＡｒＦはフッ素化アリール基である；及び各ＲはＣ１−Ｃ３０ヒドロカルビルまたはヒドロカルビルシリル置換基からそれぞれ独立して選択される。いくつかの実施形態では、第２級または第３級の炭素原子を通してＲをケイ素原子に結合させる。
【０００８】
発明の詳細な説明
概略的に、両性助触媒は以下のように表される。
【０００９】
【化１】
2004513193.tif 000002
【００１０】
Ａｎ−　はアニオン部分を表し、Ｃｔ＋はカチオン部分を表す。及び‘間隔基（ｓｐａｃｉｎｇ　ｇｒｏｕｐ）’はＡｎ−とＣｔ＋間を結合する分子部分を表す。
【００１１】
Ａｎ−　は活性剤触媒が‘間隔基’及び中和されたＣｔ＋と結合した場合、該活性剤触媒を安定化または電荷平衡させることができる分子アニオン部分であり、そうでない場合であっても所望の重合工程中安定な分子アニオン部分である。Ａｎ−　を１３族中心原子と一緒に選択することは有用である。１３族元素は時にトリール（ｔｒｉｅｌｓ）と呼ばれることがあり、Ｔｒと略される。いくつかの実施形態においては、トリールはホウ素（Ｂ）またはアルミニウム（Ａｌ）が選択される。フッ化アリール配位子、Ａｒｆは、時にＡｎ−の配位子として働く。例えば、典型的な分子アニオン部分は（ＡｒＦ）３Ｂ−―及び（ＡｒＦ）３Ａｌ−―である。
【００１２】
第１３族原子周辺の配位子はイオン上の電荷を安定させる働きを有する。さらに、配位子は触媒及び助触媒間の接触度合いを制御する。適当なＡｌ−を用いると、これらの２つの効果は触媒及び助触媒間のイオン引力を減少させる。あるいは、Ａｌ−は、陰イオン電荷が分子上に広がって、電荷をより拡散させる集成体になり得る。触媒活性後、助触媒は完全に非配位性であるか、配位性であってもアニオンがモノマーの触媒への接触を実質的に妨げないほどに十分に弱い配位であるかのいずれかであるべきである。
【００１３】
フェニル、ビフェニル、ナフチル、インデニル、アントラシル（ａｎｔｈｒａｃｙｌ）、フルオレニル、アズレニル、フェナントレニル（ｐｈｅｎａｎｔｈｒｅｎｙｌ）及びピレニルは適切なアリールラジカルである。いくつかの実施形態は、アリールラジカルとしてフェニル、ビフェニルまたはナフチルを選択する。典型的な本発明のＡｒＦ配位子は、具体的には、フッ素化アリール基としてリストされたアリールラジカルを含む。また、過フッ素化アリール基も機能し、例えばフッ素化ヒドロカルビル基のようなフッ素のほかに置換基を有する置換ＡｒＦ基も含む。米国特許第５，１９８，４０１号、第５，２９６，４３３号、第５，２７８，１１９号、第５，４４７，８９５号、第５，６８８，６３４号、第５，８９５，７７１号、国際公開第ＷＯ９３／０２０９９号、ＷＯ９７／２９８４５号、ＷＯ９９／４３７１７号、ＷＯ９９／４２４６７号及び同時係属中の１９９９年３月３日に出願された米国出願の出願番号第０９／２６１，６２７、及びそれに対応するＷＯ９９／４５０４２号の記載は適切なＡｒＦ基を教示している。いくつかの実施形態は、芳香族配位子に結合した少なくとも３分の１の水素原子をフッ素で置換する；また、いくつかの実施形態は過フッ素化アリール配位子を選択する。過フッ素化とは、それぞれのアリール水素原子がフッ素またはフルオロカルビル置換基で置換されていることを意味し、例えば、トリフルオロメチル、ペンタフルオロエチル、ヘプタフルオロイソプロピル、トリス（トリフルオロメチル）シリルテトラフルオロエチル及びビス（トリフルオロエチル）（ヘプタフルオロプロピル）シリルテトラフルオロエチルがある。フッ素化の目的はＮＣＡから引抜き水素を引抜くことである。従って、引抜き水素の数を最小限にする配位子の選択または置換型はいずれも、本発明の実施においては有用である。引抜き配位子の数が最小限になった場合（水素引抜きの競争反応が、重合反応が商業的に妥当な方法で進行できる程度に十分小さい場合）、ＮＣＡは実質的にフッ素化されたと言われる。従って、適当な配位子の選択及び置換型は選択した触媒にある程度左右される。残存水素置換基が該系の特定の触媒によって実質的に引抜き可能でない場合であれば、すべての水素置換基がフッ素置換されなければならないわけではない。実質的に引抜き可能でない（ｎｏｎ−ａｂｓｔｒａｃｔａｂｌｅ）とは、水素が引抜き可能となり得るが、連鎖停止の率及び触媒毒の残存により商業的妥当性に劣るものとなるためそのレベルが十分に低いことを意味する。いくつかの実施形態は、引抜き可能性のレベルがより低いものを対象にしている。
【００１４】
‘間隔基’または‘スペーサー’ 、すなわちＡｎ−とＣｔ＋間の橋かけは、Ａｎ−とＣｔ＋間の間隔を維持できる程度に十分に大きく、十分に固い有機基であればいずれのものであってもよい。ほとんどの場合、間隔基は一方の末端がカチオンに結合し、もう一方の末端がアニオンに結合したフッ素化アリール環である。いくつかの実施形態は、助触媒上の活性化−触媒−引抜き水素の量を制限する間隔基を選択する。間隔基上の水素原子が活性化触媒によって引抜き可能である範囲内で、これらの水素原子はいくつかの実施形態においてフッ素置換される。過フッ素化間隔基は有用である。さらに、間隔基上のフッ素置換はアニオン電子密度をより多くの原子上に広げることを可能とし、電子密度をより拡散したものとする。アニオンの拡散の増加は、活性化後に触媒に対するアニオンの配位を弱める原因となる。従って、間隔基上のフッ素置換は触媒活性を向上させると考えられる。最終的に、間隔基上のフッ素置換は、結果として生じるＮＣＡのローバスト性または熱的安定性を向上させる。
【００１５】
代表的な間隔基ラジカルとしては、限定されないが、フルオロベンジル、ジフルオロベンジル、ジフルオロナフチル、ヘキサフルオロアントラシル、ヘキサフルオロフルオレニル、ヘキサフルオロインデニル、ヘキサフルオロフェナトラシル（ｈｅｘａｆｌｕｏｒｏｐｈｅｎａｔｈｒａｃｙｌ）、ヘキサフルオロピレニル、ノナフルオロアントラシル、ノナフルオロフェナトラシル、ノナフルオロピレニル、オクタフルオロアントラシル、オクタフルオロフルオレニル、オクタフルオロフェナントラシル、オクタフルオロピレニル、ペンタフルオロアントラシル、ペンタフルオロフルオレニル、ペンタフルオロインデニル、ペンタフルオロナフチル、ペンタフルオロフェナトラシル、ペンタフルオロピレニル、パーフルオロアントラシル、パーフルオロベンジル、パーフルオロフルオレニル、パーフルオロインデニル、パーフルオロナフチル、パーフルオロフェナトラシル、パーフルオロピレニル、ヘプタフルオロアントラシル、ヘプタフルオロフルオレニル、ヘプタフルオロインデニル、ヘプタフルオロフェナトラシル、ヘプタフルオロピレニル、テトラフルオロアントラシル、テトラフルオロフルオレニル、テトラフルオロインデニル、テトラフルオロナフチル、テトラフルオロフェナトラシル、テトラフルオロピレニル、トリフルオロアントラシル、トリフルオロベンジル、トリフルオロフルオレニル、トリフルオロインデニル、トリフルオロナフチル、トリフルオロフェナトラシル及びトリフルオロピレニルラジカルが挙げられる。
【００１６】
【化２】
2004513193.tif 000003
【００１７】
【化３】
2004513193.tif 000004
【００１８】
効果的なカチオン基（−Ｃｔ＋）は、活性触媒から脱離する有機金属触媒前駆体化合物由来の、モノアニオンヒドリド、アルキルまたはその他のヒドロカルビルまたはヒドロカルビルシリル配位子のような、配位子（Ｑ）を引抜くことが知られる。引抜き後、助触媒のＣｔ部分は実質的に中性である。いくつかの実施形態において、−Ｃｔは重合を妨げないように選択される。有用なカチオン基としては、限定されないが、米国特許第５，１９８，４０１号及び国際公開ＷＯ９７／３５８９３号のアンモニウム塩のような窒素含有基、米国特許第５，３８７，５６８号のトリチルカルベニウム基、国際公開ＷＯ９６／０８５１９号のシリリウムカチオン基が挙げられる。さらに、適当なカチオンとしては、ＷＯ９７／３５８９３、及び同時継続中の１９９９年１０月２２日に出願された米国出願番号６０／１６０，９４２号、及び１９９９年１２月９日に出願された６０／１６９，７６８号に記載された窒素−及び炭素基カチオンが挙げられる。有用なカチオン成分は−ＮＲ２Ｈである。
【００１９】
基本的に、定義されたＲ基のいずれも両性助触媒活性剤の使用において効果的である。助触媒活性剤は、溶液、バルク、スラリー及び気相重合工程において触媒を効果的に活性化させることができる。典型的なＲ基としては、メチル、エチル、ｎ−プロピル、イソ−プロピル、ｎ−ブチル、ブチル、シクロ−ヘキシル、ベンジル、メチルトリメチルシリル、メチルトリエチルシリル、ピロリジニル、ピペリジニル、２，６−ジメチルピペリジニル等が挙げられる。Ｒ基は同じまたは異なっていてもよく、言い換えれば混合アルキル基は第１５族原子上に位置していてもよい。例としては、全てを含んでいるわけではないが、−Ｃｔ＋の一覧を以下に示した。一覧は２つの置換基を有するカチオン中心原子を示している。ほとんどの場合、−Ｃｔ＋部分はさらに間隔基及びプロトンに結合する；従って、中心原子は４つの配位子を持つ。
【００２０】
アンモニウムカチオン成分
（３−メチルペンチル）（エチル（トリエチルシリル））アンモニウム；（３−メチルペンチル）−１，２−ジフルオロヘキシル−アンモニウム；（３−メチルペンチル）−２，３，５−トリフルオロフェニル−アンモニウム；（３−メチルペンチル）ブチルアンモニウム；（３−メチルペンチル）ヘキシルアンモニウム；（３−メチルペンチル）オクチルアンモニウム；（３−メチルペンチル）パーフルオロブチルアンモニウム；（３−メチルペンチル）パーフルオロヘプチルアンモニウム；（３−メチルペンチル）パーフルオロプロピルアンモニウム；（３−メチルペンチル）フェニルアンモニウム；（エチル（トリエチルシリル））（エチル（トリエチルシリル））アンモニウム；（エチル（トリエチルシリル））（メチル（トリメチルシリル））アンモニウム；（エチル（トリエチルシリル））イソヘキシルアンモニウム；（エチル（トリエチルシリル））イソプロピルアンモニウム；（エチル（トリエチルシリル））パーフルオロエチルアンモニウム；（エチル（トリエチルシリル））パーフルオロペンチルアンモニウム；（エチル（トリエチルシリル））パーフルオロフェニルアンモニウム；（エチル（トリメチルシリル））−２，３，５−トリフルオロフェニル−アンモニウム；（エチル（トリメチルシリル））−２，３，５−トリフルオロフェニル−アンモニウム；（エチル（トリメチルシリル））ヘキシルアンモニウム；（エチル（トリメチルシリル））イソヘキシルアンモニウム；（メチル（トリエチルシリル））ブチルアンモニウム；（メチル（トリエチルシリル））イソペンチルアンモニウム；（メチル（トリエチルシリル））パーフルオロヘプチルアンモニウム；（メチル（トリエチルシリル））パーフルオロメチルアンモニウム；（メチル（トリエチルシリル））パーフルオロオクチルアンモニウム；（メチル（トリエチルシリル））パーフルオロフェニルアンモニウム；（メチル（トリエチルシリル））パーフルオロプロピルアンモニウム；（メチル（トリエチルシリル））フェニルアンモニウム；（メチル（トリメチルシリル））（３−メチルペンチル）アンモニウム；（メチル（トリメチルシリル））（メチル（トリメチルシリル））アンモニウム；（メチル（トリメチルシリル））−１，２−ジフルオロヘキシル−アンモニウム；（メチル（トリメチルシリル））エチルアンモニウム；（メチル（トリメチルシリル））パーフルオロブチルアンモニウム；（メチル（トリメチルシリル））パーフルオロヘプチルアンモニウム；（メチル（トリメチルシリル））パーフルオロヘキシルアンモニウム；（メチル（トリメチルシリル））プロピルアンモニウム；−１，２−ジフルオロヘキシル（メチル（トリエチルシリル））アンモニウム；−１，２−ジフルオロヘキシル（メチル（トリエチルシリル））アンモニウム；−１，２−ジフルオロヘキシル（メチル（トリメチルシリル））アンモニウム；−１，２−ジフルオロヘキシル−２，３，４，５−テトラフルオロフェニル−アンモニウム；−１，２−ジフルオロヘキシルパーフルオロ−ｔ−ブチルアンモニウム；−１，６−ジフルオロヘキシル（メチル（トリメチルシリル））アンモニウム；−１，６−ジフルオロヘキシル−２，３，６，７−テトラフルオロオクチルアンモニウム；−１，６−ジフルオロヘキシルイソヘキシルアンモニウム；−１，６−ジフルオロヘキシルパーフルオロエチルアンモニウム；−１，６−ジフルオロヘキシルパーフルオロヘプチルアンモニウム；−１，６−ジフルオロヘキシルフェニルアンモニウム；−１，６−ジフルオロヘキシルプロピルアンモニウム；２，３，４，５−テトラフルオロフェニル（３−メチルペンチル）アンモニウム；２，３，４，５−テトラフルオロフェニル（エチル（トリエチルシリル））アンモニウム；２，３，４，５−テトラフルオロフェニル−１，６−ジフルオロヘキシル−アンモニウム；２，３，４，５−テトラフルオロフェニル−２，３，５−トリフルオロフェニル−アンモニウム；２，３，４，５−テトラフルオロフェニル−２，３，６，７−テトラフルオロオクチル−アンモニウム；２，３，４，５−テトラフルオロフェニルブチルアンモニウム；２，３，４，５−テトラフルオロフェニルエチルアンモニウム；２，３，４，５−テトラフルオロフェニルイソペンチルアンモニウム；２，３，４，５−テトラフルオロフェニルイソプロピルアンモニウム；２，３，４，５−テトラフルオロフェニルパーフルオロイソペンチルアンモニウム；−２，３，５−トリフルオロフェニル−１，２−ジフルオロヘキシル−アンモニウム；−２，３，５−トリフルオロフェニル−１，６−ジフルオロヘキシル−アンモニウム；−２，３，５−トリフルオロフェニル−２，３，４，５−テトラフルオロフェニル−アンモニウム；−２，３，５−トリフルオロフェニル−２，３，６，７−テトラフルオロオクチル−アンモニウム；−２，３，５−トリフルオロフェニルメチルアンモニウム；−２，３，５−トリフルオロフェニルペンチルアンモニウム；−２，３，５−トリフルオロフェニルパーフルオロプロピルアンモニウム；−２，３，５−トリフルオロフェニルフェニルアンモニウム；−２，３，６，７−テトラフルオロオクチル（３−メチルペンチル）アンモニウム；−２，３，６，７−テトラフルオロオクチルブチルアンモニウム；−２，３，６，７−テトラフルオロオクチルイソヘキシルアンモニウム；−２，３，６，７−テトラフルオロオクチルイソプロピルアンモニウム；−２，３，６，７−テトラフルオロオクチルペンチルアンモニウム；
ブチル−１，２−ジフルオロヘキシル−アンモニウム；ブチル−２，３，５−トリフルオロフェニル−アンモニウム；ブチルパーフルオロヘキシルアンモニウム；ブチルパーフルオロフェニルアンモニウム；ブチルプロピルアンモニウム；エチル（メチル（トリエチルシリル））アンモニウム；エチルパーフルオロプロピルアンモニウム；ヘプチル（３−メチルペンチル）アンモニウム；ヘプチル（３−メチルペンチル）アンモニウム；ヘプチルイソヘキシルアンモニウム；ヘプチルイソペンチルアンモニウム；へプチルメチルアンモニウム；ヘプチルペンチルアンモニウム；ヘプチルパーフルオロブチルアンモニウム；ヘキシル−１，２−ジフルオロヘキシル−アンモニウム；ヘキシルオクチルアンモニウム；ヘキシル−ｔ−ブチルアンモニウム；イソヘキシル（エチル（トリエチルシリル））アンモニウム；イソヘキシル（エチル（トリメチルシリル））アンモニウム；イソヘキシル（メチル（トリメチルシリル））アンモニウム；イソヘキシル−２，３，４，５−テトラフルオロフェニル−アンモニウム；ビス（イソへキシル）アンモニウム；イソヘキシルイソヘキシルアンモニウム；イソヘキシルイソプロピルアンモニウム；イソヘキシルメチルアンモニウム；イソヘキシルパーフルオロへプチルアンモニウム；イソヘキシルパーフルオロペンチルアンモニウム；イソヘキシルフェニルアンモニウム；イソペンチル（エチル（トリメチルシリル））アンモニウム；イソペンチルへプチルアンモニウム；イソペンチルメチルアンモニウム；イソペンチルパーフルオロヘキシルアンモニウム；イソプロピル（エチル（トリエチルシリル））アンモニウム；イソプロピル（メチル（トリエチルシリル））アンモニウム；イソプロピル（メチル（トリエチルシリル））アンモニウム；イソプロピルへプチルアンモニウム；イソプロピルへプチルアンモニウム；イソプロピルイソへキシルアンモニウム；イソプロピルパーフルオロブチルアンモニウム；イソプロピルパーフルオロフェニルアンモニウム；イソプロピル−ｔ−ブチルアンモニウム；メチル（エチル（トリエチルシリル））アンモニウム；メチルパーフルオロエチルアンモニウム；オクチルパーフルオロエチルアンモニウム；オクチルパーフルオロへプチルアンモニウム；オクチルプロピルアンモニウム；ペンチル−１，６−ジフルオロヘキシルアンモニウム；ペンチルイソヘキシルアンモニウム；ペンチルパーフルオロフェニルアンモニウム；パーフルオロブチルオクチルアンモニウム；パーフルオロブチルパーフルオロプロピルアンモニウム；パーフルオロエチル（エチル（トリエチルシリル））アンモニウム；パーフルオロエチル（メチル（トリメチルシリル））アンモニウム；パーフルオロエチル−１，６−ジフルオロヘキシル−アンモニウム；パーフルオロエチルエチルアンモニウム；パーフルオロへプチル（エチル（トリエチルシリル））アンモニウム；パーフルオロヘプチル（メチル（トリエチルシリル））アンモニウム；パーフルオロへプチルブチルアンモニウム；パーフルオロへプチルイソヘキシルアンモニウム；パーフルオロヘプチルパーフルオロブチルアンモニウム；パーフルオロヘプチルパーフルオロヘキシルアンモニウム；パーフルオロヘプチルパーフルオロイソプロピルアンモニウム；パーフルオロヘプチルパーフルオロメチルアンモニウム；パーフルオロヘキシル（エチル（トリエチルシリル））アンモニウム；パーフルオロヘキシル（エチル（トリエチルシリル））アンモニウム；パーフルオロヘキシル（メチル（トリエチルシリル））アンモニウム；パーフルオロヘキシルエチルアンモニウム；パーフルオロヘキシルパーフルオロヘプチルアンモニウム；パーフルオロヘキシルパーフルオロメチルアンモニウム；パーフルオロヘキシルパーフルオロペンチルアンモニウム；パーフルオロヘキシルパーフルオロペンチルアンモニウム；パーフルオロイソペンチルイソヘキシルアンモニウム；パーフルオロイソペンチルイソヘキシルアンモニウム；パーフルオロイソペンチルペンチルアンモニウム；パーフルオロイソペンチルプロピルアンモニウム；パーフルオロイソプロピル（３−メチルペンチル）アンモニウム；パーフルオロイソプロピル（エチル（トリエチルシリル））アンモニウム；パーフルオロイソプロピル−２，３，４，５−テトラフルオロフェニル−アンモニウム；パーフルオロイソプロピルヘキシルアンモニウム；パーフルオロイソプロピルオクチルアンモニウム；パーフルオロイソプロピルパーフルオロヘプチルアンモニウム；パーフルオロイソプロピルパーフルオロヘキシルアンモニウム；パーフルオロイソプロピルパーフルオロイソペンチルアンモニウム；パーフルオロメチル−１，２−ジフルオロヘキシル−アンモニウム；パーフルオロメチルパーフルオロイソプロピルアンモニウム；パーフルオロメチルパーフルオロオクチルアンモニウム；パーフルオロメチルパーフルオロ−ｔ−ブチルアンモニウム；パーフルオロメチルフェニルアンモニウム；パーフルオロメチルプロピルアンモニウム；パーフルオロオクチル（メチル（トリエチルシリル））アンモニウム；パーフルオロオクチル（メチル（トリメチルシリル））アンモニウム；パーフルオロオクチル−１，６−ジフルオロヘキシル−アンモニウム；パーフルオロオクチルエチルアンモニウム；パーフルオロオクチルペンチルアンモニウム；パーフルオロオクチルパーフルオロオクチルアンモニウム；パーフルオロペンチル（エチル（トリエチルシリル））アンモニウム；パーフルオロペンチル（エチル（トリメチルシリル））アンモニウム；パーフルオロペンチルメチルアンモニウム；パーフルオロペンチルメチルアンモニウム；パーフルオロペンチルパーフルオロブチルアンモニウム；パーフルオロペンチルパーフルオロエチルアンモニウム；パーフルオロペンチルフェニルアンモニウム；パーフルオロペンチルプロピルアンモニウム；パーフルオロフェニル（メチル（トリエチルシリル））アンモニウム；パーフルオロフェニル−１，２−ジフルオロヘキシル−アンモニウム；パーフルオロフェニル−１，６−ジフルオロヘキシル−アンモニウム；パーフルオロフェニルエチルアンモニウム；パーフルオロフェニルヘキシルアンモニウム；パーフルオロフェニルパーフルオロヘプチルアンモニウム；パーフルオロフェニルパーフルオロメチルアンモニウム；パーフルオロフェニル−ｔ−ブチルアンモニウム； パーフルオロプロピル（メチル（トリエチルシリル））アンモニウム；パ��フルオロプロピル−２，３，５−トリフルオロフェニル−アンモニウム；パーフルオロプロピル−２，３，５−トリフルオロフェニル−アンモニウム；パーフルオロプロピル−２，３，６，７−テトラフルオロオクチル−アンモニウム；パーフルオロプロピルフェニルアンモニウム；パーフルオロ−ｔ−ブチルヘキシルアンモニウム。
【００２１】
ホスホニウムカチオン成分
ジ（３−メチルペンチル）ホスホニウム；（３−メチルペンチル）−１，６−ジフルオロヘキシル−ホスホニウム；（３−メチルペンチル）−２，３，６，７−テトラフルオロオクチル−ホスホニウム；（３−メチルペンチル）ヘキシルホスホニウム；（３−メチルペンチル）パーフルオロ−ｔ−ブチルホスホニウム；（３−メチルペンチル）パーフルオロ−ｔ−ブチルホスホニウム；（３−メチルペンチル）パーフルオロ−ｔ−ブチルホスホニウム；（３−メチルペンチル）プロピルホスホニウム；（エチル（トリエチルシリル））パーフルオロメチルホスホニウム；（エチル（トリメチルシリル））（メチル（トリエチルシリル））ホスホニウム；（エチル（トリメチルシリル））パーフルオロブチルホスホニウム；（エチル（トリメチルシリル））プロピルホスホニウム；（メチル（トリエチルシリル））（メチル（トリエチルシリル））ホスホニウム；（メチル（トリエチルシリル））（メチル（トリメチルシリル））ホスホニウム；（メチル（トリエチルシリル））オクチルホスホニウム；（メチル（トリエチルシリル））パーフルオロイソペンチルホスホニウム；（メチル（トリエチルシリル））パーフルオロイソペンチルホスホニウム；（メチル（トリメチルシリル））パーフルオロイソプロピルホスホニウム；１，２−ジフルオロヘキシル−２，３，５−トリフルオロフェニル−ホスホニウム；１，６−ジフルオロヘキシル−２，３，５−トリフルオロフェニル−ホスホニウム；１，６−ジフルオロヘキシルイソペンチルホスホニウム；２，３，５−トリフルオロフェニルメチルホスホニウム；ブチルイソヘキシルホスホニウム；エチルパーフルオロフェニルホスホニウム；ジヘプチルホスホニウム；ヘプチルパーフルオロヘキシルホスホニウム；ヘプチルパーフルオロイソプロピルホスホニウム；ヘプチルパーフルオロペンチルホスホニウム；ヘキシルパーフルオロフェニルホスホニウム；イソヘキシル（３−メチルペンチル）ホスホニウム；イソヘキシルパーフルオロイソペンチルホスホニウム；イソペンチル（エチル（トリエチルシリル））ホスホニウム；イソペンチルブチルホスホニウム；メチルヘキシルホスホニウム；メチルイソプロピルホスホニウム；オクチルブチルホスホニウム；ペンチル（メチル（トリエチルシリル））ホスホニウム；ペンチル（メチル（トリメチルシリル））ホスホニウム；ペンチルイソヘキシルホスホニウム；ペンチルパーフルオロオクチルホスホニウム；パーフルオロブチルパーフルオロエチルホスホニウム；パーフルオロヘプチルイソペンチルホスホニウム；パーフルオロヘプチルパーフルオロメチルホスホニウム；パーフルオロヘキシル（３−メチルペンチル）ホスホニウム；パーフルオロヘキシル−２，３，５−トリフルオロフェニル−ホスホニウム；パーフルオロイソペンチル（エチル（トリメチルシリル））ホスホニウム；パーフルオロイソペンチルイソヘキシルホスホニウム；パーフルオロイソプロピルパーフルオロヘキシルホスホニウム；パーフルオロメチルイソヘキシルホスホニウム；パーフルオロオクチル（メチル（トリメチルシリル））ホスホニウム；パーフルオロプロピル−１，２−ジフルオロヘキシル−ホスホニウム；パーフルオロプロピルパーフルオロヘプチルホスホニウム；パーフルオロ−ｔ−ブチルフェニルホスホニウム；フェニル（メチル（トリエチルシリル））ホスホニウム；プロピルオクチルホスホニウム；ｔ−ブチル（メチル（トリエチルシリル））ホスホニウム； ｔ−ブチル−ｔ−ブチルホスホニウム。
【００２２】
アルソニウムカチオン成分
アルソニウムに基づく−Ｃｔ＋の例としては、限定されないが、（３−メチルペンチル）ブチルアルソニウム；（エチル（トリメチルシリル））−ｔ−ブチルアルソニウム；（エチル（トリメチルシリル））−ｔ−ブチルアルソニウム；（メチル（トリエチルシリル））（エチル（トリエチルシリル））アルソニウム；（メチル（トリメチルシリル））−２，３，５−トリフルオロフェニル−アルソニウム；（メチル（トリメチルシリル））−ｔ−ブチルアルソニウム；１，２−ジフルオロヘキシル（メチル（トリメチルシリル））アルソニウム；２，３，４，５−テトラフルオロフェニルイソプロピルアルソニウム；ヘキシルパーフルオロメチルアルソニウム；ヘキシルパーフルオロペンチルアルソニウム；イソヘキシル−１，６−ジフルオロヘキシル−アルソニウム；イソペンチルイソプロピルアルソニウム；イソプロピル（エチル（トリエチルシリル））アルソニウム；メチルブチルアルソニウム；ペンチルパーフルオロメチルアルソニウム；ペンチルパーフルオロフェニルアルソニウム；パーフルオロヘプチルパーフルオロヘプチルアルソニウム；パーフルオロヘプチルパーフルオロイソペンチルアルソニウム；パーフルオロイソペンチルパーフルオロヘキシルアルソニウム；パーフルオロイソプロピルパーフルオロエチルアルソニウム；パーフルオロメチル（メチル（トリメチルシリル））アルソニウム；パーフルオロオクチルパーフルオロメチルアルソニウム；パーフルオロプロピルパーフルオロフェニルアルソニウム；パーフルオロ−ｔ−ブチル−１，６−ジフルオロヘキシル−アルソニウム； パーフルオロ−ｔ−ブチルパーフルオロイソペンチルアルソニウム；フェニル（メチル（トリエチルシリル））アルソニウム；フェニルパーフルオロブチルアルソニウム；プロピルイソプロピルアルソニウム；ｔ−ブチル−２，３，４，５−テトラフルオロフェニル−アルソニウム；ｔ−ブチルパーフルオロヘプチルアルソニウム；ｔ−ブチルパーフルオロメチルアルソニウムが挙げられる。
【００２３】
反応中、両性助触媒は、活性化カチオン触媒及び弱配位性アニオンから脱離する触媒前駆体と反応する。活性化前は、助触媒はカチオン部分を含有する。活性化は、カチオン部分が触媒前駆体または前駆体中の金属−有機結合のクリーブからヒドリド、アルキルまたは置換アルキル配位子、Ｑのいずれかを引抜いた時に起こる。
【００２４】
活性により中性であるが、両性の、助触媒がアニオンに変化する；助触媒のカチオン部分は、通常はプロトンを失うことにより中和される。また、活性により、助触媒由来のプロトンに結合したヒドリドまたはアニオン性アルキルが通常引抜かれることで中性触媒前駆体がカチオン触媒に変化する。例えば、
【００２５】
【化４】
2004513193.tif 000005
【００２６】
従って、本発明の実施形態は、両性助触媒を含む。いくつかの実施形態において触媒系は触媒前駆体及び両性助触媒を含有する。いくつかの実施形態は両性助触媒及び触媒前駆体の接触生成物である触媒を含有する。両性助触媒が触媒前駆体に接触する場合、カチオン成分由来の水素は触媒前駆体から有機ラジカルを引抜く。この工程により、中性触媒前駆体はカチオン触媒に変化し、いくつかの実施形態ではオレフィン重合触媒である；中性両性助触媒はＮＣＡを電荷調整できるアニオン性ＮＣＡに変化する。上述の通り、本発明の両性助触媒はオレフィン重合触媒前駆体を活性化させるのに有用である。さらに、これらの助触媒は当技術分野で周知のように、オレフィン重合触媒、開環触媒等を活性化できる。
【００２７】
両性活性剤または助触媒は、以下のようにして調製すればよい。２級アミン、ＮＲ２Ｈはブロモパーフルオロアリールと反応して、Ｎ−（ブロモパーフルオロアリール）ＮＲ２を生成する。アリールアミンを調製した後、ブチルリチウム及び次にトリス（パーフルオロフルオレニル）ボランを加える。この反応は、アリールアミンのパラ位置にホウ素置換を生じる。（ボランのアリール基は同じである必要はない；同様に、ボランのアリール基はアリールアミンのアリール基と一致する必要はない。）次に、塩化水素ガスを加えて両性助触媒を得る。適当な窒素原子上のフルオロアリール置換基は公知のいずれのものであってもよく、フッ素化Ｃ６−Ｃ１２の芳香環、好ましくはフェニル、ナフチルまたはビフェニルである。過フッ素化Ｃ６−Ｃ１２環は有用である。
【００２８】
本発明の助触媒の具体的な合成を以下に提示する。ピロリジンはペンタフルオロブロモベンゼンと反応し、Ｎ−（４−ブロモ−２，３，５，６−ペンタフルオロフェニル）ピロリジンを形成する。フェニルアミンの調製後、ブチルリチウム及び次にトリス（ペンタフルオロフェニル）ボランを加えて反応させ、結果としてブロモペンタフルオロフェニルピロリジンのパラ位置にホウ素置換を生じる。塩化水素ガスを加えて、下記に示すようにアニオン性ボラート部分及びカチオン性アンモニウム部分を含んだ両性イオンを生じる。
【００２９】
【化５】
2004513193.tif 000006
【００３０】
本発明で使用する適当な触媒前駆体化合物は、従来のチーグラー−ナッタ重合に有用な公知の有機金属、遷移金属化合物を含み、特に重合に有用であることが知られるメタロセンを含む。触媒前駆体は本発明の助触媒によって活性化されやすいものである必要がある。有用な触媒前駆体は３〜１０族遷移金属化合物を含み、少なくとも１つの金属配位子は助触媒によって引抜かれることができる。特にこれらの引抜き配位子としてはヒドリド、ヒドロカルビル、ヒドロカルビルシリル及びそれらの低級アルキル置換（Ｃ１−Ｃ１０）誘導体が挙げられる。例としては、ヒドリド、メチル、ベンジル、ジメチル−ブタジエン等が挙げられる。それらを含む引抜き配位子及び遷移金属化合物は、例えば米国特許第５，１９８，４０１号及び国際公開第ＷＯ９２／００３３３号に記載されているようなそれらのメタロセンを含む。これらの化合物の合成は一般に公開されている文献から公知である。さらに、金属配位子が反応活性ハロゲン、アミドまたはアルコキシ配位子（例えば、ビスシクロペンタジエニルジルコニウムジクロリド）を含み、本発明の助触媒を用いて即座の引抜きが可能でないであろう場合においては、配位子は引抜かれる可能性のあるものと置換され得る。この置換は、リチウムまたはアルミニウムヒドリド、アルキル、アルキルアルモキサン、グリニャード試薬等を用いたアルキル化のような公知の手段を使用する。さらに、欧州特許第０　５００　９４４号及び欧州特許第０　５７０　９８２号の有機アルミニウム化合物と触媒活性前のジハロ置換メタロセンの反応も参照されたい。
【００３１】
触媒活性遷移金属カチオンを生成するための少なくとも１つの引抜き配位子を有する、またはアルキル化により含むことができる、メタロセン化合物の追加の記載は特許文献中に見られる。（例えば、欧州特許第０　１２９　３６８号Ａ、米国特許第４，８７１，７０５号、第４，９３７，２９９号、第５，３２４，８００号、第５，４７０，９９３号、第５，４９１，２４６号、第５，５１２，６９３号、欧州特許第０　４１８　０４４号Ａ、欧州特許第０　５９１　７５６号Ａ、国際公開第ＷＯ９２／００３３３号Ａ、ＷＯ９４／０１４７１号Ａ及びＷＯ９７／２２６３５号。）このようなメタロセンは、モノまたはビスシクロペンタジエニル置換第３、４、５、または６族遷移金属として記載されることができる。遷移金属配位子は、それら自身を１つ以上の基で置換することができ、該配位子はお互いに架橋したり、またはヘテロ原子を通して遷移金属に架橋することができる。配位子及び架橋成分の大きさ及び構成成分は本発明の触媒系にとって重大なものではないが、活性を高め、所望の特性を選択するために文献に記載された方法で選択するべきである。シクロペンタジエニル環（置換、シクロペンタジエニル基、インデニル、フルオレニル、アズレニルのような縮合環系またはそれらの置換類似体を含む）の実施形態は、それぞれお互いに架橋している場合、２の位置において置換された低級−アルキル置換（Ｃ１−Ｃ６）である（縮合環において類似の４−位置に置換を有するまたは有さないものも有用である）。シクロペンタジエニル環はさらにアルキル、シクロアルキル、アリール、アルキルアリール及びアリールアルキル置換基を含み、直鎖、分枝または環状構造のものとしては、多環構造のものも含み、例えば米国特許第５，２７８，２６４号および第５，３０４，６１４号のものである。このような置換基は本質的にヒドロカルビルの特性をそれぞれ有すべきであり、通常は３０までの炭素原子を含み、しかし１〜５個の水素原子以外または炭素原子以外、例えばＮ、Ｓ、Ｏ、Ｐ、Ｇｅ、Ｂ及びＳｉのようなヘテロ原子を含んでもよい。
【００３２】
本発明の活性剤は、ポリエチレン、ポリプロピレンまたはエチレン含有コポリマー（ここでコポリマーとは、少なくとも２つの異なるモノマーを用いて調製されたポリマーを意味する）の調製のために適した、基本的に公知であるすべてのメタロセン触媒と共に用いると有用である。再度、国際公開ＷＯ９２／００３３３号Ａ、及び米国特許第５，００１，２０５号、第５，１９８，４０１号、第５，３２４，８００号、第５，３０４，６１４号及び第５，３０８，８１６号に具体的にリストされた内容を参照されたい。ポリエチレン及びポリプロピレンを作るための適切なメタロセン触媒の選択基準は、特許及び学術文献の両方において当業者に公知である。例えば、Ｊｏｕｒｎａｌ　ｏｆ　Ｏｒｇａｎｏｍｅｔａｌｌｉｃ　Ｃｈｅｍｉｓｔｒｙ　３６９、３５９−３７０（１９８９）を参照されたい。同様に、これらのメタロセンの調製方法もまた公知である。一般的に、触媒は立体的に剛直、非対称、キラルまたは架橋キラルであるメタロセンである。例えば、米国特許第４，８９２，８５１号、米国特許第５，０１７，７１４号、米国特許第５，２９６，４３４号、米国特許第５，２７８，２６４号、国際公開ＷＯ−Ａ（ＰＣＴ／ＵＳ９２／１００６６）、国際公開ＷＯ９３／１９１０３号Ａ、欧州特許第０　５７７　５８１号Ａ２、欧州特許第０　５７８　８３８号Ａ１及び学術文献“Ｔｈｅ　Ｉｎｆｌｕｅｎｃｅ　ｏｆ　Ａｒｏｍａｔｉｃ　Ｓｕｂｓｔｉｔｕｅｎｔｓ　ｏｎ　ｔｈｅ　Ｐｏｌｙｍｅｒｉｚａｔｉｏｎ　Ｂｅｈａｖｉｏｒ　ｏｆ　Ｂｒｉｄｇｅｄ　Ｚｉｒｃｏｎｏｃｅｎｅ　Ｃａｔａｌｙｓｔ”、Ｓｐａｌｅｃｋ，Ｗ．，ら、Ｏｒｇａｎｏｍｅｔａｌｌｉｃｓ　１９９４、１３、９５４−９６３及び“ａｎｓａ−Ｚｉｒｃｏｎｏｃｅｎｅ　Ｐｏｌｙｍｅｒｉｚａｔｉｏｎ　Ｃａｔａｌｙｓｔｓ　ｗｉｔｈ　Ａｎｎｅｌａｔｅｄ　Ｒｉｎｇ　Ｌｉｇａｎｄｓ−Ｅｆｆｅｃｔｓ　ｏｎ　Ｃａｔａｌｙｔｉｃ　Ａｃｔｉｖｉｔｙ　ａｎｄ　Ｐｏｌｙｍｅｒ　Ｃｈａｉｎ　Ｌｅｎｇｔｈｓ”、Ｂｒｉｎｚｉｎｇｅｒ，Ｈ．，ら、Ｏｒｇａｎｏｍｅｔａｌｌｉｃｓ　１９９４、１３、９６４−９７０及びこれらの中で言及されている文献を参照されたい。これら多くの引用文献はアルモキサン活性触媒システムを扱っているが、類似体メタロセンは本発明の助触媒を用いて活性化できる。引抜き配位子が不足している触媒系においては、引抜き配位子でない少なくとも１つが引抜き配位子で最初に置換されなければならない。アルキル化による置換は、上述の通り、例の１つである。さらに、メタロセンはエチレンまたはα−オレフィン基、−Ｃ＝Ｃ−を挿入できる基を含むべきであり、例えばヒドリド、アルキル、アルケニルまたはシリルである。さらに、Ｇ．Ｇ．Ｈｌａｔｋｙ、“Ｍｅｔａｌｌｏｃｅｎｅ　ｃａｔａｌｙｓｔｓ　ｆｏｒ　ｏｌｅｆｉｎ　ｐｏｌｙｍｅｒｉｚａｔｉｏｎ　Ａｎｎｕａｌ　ｒｅｖｉｅｗ　ｏｆ　１９９６”、Ｃｏｏｒｄｉｎａｔｉｏｎ　Ｃｈｅｍｉｓｔｒｙ　Ｒｅｖｉｅｗｓ、１８１、２４３−２９６（Ｅｌｓｅｖｉｅｒ　Ｓｃｉｅｎｃｅ、１９９９）の記載を参照されたい。
【００３３】
代表的なメタロセン化合物は次の式を有し得る：
ＬＡＬＢＬＣｉＭｃＤＥ
ここでＭｃは３〜１０族金属；ＬＡは置換または無置換のシクロペンタジエニルまたはヘテロシクロペンタジエニル配位子であって、Ｍｃに結合している；及びＬＢはＬＡに関連して定義される配位子、またはＪ、Ｍｃに結合するヘテロ原子配位子である。ＬＡ及びＬＢは、架橋を含んだ１３〜１６族元素を通してお互いに稜線となることができる。ＬＣｉは任意的なものであり、Ｍｃに結合した中性、非酸化配位子である（ｉは０〜３である）；及びＤ及びＥは同じまたは異なる反応活性配位子であり、任意的にお互いに、ＬＡまたはＬＢに架橋する。それぞれのＤ及びＥはＭｃに結合する。
【００３４】
Ｄ及びＥの同一性は機能上制限される。第一の制限は活性の際の制限であり、Ｄ−ＭｃまたはＥ−Ｍｃ結合のいずれかは切断されなければならない。Ｄ及びＥはこれを容易にするように選択される。他の制限は重合可能な分子はＭｃとＤまたはＥ残基のいずれかの間に挿入できなければならないということである。
【００３５】
環状（ｉｎ−ｒｉｎｇ）及び環上（ｏｎ−ｒｉｎｇ）の置換及び無置換シクロペンタジエニドイオンに加えて、シクロペンタジエニルは、限定されないがインデニル及びフルオレニルラジカルなどの縮合環系も包含する。また、炭素以外の、１３、１４、１５または１６族原子が環炭素を置換している環または縮合環を含むヘテロ原子の使用は、本明細書中においては“シクロペンタジエニル”の語の範囲内である。例えば、１９９７年１２月２９日に出願された米国出願番号０８／９９９，２１４号に基づく優先権を有する国際公開ＷＯ９８／３７１０６号及び１９９８年３月１３日に出願された米国出願番号０９／０４２，３７８号に基づく優先権を有する国際公開ＷＯ９８／４１５３０号の発明の背景及び説明を参照されたい。置換シクロペンタジエニル構造は１つ以上の水素原子がヒドロカルビル、ヒドロカルビルシリルによって置換された構造、または類似のヘテロ原子を含む構造である。ヒドロカルビル構造は具体的には、Ｃ１−Ｃ３０の直鎖、分枝及び環状アルキル及び芳香族縮合及びペンダント環が挙げられる。また、これらの環は環構造で置換されることもできる。
【００３６】
限定されないが、代表的なメタロセン化合物は、ペンタメチルシクロペンタジエニルチタニウムイソプロポキシド、ペンタメチルシクロペンタジエニルトリベンジルチタニウム、ジメチルシリルテトラメチル−シクロペンタジエニル−ｔｅｒｔ−ブチルアミドチタニウムジクロリド、ペンタメチルシクロペンタジエニルチタニウムトリメチル、ジメチルシリルテトラメチルシクロペンタジエニル−ｔ−ブチルアミドジルコニウムジメチル、ジメチルシリルテトラメチルシクロペンタジエニル−ドデシルアミドハフニウムジヒドリド、ジメチルシリルテトラメチルシクロペンタジエニル−ドデシルアミドハフニウムジメチルのようなモノ−シクロペンタジエニル化合物、ビス（１−メチル，３−ブチルシクロペンタジエニル）ジルコニウムジメチル、（ペンタメチルシクロペンタジエニル−シクロペンタジエニル）ジルコニウムジメチル、（テトラメチルシクロペンタジエニル）（ｎ−プロピルシクロペンタジエニル）ジルコニウムジメチルのような非架橋ビスシクロペンタジエニル化合物；ジメチルシリルビス（テトラヒドロインデニル）ジルコニウムジクロリド及びシラシクロブチル（テトラメチルシクロペンタジエニル）（ｎ−プロピル−シクロペンタジエニル）ジルコニウムジメチルのような架橋ビス−シクロペンタジエニル化合物；ジメチルシリル（ビスインデニル）ジルコニウムジクロリド、ジメチルシリル（ビスインデニル） ハフニウムジメチル、ジメチルシリルビス（２−メチルベンズインデニル）ジルコニウムジクロリド、ジメチルシリルビス（２−メチルベンズインデニル）ジルコニウムジメチルのような架橋ビスインデニル化合物；及び例えばジフェニルメチル（フルオレニル）（シクロペンタジエニル）ジルコニウムジメチルのようなフルオレニル配位子含有化合物；及び、さらに米国特許第５，０１７，７１４号、第５，３２４，８００号、国際公開 ＷＯ９２／００３３３及び欧州特許第０　５９１　７５６号Ａにリスト及び記載されているようなモノ及びビスシクロペンタジエニル化合物が挙げられる。
【００３７】
本発明に使用されるオレフィン重合触媒として適当な追加の化合物は、配位子の引抜きまたは結合切断によりカチオン触媒に変換されることができ、非配位性または弱配位性であるが、エチレンのようなオレフィン系不飽和分子によって置換される程度に十分不安定である弱配位性アニオンによって安定化され得る３〜１０族化合物のいずれかである。
【００３８】
典型的な化合物は特許文献に記載されたものを含む。国際特許公開ＷＯ９６／２３０１０号、ＷＯ９７／４８７３５号及びＧｉｂｓｏｎらのＣｈｅｍ．Ｃｏｍｍ．，８４９〜８５０頁（１９９８）は、イオン活性を受け、オレフィンを重合させる８〜１０族化合物のジイミン基配位子を開示している。５〜１０族金属由来の重合触媒系であって、活性中心が低配位数、ポリアニオン性、配位子系によって高酸化及び安定化されているものは、米国特許第５，５０２，１２４号及びその分割出願である米国特許第５，５０４，０４９号に記載されている。また、米国特許第５，８５１，９４５号の第５族有機金属触媒化合物、及び同時係属中の１９９９年４月２９日に出願された米国特許出願番号第０９／３０２２４３号及びそれに対応する国際出願番号ＰＣＴ／ＵＳ９９／０９３０６号の三座配位子含有、５〜１０族有機金属触媒も参照されたい。イオン化助触媒で放射化され（ａｃｔｉｖａｂｌｅ）、オレフィン及びビニル極性分子にとって有用な、１１族触媒前駆体化合物は国際公開ＷＯ９９／３０８２２号及び１９９７年１２月１６日に出願された米国特許出願番号第０８／９９１，１６０号を含むその優先権書類に記載及び例示されている。
【００３９】
米国特許第５，３１８，９３５号は架橋及び非架橋の、α−オレフィン重合が可能な４族金属のビスアミド触媒化合物について記載している。オレフィン重合のための架橋ビス（アリールアミド）４族化合物は、Ｄ．Ｈ．ＭｃＣｏｎｖｉｌｌｅらのＯｒｇａｎｏｍｅｔａｌｌｉｃｓ　１９９５、１４、５４７８−５４８０に記載されている。合成方法及び化合物の特徴が示されている。さらに、Ｄ．Ｈ．ＭｃＣｏｎｖｉｌｌｅらのＭａｃｒｏｍｏｌｅｃｕｌｅｓ　１９９６、２９、５２４１−５２４３に示される研究に、１−ヘキセンのための重合触媒である架橋ビス（アリールアミド）４族化合物が記載されている。さらに、本発明の適当な遷移金属化合物は国際公開ＷＯ９６／４０８０５号に記載される化合物を含む。カチオン性３族またはランタニド金属オレフィン重合錯体は、１９９９年９月２９日に出願された同時係属中の米国特許出願番号第０９／４０８０５０号及びそれに対応する国際出願番号ＰＣＴ／ＵＳ９９／２２６９０号に開示されている。モノアニオン性二座配位子及び２つのモノアニオン性配位子はこれらの触媒前駆体を安定化させ、本発明のイオン助触媒を用いて活性化できる。さらに、これらの化合物は“Ｌｉｖｉｎｇ　Ｐｏｌｙｍｅｒｉｚａｔｉｏｎ　ｏｆ　α−Ｏｌｅｆｉｎｓ　ｂｙ　Ｃｈｅｌａｔｉｎｇ　Ｄｉａｍｉｄｅ　Ｃｏｍｐｌｅｘｅｓ　ｏｆ　Ｔｉｔａｎｉｕｍ”、Ｊ．Ａｍ．Ｃｈｅｍ．Ｓｏｃ．，１９９６、１１８、１０００８にも開示されている。
【００４０】
ビスアミド触媒前駆体は本発明の助触媒と用いると有用である。ビスアミド触媒前駆体は下記の式を有する該前駆体である：
【００４１】
【化６】
2004513193.tif 000007
【００４２】
ＭはＴｉ、ＺｒまたはＨｆである。Ｒは同じまたは異なるアルキル、アリール、置換アルキルまたは置換アリールである。Ｘは同じまたは異なるアルキル、アリールまたはハロゲン化物である。
【００４３】
置換アルキル及びアリールはアルキル−、アリール−、及びハロ置換体となり得る。Ｘがハロゲン化物である場合、ビスアミド触媒前駆体はまず、Ｘを引抜き配位子に変化させるために化学的に修飾されなければない。これは、例えばアルキル化によって達成することができる。
【００４４】
また、ピリジンビスアミド触媒前駆体も本発明の助触媒と用いると有用である。ピリジンビスアミド触媒前駆体は下記の式を有する該前駆体である。
【００４５】
【化７】
2004513193.tif 000008
【００４６】
ＭはＴｉ、ＺｒまたはＨｆである。Ｒは同じまたは異なるアルキル、アリール、置換アルキルまたは置換アリールである。Ｘは同じまたは異なるアルキル、アリールまたはハロゲン化物である。
【００４７】
置換アルキル及びアリールはアルキル−、アリール−、及びハロ置換体となり得る。Ｘがハロゲン化物である場合、ピリジンビスアミド触媒前駆体はまず、Ｘを引抜き配位子に変化させるために化学的に修飾されなければない。これは、例えばアルキル化によって達成することができる。
【００４８】
さらに、アミンビスアミド触媒前駆体も本発明の助触媒と用いると有用である。アミンビスアミド触媒前駆体は下記の式を有する該前駆体である。
【００４９】
【化８】
2004513193.tif 000009
【００５０】
ＭはＴｉ、ＺｒまたはＨｆである。Ｒ及びＲ’は同じまたは異なるアルキル、アリール、置換アルキルまたは置換アリールである。Ｘは同じまたは異なるアルキル、アリールまたはハロゲン化物である。
【００５１】
置換アルキル及びアリールはアルキル−、アリール−、及びハロ置換体となり得る。Ｘがハロゲン化物である場合、アミンビスアミド触媒前駆体はまず、Ｘを引抜き配位子に変化させるために化学的に修飾されなければない。これは、例えばアルキル化によって達成することができる。
【００５２】
前記文献は適当な触媒前駆体化合物の多くの追加の記載を含む。引抜き配位子を含む化合物またはアルキル化して引抜き配位子を含むことができる化合物は本発明の実施に適している。例えば、Ｖ．Ｃ．Ｇｉｂｓｏｎ，ら；“Ｔｈｅ　Ｓｅａｒｃｈ　ｆｏｒ　Ｎｅｗ−Ｇｅｎｅｒａｔｉｏｎ　Ｏｌｅｆｉｎ　Ｐｏｌｙｍｅｒｉｚａｔｉｏｎ　Ｃａｔａｌｙｓｔｓ：Ｌｉｆｅ　Ｂｅｙｏｎｄ　Ｍｅｔａｌｌｏｃｅｎｅｓ”、Ａｎｇｅｗ．Ｃｈｅｍ．Ｉｎｔ．Ｅｄ．、３８、４２８−４４７（１９９９）を参照されたい。
【００５３】
上記触媒を使用する際、該触媒系は反応環境から極性不純物を取り除き、触媒活性を増加させるために、通常１つ以上のスカベンジャー剤を使用する。いずれの反応成分、特に溶媒、モノマー及び触媒供給流路（ｆｅｅｄｓｔｒｅａｍｓ）は何らかの事情で不純物を取り込み、触媒活性及び安定性に悪影響を及ぼす。不純物は、特にイオン化アニオン活性化触媒系を用いた際、触媒活性を低下または失わせる。極性不純物または触媒毒は、水、酸素、金属不純物等を含む。通常、これらの不純物は、反応容器にそれらが加えられる前に供給流路内から除去または低減される。不純物は化合物に化学的処理を施すことにより、または不純物分離工程を踏むことにより除去できる。このような処理または分離は化合物の合成の間または後で行うことができる。いずれの場合においても、重合工程では通常微量のスカベンジャー剤を用いる。一般的に、これらのスカベンジャーは、米国特許第５，１５３，１５７号、第５，２４１，０２５号及び国際公開ＷＯ９１／０９８８２号Ａ、ＷＯ９４／０３５０６号Ａ、ＷＯ９３／１４１３２号Ａ及びＷＯ９５／０７９４１号の第１３族化合物のような有機金属である。典型的な化合物の例としては、トリエチルアルミニウム、トリエチルボラン、トリイソブチルアルミニウム、メチルアルモキサン及びイソブチルアルモキサンがある。金属または半金属中心に結合したバルクまたはＣ６−Ｃ２０直鎖ヒドロカルビル置換を持つこれらの化合物は、活性触媒により弱く配位するので有用である。例としては、トリエチルアルミニウムが挙げられるが、より好ましくはトリイソブチルアルミニウム、トリイソピレニルアルミニウム及びトリ−ｎ−ヘキシルアルミニウム、トリ−ｎ−オクチルアルミニウム若しくはトリ−ｎ−ドデシルアルミニウムのような長鎖、直鎖アルキル置換アルミニウム化合物のようなバルク化合物である。アルモキサンを活性剤として使用する場合、触媒を活性させるために必要な量を超えた過剰分はスカベンジャーとして振る舞うことができ、追加の有機金属スカベンジャーは不要である。また、アルモキサンは他の活性剤と一緒に用いてスカベンジャーとして使用することもでき、例えばホウ素基活性剤と一緒に用いるメチルアルモキサン及びトリイソブチルアルモキサンである。スカベンジャーの量は、過剰分は触媒毒として振舞う可能性があるので、活性を高めるために効果的な量に制限される（そして、二つの役割で使用する際、活性のために必要な量で）。
【００５４】
本発明の触媒系は、従来はメタロセンを用いて重合可能であるとして認識されていた不飽和分子を重合することができる。代表的な条件としては溶液、スラリー、気相及び高圧重合が挙げられる。触媒は、無機またはポリマー担体（無機酸化物担体を含む）上で担持されていてもよく、そのようなものは特に単一、直列または並列反応器で行われる固定層、移動層、流動層、スラリーまたは溶解工程を用いる操作方法において有用である。また、本発明の助触媒は触媒プレ重合において機能することもできる。国際公開ＷＯ９８／５５５１８号は、気相またはスラリー重合のための本発明の好ましい担持方法について記載している。
【００５５】
別の重合の実施形態においては、液相（溶液、スラリー、懸濁液、バルク相またはそれらの組合わせ）中、高圧液体または超臨界流動相、または気相中において本触媒系を使用する。また、これらの工程は単一、並列または直列の反応器中においても用いられる。液体工程は、適当な希釈剤または溶媒中で上述の触媒系とオレフィン分子とを接触させる工程及びこれらの分子を十分に長い時間反応させて本発明のポリマーを生成する工程を含む。ポリマーの語は、ホモ−及びコポリマーの両方を包含する。脂肪族及び芳香族ヒドロカルビル溶媒は両方とも適している。例えば、ヘキサンである。バルク及びスラリー工程では、担持触媒は通常液体モノマースラリーと接触する。気相工程では担持触媒を使用し、適当なエチレン重合工程のいずれも使用する。米国特許第４，５４３，３９９号、第４，５８８，７９０号、第５，０２８，６７０号、第５，３８２，６３８号、第５，３５２，７４９号、第５，４０８，０１７号、第５，４３６，３０４号、第５，４５３，４７１号及び第５，４６３，９９９号、第５，７６７，２０８号及び国際公開ＷＯ９５／０７９４２号に具体例が示されている。
【００５６】
いくつかの実施形態においては最低温度を６０℃に選択しているが、最低反応温度は４０℃である。温度は２５０℃まで高くすることができるが、いくつかの実施形態では２２０℃までの温度を採用する。最低反応圧力は１ｍｍＨｇである。しかし、いくつかの実施形態においては、最低圧力は０．１ｂａｒまたは１．０ｂａｒを選択する。最高圧力は２５００ｂａｒ以下である。いくつかの実施形態では最高圧力は１６００を選択し、他の実施形態では最高圧力は５００ｂａｒを選択する。
【００５７】
本発明の触媒は、高分子量及び超高分子量ポリエチレンを含むいくつかの直鎖ポリエチレン型や、例えばＣ３−Ｃ２０オレフィン、ジオレフィンまたは環状オレフィンのような、その他のα−オレフィンまたはα−オレフィン系または非共役ジオレフィンのホモ−及びコポリマーを含む直鎖ポリエチレン型を生成することができる。ポリエチレンは、ヘキサンまたはトルエンのような溶媒でスラリーにした本発明の活性触媒と共に、低圧反応容器（通常５０ｂａｒ未満）へエチレン及び任意で１つ以上のその他のモノマーを加えることにより生成される。温度は、通常４０〜２５０℃以内の範囲である。冷却して重合熱を除去する。気相重合を行うこともでき、例えば少なくとも２０００ｋＰａ、かつ３０００ｋＰａ以下で操作する連続流動層、気相反応器中である。最低温度は６０℃である；最高温度は１６０℃である。気相反応では、水素を重合反応調整剤として少なくとも１００ＰＰＭの濃度で用いる。水素ガス濃度は２００ＰＰＭを越えるべきではない。該反応ではＣ４−Ｃ８コモノマー供給流路及びＣ２供給流路使用する。Ｃ４−Ｃ８供給流路では０．５ｍｏｌ％まで下がり、さらに１．２ｍｏｌ％にまで上がる。最終的に、Ｃ２供給流路の最低濃度は２５ｍｏｌ％であり、最高濃度は３５ｍｏｌ％である。米国特許第４，５４３，３９９号、第４，５８８，７９０号、第５，０２８，６７０号及び第５，４０５，９２２号及び第５，４６２，９９９号を参照されたい。
【００５８】
高分子量、低結晶性、エチレン−α−オレフィンエラストマー（エチレン環状オレフィン及びエチレン−α−オレフィン−ジオレフィンエラストマーを含む）は、従来の溶解工程下で本発明の活性剤により、またはα−オレフィン、環状オレフィンまたはそのいずれか若しくはその他の重合可能及び重合可能でない希釈剤の両方の混合物と本発明の触媒とのスラリーにエチレンを取り込むことにより、活性化された触媒を用いて調整できる。一般的なエチレン圧力は１０〜１０００ｐｓｉｇ（６９〜６８９５ｋＰａ）の範囲であり、希釈剤温度は、一般的に４０〜１６０℃内にとどまる。該工程は１つ以上の反応攪拌槽ないで起こることができ、それぞれ直列または並列に操作する。米国特許第５，００１，２０５号の概要の記載は、一般的な工程条件を示している。さらに、国際公開ＷＯ９６／３３２２７号及びＷＯ９７／２２６３９号も参照されたい。
【００５９】
上記の具体的記載に加えて、その他の分子は、本発明の活性剤によって活性化した触媒前駆体を用いて重合できる。これらのいくつかの実施形態では、スチレン、アルキル置換スチレン、イソブチレン及びその他のジェミナルな２基置換オレフィン、エチリデンノルボルネン、ノルボルナジエン、ジシクロペンタジエン、及びシクロペンテン、ノルボルネン、アルキル置換ノルボルネンのような他の環状オレフィンを含むその他のオレフィン系不飽和分子、及びビニル極性の、重合可能な分子が挙げられる。例えば、米国特許第５，６３５，５７３号、第５，７６３，５５６号及び国際公開ＷＯ９９／３０８２２号を参照されたい。さらに、モノマー単位が１０００までまたはそれより大きいα−オレフィンマクロマーは分枝オレフィンポリマーを生じて共重合できる。さらに、オリゴメリゼーション、二量化、水素化、オレフィン／炭素一酸化共重合、ヒドロフォーミュレーション（ｈｙｄｒｏｆｏｒｍｕｌａｔｉｏｎ）、ヒドロシレーション（ｈｙｄｒｏｓｉｌａｔｉｏｎ）、ヒドロアミノ化及び関連する反応のための活性化カチオン触媒は、本発明の助触媒を用いて活性できる。
【００６０】
本発明の助触媒は個々の触媒を活性化でき、またはポリマーブレンドのための触媒混合物を活性化できる。熟練したモノマー及び触媒の選択により、個々の触媒組成物の使用した場合に対するポリマーブレンド類似体を得ることができる。増加した分子量分布（ＭＷＤ）を（改良された工程で）有するポリマー及びその他の混合触媒系ポリマーから得られる有用なポリマーは本発明の助触媒を用いて達成できる。
【００６１】
ブレンドポリマー構造は、機械的ブレンドを通じて人為的（ｅｘ　ｓｉｔｕ）に達成でき、または混合触媒系の使用を通じて自然条件下（ｉｎ　ｓｉｔｕ）で達成できる。一般的に、ｉｎ　ｓｉｔｕブレンドはより均質な生成物を提供し、１回の工程によるブレンドの生成を可能にする。混合触媒系を用いたｉｎ　ｓｉｔｕブレンドは、多様で、別個のポリマー生成物を同時に生じるために、同じ反応器内で１つより多くの触媒の混合を必要とする。この方法は追加の触媒合成を必要とし、様々な触媒成分はそれらの活性、特定の条件で発生するポリマー生成物、及び重合条件によって変化するそれらの反応に適合しなければならない。本発明の助触媒は混合触媒系を活性化させることができる。
【００６２】
本発明の範囲内における典型的な助触媒の実施形態
典型的なボロン基両性助触媒活性剤
［（（メチル（トリエチルシリル）））（メチル（トリエチルシリル））アンモニウム］＋−テトラフルオロインデニル−［（パーフルオロビフェニル（パーフルオロインデニル）（パーフルオロフルオレニル）ボラート］−；［（（メチル（トリエチルシリル）））（メチル）アンモニウム］＋−２，４−ジフルオロフェニル−［（パーフルオロピレニル（パーフルオロインデニル）（２，３，５−トリフルオロフェニル）ボラート］−；［（（メチル（トリエチルシリル）））（エチル）ホスホニウム］＋−パーフルオロビフェニル−［（パーフルオロフルオレニル（パーフルオロフェニル）（３，４−ジフルオロフェニル）ボラート］−； ；［（（メチル（トリエチルシリル）））（エチル（トリエチルシリル））ホスホニウム］＋−テトラフルオロインデニル−［（パーフルオロフルオレニル（テトラフルオロナフチル２，４−ジフルオロフェニル）ボラート］−；［（（メチル（トリエチルシリル）））（パーフルオロプロピル）アンモニウム］＋−２，４−ジフルオロフェニル−［（パーフルオロフルオレニル（パーフルオロナフチルペンタフルオロナフチル）ボラート］−；［（（メチル（トリエチルシリル）））（エチル（トリメチルシリル））アンモニウム］＋−２，３−ジフルオロフェニル−［（パーフルオロピレニル（ペンタフルオロナフチル）（パーフルオロフェニル）ボラート］−；［（（メチル（トリエチルシリル）））（イソペンチル）アンモニウム］＋−パーフルオロビフェニル−［（パーフルオロフェニル（２，４−ジフルオロフェニル）（３，４−ジフルオロフェニル）ボラート］−；［（（メチル（トリエチルシリル）））（イソヘキシル）アンモニウム］＋−テトラフルオロインデニル−［（パーフルオロビフェニル（テトラフルオロインデニル）（パーフルオロナフチル）ボラート］−；［（（メチル（トリエチルシリル）））（１，６−ジフルオロヘキシル）アンモニウム］＋−パーフルオロインデニル−［（パーフルオロフェニル（パーフルオロナフチル）（パーフルオロピレニル）ボラート］−；［（（メチル（トリエチルシリル）））（メチル（トリエチルシリル））アンモニウム］＋−ペンタフルオロフルオレニル−［（テトラフルオロナフチル（パーフルオロビフェニル）（パーフルオロフルオレニル）ボラート］−； ；［（（メチル（トリエチルシリル）））（オクチル）ホスホニウム］＋−２，３，４−トリフルオロフェニル−［ビス（２，４−ジフルオロフェニル）（２，５−ジフルオロフェニル）ボラート］−；［（１，２−ジフルオロヘキシル）（３−メチルペンチル）ホスホニウム］＋−テトラフルオロインデニル−［（テトラフルオロナフチル（３，４−ジフルオロフェニル）（２，３−ジフルオロフェニル）ボラート］−；［（１，２−ジフルオロヘキシル）（メチル（トリメチルシリル））ホスホニウム］＋−パーフルオロインデニル−［（テトラフルオロインデニル（パーフルオロピレニル）（ペンタフルオロナフチル）ボラート］−；［（１，２−ジフルオロヘキシル）（メチル（トリエチルシリル））アンモニウム］＋−２，５−ジフルオロフェニル−［（２，３−ジフルオロフェニル（パーフルオロインデニル）（パーフルオロフルオレニル）���ラート］−；［（１，２−ジフルオロヘキシル）（パーフルオロブチル）ホスホニウム］＋−２，５−ジフルオロフェニル−［（２，３，４−トリフルオロフェニル（２，３−ジフルオロフェニル）（テトラフルオロインデニル）ボラート］−；［（１，２−ジフルオロヘキシル）（エチル）アルソニウム］＋−２，３，５−トリフルオロフェニル−［（パーフルオロインデニル（パーフルオロフルオレニル）（２，３，５−トリフルオロフェニル）ボラート］−；［（１，２−ジフルオロヘキシル）（エチル（トリメチルシリル））アンモニウム］＋−テトラフルオロナフチル−［ビス（パーフルオロフルオレニル）（テトラフルオロインデニル）ボラート］−；［（１，２−ジフルオロヘキシル）（フェニル）アンモニウム］＋−パーフルオロインデニル−［（パーフルオロフルオレニル（パーフルオロナフチル）（トリフルオロインデニル）ボラート］−；［（１，２−ジフルオロヘキシル）（エチル）アンモニウム］＋−パーフルオロナフチル−［（パーフルオロビフェニル（２，４−ジフルオロフェニル）（パーフルオロフルオレニル）ボラート］−；［（１，２−ジフルオロヘキシル）（パーフルオロペンチル）アンモニウム］＋−パーフルオロピレニル−［（パーフルオロピレニル（２，４−ジフルオロフェニル）（パーフルオロフルオレニル）ボラート］−；［（１，２−ジフルオロヘキシル）（メチル（トリメチルシリル））アンモニウム］＋−パーフルオロナフチル−［（パーフルオロナフチル（ペンタフルオロフルオレニル）（２，３，４−トリフルオロフェニル）ボラート］−；［（１，６−ジフルオロヘキシル）（パーフルオロヘキシル）アルソニウム］＋−パーフルオロビフェニル−［（テトラフルオロインデニル（トリフルオロインデニル）（パーフルオロビフェニル）ボラート］−；［（１，６−ジフルオロヘキシル）（パーフルオロヘプチル）アンモニウム］＋−トリフルオロインデニル−［ビス（ペンタフルオロナフチル）（テトラフルオロインデニル）ボラート］ −；［（１，６−ジフルオロヘキシル）（パーフルオロイソプロピル）アンモニウム］＋−２，３，５−トリフルオロフェニル−［（テトラフルオロナフチル（パーフルオロナフチル）（２，３，５−トリフルオロフェニル）ボラート］−；［（１，６−ジフルオロヘキシル）（３−メチルペンチル）アンモニウム］＋−２，３，５−トリフルオロフェニル−［ビス（パーフルオロインデニル）（３，４−ジフルオロフェニル）ボラート］−；［（１，６−ジフルオロヘキシル）（エチル（トリメチルシリル））アンモニウム］＋−パーフルオロフルオレニル−［（パーフルオロビフェニル（パーフルオロインデニル）（テトラフルオロインデニル）ボラート］−；［（１，６−ジフルオロヘキシル）（ブチル）アンモニウム］＋−パーフルオロビフェニル−［ビス（テトラフルオロナフチル）（２，４−ジフルオロフェニル）ボラート］−；［（１，６−ジフルオロヘキシル）（パーフルオロメチル）アンモニウム］＋−２，４−ジフルオロフェニル−［（パーフルオロインデニル（パーフルオロピレニル）（パーフルオロビフェニル）ボラート］−； ；［（１，６−ジフルオロヘキシル）（メチル（トリメチルシリル））��スホニウム］＋−パーフルオロナフチル−［（パーフルオロインデニル（パーフルオロビフェニル）（トリフルオロインデニル）ボラート］−；［（１，６−ジフルオロヘキシル）（エチル（トリメチルシリル））アンモニウム］＋−２，３−ジフルオロフェニル−［（ペンタフルオロフルオレニル（２，３，４−トリフルオロフェニル）（パーフルオロナフチル）ボラート］−；［（１，６−ジフルオロヘキシル）（１，２−ジフルオロヘキシル）アンモニウム］＋−ペンタフルオロナフチル−［（パーフルオロナフチル（パーフルオロフェニル）（パーフルオロピレニル）ボラート］−；［（１，６−ジフルオロヘキシル）（エチル（トリメチルシリル））アンモニウム］＋−パーフルオロナフチル−［（２，３，４−トリフルオロフェニル（パーフルオロビフェニル）（パーフルオロフルオレニル）ボラート］−；［（１，６−ジフルオロヘキシル）（イソヘキシル）アンモニウム］＋−パーフルオロインデニル−［（パーフルオロビフェニル（パーフルオロナフチル）（パーフルオロピレニル）ボラート］−；［（１，６−ジフルオロヘキシル）（エチル（トリエチルシリル））アンモニウム］＋−パーフルオロフルオレニル−［（パーフルオロビフェニル（パーフルオロフェニル）（パーフルオロインデニル）ボラート］−； ；［（１，６−ジフルオロヘキシル）（メチル（トリメチルシリル））アンモニウム］＋−パーフルオロナフチル−［（パーフルオロビフェニル（パーフルオロフルオレニル）（パーフルオロインデニル）ボラート］−；［（２，３，４，５−テトラフルオロフェニル）（ヘキシル）ホスホニウム］＋−２，３−ジフルオロフェニル−［ビス（パーフルオロインデニル）（２，４−ジフルオロフェニル）ボラート］−；［（２，３，４，５−テトラフルオロフェニル）（パーフルオロフェニル）ホスホニウム］＋−テトラフルオロナフチル−［（パーフルオロビフェニル（パーフルオロインデニル）（パーフルオロフルオレニル）ボラート］−；
［（２，３，４，５−テトラフルオロフェニル）（エチル（トリエチルシリル））アンモニウム］＋−パーフルオロナフチル−［（ペンタフルオロナフチル（３，４−ジフルオロフェニル）（２，４−ジフルオロフェニル）ボラート］−；［（２，３，４，５−テトラフルオロフェニル）（パーフルオロエチル）アンモニウム］＋−パーフルオロフルオレニル−［（パーフルオロナフチル（パーフルオロビフェニル）（２，３，５−トリフルオロフェニル）ボラート］−；［（２，３，４，５−テトラフルオロフェニル）（パーフルオロ−ｔ−ブチル）ホスホニウム］＋−パーフルオロビフェニル−［（パーフルオロナフチル（２，４−ジフルオロフェニル）（パーフルオロフェニル）ボラート］−；［（２，３，４，５−テトラフルオロフェニル）（メチル（トリメチルシリル））アンモニウム］＋−パーフルオロフルオレニル−［（２，３−ジフルオロフェニル（パーフルオロインデニル）（パーフルオロフェニル）ボラート］−；［（２，３，４，５−テトラフルオロフェニル）（プロピル）アンモニウム］＋−トリフルオロインデニル−［（テトラフルオロインデニル（テトラフルオロナフチル）（パーフルオロフェニル）ボラート］−；［（２，３，４，５−テトラフルオロフェニル）（１，２−ジフルオロヘキシル）ホスホニウム］＋−テトラフルオロナフチル−［（パーフルオロフルオレニル（パーフルオロインデニル）（トリフルオロインデニル）ボラート］−；［（２，３，４，５−テトラフルオロフェニル）（１，２−ジフルオロヘキシル）アンモニウム］＋−パーフルオロフェニル−［ビス（パーフルオロビフェニル）（２，５−ジフルオロフェニル）ボラート］−；［（２，３，４，５−テトラフルオロフェニル）（パーフルオロペンチル）アンモニウム］＋−パーフルオロフェニル−［（３，４−ジフルオロフェニル（トリフルオロインデニル）（パーフルオロピレニル）ボラート］−；［（２，３，４，５−テトラフルオロフェニル）（パーフルオロオクチル）アンモニウム］＋−２，３−ジフルオロフェニル−［ビス（パーフルオロインデニル）（３，４−ジフルオロフェニル）ボラート］−；［（２，３，４，５−テトラフルオロフェニル）（パーフルオロヘプチル）アンモニウム］＋−パーフルオロビフェニル−［（パーフルオロインデニル（２，５−ジフルオロフェニル）（パーフルオロビフェニル）ボラート］−；［（２，３，５−トリフルオロフェニル）（メチル（トリメチルシリル））アンモニウム］＋−パーフルオロフルオレニル−［ビス（パーフルオロナフチル）（パーフルオロビフェニル）ボラート］−；［（２，３，５−トリフルオロフェニル）（メチル（トリエチルシリル））アンモニウム］＋−トリフルオロインデニル−［（テトラフルオロインデニル（２，５−ジフルオロフェニル）（パーフルオロナフチル）ボラート］−；［（２，３，５−トリフルオロフェニル）（パーフルオロブチル）アンモニウム］＋−パーフルオロインデニル−［ビス（パーフルオロナフチル）（３，４−ジフルオロフェニル）ボラート］−；［（２，３，５−トリフルオロフェニル）（３−メチルペンチル）アンモニウム］＋−２，４−ジフルオロフェニル−［（テトラフルオロナフチル（２，５−ジフルオロフェニル）（パーフルオロインデニル）ボラート］−；［（２，３，５−トリフルオロフェニル）（パーフルオロオクチル）ホスホニウム］＋−パーフルオロフェニル−［（パーフルオロビフェニル（パーフルオロインデニル）（パーフルオロナフチル）ボラート］−；［（２，３，５−トリフルオロフェニル）（１，２−ジフルオロヘキシル）ホスホニウム］＋−３，４−ジフルオロフェニル−［（２，３，５−トリフルオロフェニル（パーフルオロビフェニル）（２，４−ジフルオロフェニル）ボラート］−；［（２，３，５−トリフルオロフェニル）（エチル（トリエチルシリル））アルソニウム］＋−パーフルオロピレニル−［（２，５−ジフルオロフェニル（パーフルオロフルオレニル）（テトラフルオロインデニル）ボラート］−；［（２，３，６，７−テトラフルオロオクチル）（メチル）ホスホニウム］＋−３，４−ジフルオロフェニル−［ビス（パーフルオロナフチル）（２，５−ジフルオロフェニル）ボラート］−；［（２，３，６，７−テトラフルオロオクチル）（（メチル（トリエチルシリル）））アルソニウム］＋−３，４−ジフルオロフェニル−［（パーフルオロフェニル（パーフルオロインデニル）（パーフルオロナフチル）ボラート］−；［（２，３，６，７−テトラフルオロオクチル）（パーフルオロイソペンチル）アルソニウム］＋−テトラフルオロナフチル−［（２，４−ジフルオロフェニル（２，３−ジフルオロフェニル）（パーフルオロフルオレニル）ボラート］−；［（２，３，６，７−テトラフルオロオクチル）（パーフルオロイソペンチル）アルソニウム］＋−パーフルオロフェニル−［（パーフルオロナフチル（パーフルオロフルオレニル）（テトラフルオロインデニル）ボラート］−；［（２，３，６，７−テトラフルオロオクチル）（２，３，４，５−テトラフルオロフェニル）ホスホニウム］＋−２，４−ジフルオロフェニル−［（２，４−ジフルオロフェニル（パーフルオロフェニル）（パーフルオロフルオレニル）ボラート］−；［（２，３，６，７−テトラフルオロオクチル）（ヘプチル）ホスホニウム］＋−パーフルオロインデニル−［（２，５−ジフルオロフェニル（パーフルオロナフチル）（テトラフルオロインデニル）ボラート］−；［（２，３，６，７−テトラフルオロオクチル）（イソペンチル）アンモニウム］＋−パーフルオロフェニル−［（パーフルオロフルオレニル（２，４，−ジフルオロフェニル）（パーフルオロフェニル）ボラート］−；［（２，３，６，７−テトラフルオロオクチル）（パーフルオロメチル）アンモニウム］＋−ペンタフルオロフルオレニル−［（パーフルオロピレニル（２，５−ジフルオロフェニル）（パーフルオロナフチル）ボラート］−；［（２，３，６，７−テトラフルオロオクチル）（パーフルオロイソペンチル）ホスホニウム］＋−２，３−ジフルオロフェニル−［ビス（パーフルオロフェニル）（２，３−ジフルオロフェニル）ボラート］−；［（２，３，６，７−テトラフルオロオクチル）（パーフルオロイソペンチル）アンモニウム］＋−−パーフルオロビフェニル−［（パーフルオロインデニル（２，３，４−トリフルオロフェニル）（パーフルオロフェニル）ボラート］−；［（２，３，６，７−テトラフルオロオクチル）（パーフルオロブチル）アンモニウム］＋−パーフルオロフェニル−［（パーフルオロフルオレニル（２，５−ジフルオロフェニル）（パーフルオロビフェニル）ボラート］−；［（２，３，６，７−テトラフルオロオクチル）（１，２−ジフルオロヘキシル）アンモニウム］＋−トリフルオロインデニル−［（２，５−ジフルオロフェニル（２，４−ジフルオロフェニル）（パーフルオロナフチル）ボラート］−； ；［（２，３，６，７−テトラフルオロオクチル）（フェニル）ホスホニウム］＋−２，３，５−トリフルオロフェニル−［ビス（パーフルオロナフチル）（パーフルオロフルオレニル）ボラート］−；［（２，３，６，７−テトラフルオロオクチル）（パーフルオロヘプチル）アンモニウム］＋−テトラフルオロナフチル−［（パーフルオロインデニル（２，３−ジフルオロフェニル）（パーフルオロフルオレニル）ボラート］−；［（３−メチルペンチル）（エチル（トリエチルシリル））アルソニウム］＋−パーフルオロビフェニル−［（２，３，５−トリフルオロフェニル（２，３，４−トリフルオロフェニル）（パーフルオロインデニル）ボラート］−；［（３−メチルペンチル）（パーフルオロオクチル）ホスホニウム］＋−２，４−ジフルオロフェニル−［ビス（パーフルオロビフェニル）（２，３−ジフルオロフェニル）ボラート］−；［（３−メチルペンチル）（パーフルオロプロピル）アンモニウム］＋−パーフルオロフルオレニル−［（２，３，５−トリフルオロフェニル（パーフルオロナフチル）（ペンタフルオロフルオレニル）ボラート］−；［（３−メチルペンチル）イソヘキシル）ホスホニウム］＋−パーフルオロインデニル−［トリス（パーフルオロフルオレニル）ボラート］−；［（３−メチルペンチル）（エチル（トリメチルシリル））アルソニウム］＋−２，３，４−トリフルオロフェニル−［（パーフルオロインデニル（パーフルオロフェニル）（パーフルオロフルオレニル）ボラート］−；［（３−メチルペンチル）（パーフルオロプロピル）アンモニウム］＋−パーフルオロビフェニル−［（パーフルオロフルオレニル（パーフルオロインデニル）（ペンタフルオロナフチル）ボラート］−；［（３−メチルペンチル）（イソペンチル）アンモニウム］＋−パーフルオロフルオレニル−［ビス（パーフルオロナフチル）（トリフルオロインデニル）ボラート］−；［（３−メチルペンチル）（１，６−ジフルオロヘキシル）ホスホニウム］＋−パーフルオロフェニル−［（ペンタフルオロフルオレニル（パーフルオロフルオレニル）（パーフルオロフェニル）ボラート］−；［（３−メチルペンチル）（パーフルオロヘキシル）アンモニウム］＋−パーフルオロインデニル−［（トリフルオロインデニル（パーフルオロナフチル）（テトラフルオロインデニル）ボラート］−；［（３−メチルペンチル）（ｔ−ブチル）アンモニウム］＋−パーフルオロインデニル−［（トリフルオロインデニル（テトラフルオロインデニル）（パーフルオロビフェニル）ボラート］−；［（３−メチルペンチル）（パーフルオロヘプチル）アンモニウム］＋−パーフルオロフルオレニル−［ビス（パーフルオロフェニル）（パーフルオロイ��デニル）ボラート］−；［（３−メチルペンチル）（パーフルオロペンチル）ホスホニウム］＋−２，３，５−トリフルオロフェニル−［ビス（パーフルオロビフェニル）（パーフルオロフェニル）ボラート］−；［（３−メチルペンチル）（メチル（トリメチルシリル））ホスホニウム］＋−パーフルオロインデニル−［（パーフルオロナフチル（パーフルオロピレニル）（２，５−ジフルオロフェニル）ボラート］−；［（３−メチルペンチル）（パーフルオロヘプチル）アンモニウム］＋−パーフルオロビフェニル−［（パーフルオロナフチル（ペンタフルオロナフチル）（２，３，４−トリフルオロフェニル）ボラート］−；［（３−メチルペンチル）（パーフルオロメチル）アンモニウム］＋−２，４−ジフルオロフェニル−［（２，３，４−トリフルオロフェニル（パーフルオロフェニル）（２，５−ジフルオロフェニル）ボラート］−；［（３−メチルペンチル）（イソヘキシル）アンモニウム］＋−パーフルオロビフェニル−［（パーフルオロフェニル（ペンタフルオロナフチル）（２，５−ジフルオロフェニル）ボラート］−；［（３−メチルペンチル）（ヘキシル）アルソニウム］＋−パーフルオロフルオレニル−［ビス（パーフルオロビフェニル）（パーフルオロインデニル）ボラート］−；［（３−メチルペンチル）（パーフルオロエチル）アンモニウム］＋−パーフルオロフェニル−［（ペンタフルオロナフチル（パーフルオロフルオレニル）（パーフルオロフェニル）ボラート］−；［（ブチル）（メチル）ホスホニウム］＋−パーフルオロナフチル−［（パーフルオロピレニル（パーフルオロフルオレニル）（パーフルオロインデニル）ボラート］−；［（ブチル）（パーフルオロメチル）アンモニウム］＋−２，４−ジフルオロフェニル−［（トリフルオロインデニル（パーフルオロフルオレニル）（パーフルオロビフェニル）ボラート］−；［（ブチル）（パーフルオロオクチル）アンモニウム］＋−トリフルオロインデニル−［ビス（パーフルオロフェニル）（パーフルオロインデニル）ボラート］−；［（ブチル）（パーフルオロプロピル）アンモニウム］＋−３，４−ジフルオロフェニル−［（２，５−ジフルオロフェニル（パーフルオロナフチル）（パーフルオロビフェニル）ボラート］−；［（ブチル）（２，３，６，７−テトラフルオロオクチル）アンモニウム］＋−２，３，５−トリフルオロフェニル−［（ペンタフルオロナフチル（ペンタフルオロフルオレニル）（３，４−ジフルオロフェニル）ボラート］−；［（ブチル）（パーフルオロプロピル）アンモニウム］＋−［パーフルオロインデニル−［（パーフルオロビフェニル（パーフルオロナフチル）（パーフルオロフルオレニル）ボラート］−；［（ブチル）（エチル（トリメチルシリル））アンモニウム］＋−トリフルオロインデニル−［（パーフルオロインデニル（パーフルオロビフェニル）（トリフルオロインデニル）ボラート］−；［（ブチル）（イソヘキシル）ホスホニウム］＋−テトラフルオロインデニル−［（２，３，４−トリフルオロフェニル（パーフルオロフルオレニル）（パーフルオロビフェニル）ボラート］−；
［（ブチル）（パーフルオロメエチル）アンモニウム］＋−２，３，４−トリフルオロフェニル−［（２，３，５−トリフルオロフェニル（２，５−ジフルオロフェニル）（パーフルオロビフェニル）ボラート］−； ；［（ブチル）（パーフルオロメチル）アンモニウム］＋−パーフルオロフェニル−［（ペンタフルオロフルオレニル（パーフルオロナフチル）（パーフルオロフェニル）ボラート］−； ；［（ブチル）（ｔ−ブチル）ホスホニウム］＋−パーフルオロビフェニル−［（パーフルオロフェニル（テトラフルオロナフチル）（パーフルオロフルオレニル）ボラート］−；［（メチル）（フェニル）アンモニウム］＋−パーフルオロインデニル−［（２，５−ジフルオロフェニル（ペンタフルオロフルオレニル）（パーフルオロフェニル）ボラート］−； ；［（エチル）（ペンチル）アンモニウム］＋−テトラフルオロインデニル−［ビス（パーフルオロインデニル）（パーフルオロビフェニル）ボラート］−；［（エチル）（１，２−ジフルオロヘキシル）ホスホニウム］＋−テトラフルオロインデニル−［（２，３，５−トリフルオロフェニル（２，５−ジフルオロフェニル）（２，３−ジフルオロフェニル）ボラート］−； ；［（エチル）（パーフルオロイソプロピル）アルソニウム］＋−パーフルオロビフェニル−［（パーフルオロビフェニル（テトラフルオロナフチル）（２，３，４−トリフルオロフェニル）ボラート］−；［（エチル）（オクチル）アンモニウム］＋−２，５−ジフルオロフェニル−［（パーフルオロビフェニル（パーフルオロナフチル）（パーフルオロフルオレニル）ボラート］−；［（エチル）（パーフルオロフェニル）アンモニウム］＋−パーフルオロフルオレニル−［（パーフルオロインデニル（２，３，５−トリフルオロフェニル）（パーフルオロビフェニル）ボラート］−；［（エチル）（ヘキシル）アンモニウム］＋−２，３，４−トリフルオロフェニル−［（パーフルオロビフェニル（パーフルオロナフチル）（パーフルオロピレニル）ボラート］−；（ビス（エチル）アンモニウム］＋−ペンタフルオロフルオレニル−［（パーフルオロナフチル（３，４−ジフルオロフェニル）（２，３，４−トリフルオロフェニル）ボラート］−；［（エチル）（パーフルオロイソプロピル）アンモニウム］＋−ペンタフルオロナフチル−［（パーフルオロフルオレニル（２，５−ジフルオロフェニル）（パーフルオロナフチル）ボラート］−；［（エチル（トリエチルシリル））（メチル（トリメチルシリル））ホスホニウム］＋−パーフルオロビフェニル−［（パーフルオロビフェニル（パーフルオロナフチル）（パーフルオロフルオレニル）ボラート］−；［（エチル（トリエチルシリル））（メチル）アンモニウム］＋−パーフルオロインデニル−［ビス（トリフルオロインデニル）（パーフルオロフェニル）ボラート］−；［（エチル（トリエチルシリル））（１，６−ジフルオロヘキシル）アンモニウム］＋−パーフルオロピレニル−［（パーフルオロビフェニル（パーフルオロフェニル）（テトラフルオロナフチル）ボラート］−；［（エチル（トリエチルシリル））（（メチル（トリエチルシリル）））アンモニウム］＋−パーフルオロインデニル−［ビス（パー��ルオロナフチル）（ペンタフルオロナフチル）ボラート］−；［（エチル（トリエチルシリル））（メチル（トリメチルシリル））アンモニウム］＋−２，４−ジフルオロフェニル−［（２，４−ジフルオロフェニル（テトラフルオロインデニル）（パーフルオロビフェニル）ボラート］−；［（エチル（トリエチルシリル））（イソヘキシル）アルソニウム］＋−トリフルオロインデニル−［（２，３，４−トリフルオロフェニル（パーフルオロピレニル）（テトラフルオロナフチル）ボラート］−；［（エチル（トリエチルシリル））（フェニル）アンモニウム］＋−２，３，４−トリフルオロフェニル−［（２，４−ジフルオロフェニル（パーフルオロナフチル）（２，３，５−トリフルオロフェニル）ボラート］−；［（エチル（トリエチルシリル））（オクチル）アンモニウム］＋−ペンタフルオロフルオレニル−［（２，３，５−トリフルオロフェニル（テトラフルオロナフチル）（パーフルオロナフチル）ボラート］−； ；［（エチル（トリエチルシリル））（イソヘキシル）ホスホニウム］＋− パーフルオロフルオレニル−［（テトラフルオロナフチル（パーフルオロインデニル）（２，３，５−トリフルオロフェニル）ボラート］−；［（エチル（トリエチルシリル））（パーフルオロメチル）アンモニウム］＋−パーフルオロインデニル−［（パーフルオロインデニル）（パーフルオロフェニル）（パーフルオロフルオレニル）ボラート）−；［（エチル（トリエチルシリル））（メチル（トリエチルシリル））アンモニウム］＋−２，３，５−トリフルオロフェニル−［（ペンタフルオロナフチル（パーフルオロインデニル）（ペンタフルオロフルオレニル）ボラート］−；［（エチル（トリエチルシリル））（メチル（トリエチルシリル））アンモニウム］＋−パーフルオロフェニル−［（パーフルオロナフチル（パーフルオロフェニル）（トリフルオロインデニル）ボラート］−；（ビス（エチル（トリエチルシリル））アンモニウム］＋−トリフルオロインデニル−［（パーフルオロビフェニル（パーフルオロフェニル）（２，３−ジフルオロフェニル）ボラート］−；［（エチル（トリエチルシリル））（２，３，４，５−テトラフルオロフェニル）アンモニウム］＋−パーフルオロインデニル−［ビス（パーフルオロピレニル）（テトラフルオロインデニル）ボラート］−；［（エチル（トリエチルシリル））（パーフルオロ−ｔ−ブチル）アンモニウム］＋−パーフルオロインデニル−［（パーフルオロインデニル（パーフルオロビフェニル）（パーフルオロフルオレニル）ボラート］−；［（エチル（トリエチルシリル））（３−メチルペンチル）ホスホニウム］＋−パーフルオロナフチル−［（２，４−ジフルオロフェニル（パーフルオロフルオレニル）（２，３−ジフルオロフェニル）ボラート］−； ；［（エチル（トリメチルシリル））（イソプロピル）アンモニウム］＋−パーフルオロナフチル−［（パーフルオロナフチル（パーフルオロフルオレニル）（トリフルオロインデニル）ボラート］−；［（エチル（トリルエチルシリル）（パーフルオロエチル）アルソニウム］＋−パーフルオロナフチル−［（テトラフルオロナフチル（パーフルオロフルオレニル）（トリフルオロイ��デニル）ボラート］−；［（エチル（トリエチルシリル）（ヘキシル）ホスホニウム］＋−２，３，４−トリフルオロフェニル−［（ペンタフルオロフルオレニル（パーフルオロフェニル）（ペンタフルオロナフチル）ボラート］−；［（エチル（トリエチルシリル））（イソプロピル）ホスホニウム］＋−２，４−ジフルオロフェニル−［（パーフルオロピレニル（テトラフルオロインデニル）（パーフルオロナフチル）ボラート］−；［（エチル（トリエチルシリル））（パーフルオロイソプロピル）アルソニウム］＋−パーフルオロフルオレニル−［（２，３，５−トリフルオロフェニル（ペンタフルオロナフチル）（パーフルオロビフェニル）ボラート］−；［（エチル（トリエチルシリル））（エチルトリメチルシリル））ホスホニウム］＋−パーフルオロフェニル−［（ペンタフルオロナフチル（パーフルオロフルオレイル）（パーフルオロビフェニルボラート］−；［（エチル（トリエチルシリル））（パーフルオロエチル）ホスホニウム］＋−パーフルオロフルオレニル−［（パーフルオロフルオレニル（パーフルオロピレニル）（２，３，５−トリフルオロフェニル）ボラート］−；［（エチル（トリエチルシリル））（エチル（トリメチルシリル）アンモニウム］＋−パーフルオロナフチル−［（パーフルオロフルオレニル（２，３，５−トリフルオロフェニル）（パーフルオロナフチル）ボラート］−； ；［（エチル（トリメチルシリル））（パーフルオロオクチル）ホスホニウム］＋−パーフルオロビフェニル−［（パーフルオロフェニル（パーフルオロナフチル）（トリフルオロインデニル）ボラート］−；［（エチル（トリメチルシリル））（フェニル）アンモニウム］＋−２，５−ジフルオロフェニル−［（パーフルオロフェニル（２，３，５−トリフルオロフェニル）（ペンタフルオロナフチル）ボラート］−；［（エチル（トリメチルシリル））（ブチル）アンモニウム］＋−２，３，５−トリフルオロフェニル−［（パーフルオロフェニル（３，４−ジフルオロフェニル）（パーフルオロビフェニル）ボラート］−；［（エチル（トリメチルシリル））（オクチル）アルソニウム］＋−２，３−ジフルオロフェニル−［（パーフルオロインデニル（パーフルオロフェニル）（パーフルオロナフチル）ボラート］−；［エチル（トリメチルシリル））（メチル（トリメチルシリル））アンモニウム］＋−テトラフルオロインデニル−［（パーフルオロフルオレニル（パーフルオロビフェニル）（パーフルオロフェニル）ボラート］−；［（エチル（トリメチルシリル））（パーフルオロオクチル）ホホニウム］＋−２，３−ジフルオロフェニル−［ビス（パーフルオロフルオレニル）（パーフルオロビフェニル）ボラート］−； ；［（エチル（トリメチルシリル））（パーフルオロイソペンチル）ホスホニウム］＋−パーフルオロフルオレニル−［（テトラフルオロナフチル（２，５−ジフルオロフェニル）（パーフルオロフルオレニル）ボラート］−；［（エチル（トリメチルシリル））（２，３，５−トリフルオロフェニル）アンモニウム］＋−パーフルオロインデニル−［ビス（パーフルオロフェニル）（２，３，５−トリフルオロフェニル）ボラート］−；［（エチル（トリメチルシリル））（パーフルオロ−ｔ−ブチル）アンモニウム］＋−ペンタフルオロナフチル−［ビス（パーフルオロインデニル）（パーフルオロフェニル）ボラート］−；［（エチル（トリメチルシリル））（イソプロピル）アンモニウム］＋−テトラフルオロナフチル−［（テトラフルオロナフチル（パーフルオロフルオレニル）（パーフルオロインデニル）ボラート］−；［（メチル（トリメチルシリル））（エチル）アンモニウム］＋−パーフルオロナフチル−［（パーフルオロビフェニル（２，４−ジフルオロフェニル）（パーフルオロフルオレニル）ボラート］−；［（エチル（トリメチルシリル）（パーフルオロ−ｔ−ブチル）アンモニウム］＋−パーフルオロナフチル−［（３，４−ジフルオロフェニル（パーフルオロフルオレニル）（ペンタフルオロフルオレニル）ボラート］−；［（エチル（トリメチルシリル））（フェニル）ホスホニウム］＋−パーフルオロナフチル−［（２，３，５−トリフルオロフェニル（パーフルオロビフェニル）（パーフルオロピレニル）ボラート］−；［（エチル（トリメチルシリル））（イソヘキシル）アンモニウム］＋−パーフルオロインデニル−［ビス（パーフルオロビフェニル）（パーフルオロフルオレニル）ボラート］−；
（ビス（エチル（トリメチルシリル））アンモニウム］＋−パーフルオロナフチル−［ビス（パーフルオロビフェニル）（２，４−ジフルオロフェニル）ボラート］−；［エチル（トリメチルエチル））（パーフルオロイソプロピル）アンモニウム］＋−３，４−ジフルオロフェニル−［（テトラフルオロインデニル（２，４−ジフルオロフェニル）（２，５−ジフルオロフェニル）ボラート］−；［（エチル（トリメチルシリル））（メチル（トリエチルシリル））アルソニウム］＋−パーフルオロフェニル−［（ペンタフルオロフルオレニル（ペンタフルオロナフチル）（パーフルオロフルオレニル）ボラート］−；［（ヘプチル）（パーフルオロフェニル）アンモニウム］＋−パーフルオロビフェニル−［ビス（２，３，４−トリフルオロフェニル）（パーフルオロフルオレニル）ボラート］−；［（ヘプチル）（パーフルオロプロピル）アンモニウム］＋−トリフルオロインデニル−［（テトラフルオロインデニル（パーフルオロフェニル）（２，３，４−トリフルオロフェニル）ボラート］−；［（ヘプチル）（フェニル）ホスホニウム］＋−パーフルオロフルオレニル−［（パーフルオロフェニル（パーフルオロフルオレニル）（パーフルオロピレニル）ボラート］−；［（ヘプチル）（パーフルオロフェニル）ホスホニウム］＋−パーフルオロナフチル−［（パーフルオロフェニル（パーフルオロナフチル）（パーフルオロビフェニル）ボラート］−；［（ヘプチル）（プロピル）ホスホニウム］＋−パーフルオロナフチル−［（２，３，４−トリフルオロフェニル（３，４−ジフルオロフェニル）（ペンタフルオロフルオレニル）ボラート］−；［（ヘプチル）（メチル（トリエチルシリル））アンモニウム］＋−パーフルオロビフェニル−［（パーフルオロナフチル（ペンタフルオロフルオレニル）（パーフルオロビフェニル）ボラート］−；［（ヘプチル）（３−メチルペンチル）アンモニウム］＋−テトラフルオロナフチル−［（パーフルオロナフチル（ペンタフルオロナフチル）（パーフルオロフルオレニル）ボラート］−；［（ヘプチル）（パーフルオロヘキシル）アンモニウム］＋−パーフルオロナフチル−［（パーフルオロナフチル（トリフルオロインデニル）（パーフルオロインデニル）ボラート］−；［（ヘプチル）（パーフルオロヘキシル）アンモニウム］＋−ペンタフルオロフルオレニル−［ビス（パーフルオロフェニル）（２，３，４−トリフルオロフェニル）ボラート］−；［（ヘプチル）（オクチル）ホスホニウム］＋−パーフルオロインデニル−［（パーフルオロインデニル（２，３，５−トリフルオロフェニル）（パーフルオロフルオレニル）ボラート］−；［（ヘキシル）（パーフルオロイソプロピル）アンモニウム］＋−パーフルオロフルオレニル−［（２，４−ジフルオロフェニル（ペンタフルオロナフチル）（パーフルオロフェニル）ボラート］−；［（ヘキシル）（オクチル）アンモニウム］＋−２，３，４−トリフルオロフェニル−［ビス（パーフルオロフェニル）（２，５−ジフルオロフェニル）ボラート］−；［（ヘキシル）（イソペンチル）アンモニウム］＋−パーフルオロフェニル−［ビス（ペンタフルオロナフチル）（２，３，４−トリフルオロフェニル）ボラート］−；［（ヘキシル）（パーフルオロフェニル）アンモニウム］＋−パーフルオロナフチル−［（パーフルオロナフチル（パーフルオロインデニル）（パーフルオロビフェニル）ボラート］−；［（ヘキシル）（パーフルオロヘプチル）アンモニウム］＋−トリフルオロインデニル−［（パーフルオロフェニル（パーフルオロビフェニル）（パーフルオロピレニル）ボラート］−；［（ヘキシル）（２，３，６，７−テトラフルオロオクチル）アンモニウム］＋−パーフルオロインデニル−［（ペンタフルオロフルオレニル（トリフルオロインデニル）（２，４−ジフルオロフェニル）ボラート］；［（ヘキシル）（イソペンチル）アンモニウム］＋− パーフルオロフェニル−［（３，４−ジフルオロフェニル（パーフルオロビフェニル）（パーフルオロフェニル）ボラート］−；［（イソヘキシル）（パーフルオロフェニル）ホスホニウム］＋−パーフルオロフルオレニル−［（パーフルオロフルオレニル（パーフルオロナフチル）（パーフルオロフェニル）ボラート］−；［（イソヘキシル）（１，６−ジフルオロヘキシル）アルソニウム］＋−パーフルオロピレニル−［（パーフルオロフルオレニル（パーフルオロフェニル）（パーフルオロインデニル）ボラート］−；［（イソヘキシル）（３−メチルペンチル）アンモニウム］＋−パーフルオロフルオレニル−［（パーフルオロフルオレニル（パーフルオロナフチル）（テトラフルオロナフチル）ボラート］− ；［（イソヘキシル）（エチル）アンモニウム］＋−パーフルオロインデニル−［（パーフルオロフェニル（２，３，４−トリフルオロフェニル）（パーフルオロフルオレニル）ボラート］−；［（イソヘキシル）（パーフルオロブチル）ホスホニウム］＋−パーフルオロビフェニル−［（２，５−ジフルオロフェニル（ペンタフルオロナフチル）（２，３−ジフルオロフェニル）ボラート］−；［（イソヘキシル）（２，３，４，５−テトラフルオロフェニル）アンモニウム］＋−パーフルオロフルオレニル−［ビス（パーフルオロナフチル）（パーフルオロフェニル）ボラート］−；［（イソヘキシル）（メチル（トリメチルシリル））アルソニウム］＋−パーフルオロビフェニル−［（テトラフルオロナフチル（パーフルオロフェニル）（パーフルオロピレニル）ボラート］−；［（イソヘキシル）（パーフルオロ−ｔ−ブチル）アンモニウム］＋−ペンタフルオロフルオレニル−［ビス（パーフルオロビフェニル）（２，５−ジフルオロフェニル）ボラート］−；［（イソヘキシル）（パーフルオロエチル）アンモニウム］＋−２，５−ジフルオロフェニル−［（テトラフルオロインデニル（２，３，５−トリフルオロフェニル）（パーフルオロビフェニル）ボラート］−；［ビス（イソヘキシル）アンモニウム］＋−トリフルオロインデニル−［ビス（パーフルオロフルオレニル）（パーフルオロナフチル）ボラート］−；（ビス（イソヘキシル）ホスホニウム］＋−パーフルオロインデニル−［（パーフルオロビフェニル（２，３−ジフルオロフェニル）（パーフルオロインデニル）ボラート］−；［（イソヘキシル）（３−メチルペンチル）アンモニウム］＋−パーフルオロフルオレニル−［（テトラフルオロナフチル（パーフルオロフル���レニル）（パーフルオロフェニル）ボラート］−；［（イソヘキシル）（パーフルオロ−ｔ−ブチル）アンモニウム］＋−パーフルオロインデニル−［（トリフルオロインデニル（パーフルオロフェニル）（ペンタフルオロフルオレニル）ボラート］−；［（イソヘキシル）（ブチル）アンモニウム］＋−パーフルオロインデニル−［（パーフルオロフェニル（トリフルオロインデニル）（２，３−ジフルオロフェニル）ボラート；［（イソヘキシル）（パーフルオロヘキシル）アンモニウム］＋−テトラフルオロインデニル−［ビス（パーフルオロインデニル）（２，５−ジフルオロフェニル）ボラート］−；［（イソヘキシル）（３−メチルペンチル）アルソニウム］−−２，３，５−トリフルオロフェニル−［（パーフルオロピレニル（パーフルオロフェニル）（パーフルオロインデニル）ボラート］−；［（イソヘキシル）（１，２−ジフルオロヘキシル）ホスホニウム］＋−パーフルオロインデニル−［（パーフルオロナフチル（パーフルオロピレニル）（２，３，４−トリフルオロフェニル）ボラート］−；［（イソヘキシル）（２，３，６，７−テトラフルオロオクチル）ホスホニウム］＋−パーフルオロナフチル−［（パーフルオロビフェニル（２，３−ジフルオロフェニル）パーフルオロナフチル）ボラート］−；［（イソヘキシル）（パーフルオロエチル）アンモニウム］＋−トリフルオロインデニル−［（パーフルオロフェニル（テトラフルオロナフチル）（２，３−ジフルオロフェニル）ボラート］−；［（イソヘキシル）（メチル（トリメチルシリル））アンモニウム］＋−テトラフルオロナフチル−［ビス（パーフルオロナフチル）（パーフルオロフルオレニル）ボラート］−；［（イソペンチル）（パーフルオロメチル）アルソニウム］＋−テトラフルオロナフチル−［（パーフルオロナフチル（トリフルオロインデニル）（２，３，５−トリフルオロフェニル）ボラート］−；［（イソペンチル）（パーフルオロプロピル）アンモニウム］＋−２，３，４−トリフルオロフェニル（パーフルオロフルオレニル（パーフルオロフェニル）（パーフルオロナフチル）ボラート］−；［（イソペンチル）（メチル（トリメチルシリル））アンモニウム］＋−パーフルオロナフチル−［ビス（３，４−ジフルオロフェニル）（パーフルオロフルオレニル）ボラート］−；［（イソペンチル）（ブチル）アンモニウム］＋−パーフルオロインデニル−［（テトラフルオロインデニル（パーフルオロナフチル）（パーフルオロフルオレニル）ボラート］−；［ビス（イソペンチル）アンモニウム］＋−パーフルオロナフチル−［（パーフルオロピレニル（パーフルオロビフェニル）（パーフルオロフェニル）ボラート］−；［（イソペンチル）（１，６−ジフルオロヘキシル）アンモニウム］＋−２，３，４−トリフルオロフェニル−［ビス（パーフルオロフェニル）（パーフルオロフルオレニル）ボラート］−；［（イソペンチル）（パーフルオロヘプチル）ホスホニウム］＋−パーフルオロフェニル−［（ペンタフルオロナフチル（２，４−ジフルオロフェニル）（パーフルオロフェニル）ボラート］−；［（イソペンチル）（パーフルオロプロピル）アンモニウム］＋−パーフルオロナフチル−［（パー���ルオロインデニル（ペンタフルオロナフチル）（テトラフルオロインデニル）ボラート］−；［（イソプロピル）（１，２−ジフルオロヘキシル）ホスホニウム］＋−２，３，５−トリフルオロフェニル−［（２，３−ジフルオロフェニル（パーフルオロビフェニル）（パーフルオロフルオレニル）ボラート］−；［（イソプロピル）（ヘプチル）アンモニウム］＋−２，３，４−トリフルオロフェニル−［（２，３，４−トリフルオロフェニル（パーフルオロフルオレニル）（２，４−ジフルオロフェニル）ボラート］−；［（イソプロピル）（３−メチルペンチル）アンモニウム］＋−パーフルオロナフチル−［（ペンタフルオロフルオレニル（パーフルオロビフェニル）（２，５−ジフルオロフェニル）ボラート］−；［（イソプロピル）（プロピル）アンモニウム］＋−２，３，５−トリフルオロフェニル−［（２，５−ジフルオロフェニル（ペンタフルオロフルオレニル）（パーフルオロフルオレニル）ボラート］−；［（イソプロピル）（パーフルオロヘキシル）ホスホニウム］＋−パーフルオロビフェニル−［（パーフルオロインデニル（パーフルオロフルオレニル）（パーフルオロピレニル）ボラート］−；
［（メチル）（パーフルオロペンチル）ホスホニウム］＋−ペンタフルオロナフチル−［ビス（パーフルオロフェニル）（テトラフルオロインデニル）ボラート］−；［（メチル）（フェニル）ホスホニウム］＋−パーフルオロインデニル−［（パーフルオロナフチル（２，３−ジフルオロフェニル）（３，４−ジフルオロフェニル）ボラート］− ；［（メチル）（１，２−ジフルオロヘキシル）ホスホニウム］＋−２，３−ジフルオロフェニル−［（パーフルオロインデニル（パーフルオロフェニル）（パーフルオロビフェニル）ボラート］−；［（メチル）（ヘプチル）アンモニウム］＋−パーフルオロピレニル−［（パーフルオロインデニル（トリフルオロインデニル）（パーフルオロフェニル）ボラート］−；［（メチル）（イソプロピル）ホスホニウム］＋−パーフルオロフルオレニル−［（２，５−ジフルオロフェニル（パーフルオロインデニル）（３，４−ジフルオロフェニル）ボラート］−；［（メチル）（メチル（トリエチルシリル））アンモニウム］＋−パーフルオロピレニル−［ビス（パーフルオロフェニル）（テトラフルオロインデニル）ボラート］−；［（メチル）（メチル（トリメチルシリル））アンモニウム］＋−３，４−ジフルオロフェニル−［（２，５−ジフルオロフェニル（パーフルオロビフェニル）（トリフルオロインデニル）ボラート］−；［（メチル）（ヘプチル）アンモニウム］＋−パーフルオロフェニル−［（パーフルオロフェニル（２，３，５−トリフルオロフェニル）（パーフルオロフルオレニル）ボラート］−；［（メチル）（パーフルオロイソプロピル）アンモニウム］＋−パーフルオロインデニル−［（パーフルオロナフチル（２，３，５−トリフルオロフェニル）（トリフルオロインデニル）ボラート］−；［（メチル）（エチル（トリエチルシリル））アンモニウム］＋−パーフルオロナフチル−［ビス（パーフルオロナフチル）（パーフルオロフェニル）ボラート］−；［（メチル）（ｔ−ブチル）アンモニウム］＋−パーフルオロインデニル−［（パーフルオロフェニル（パーフルオロフルオレニル）（テトラフルオロインデニル）ボラート］−；［（メチル）（プロピル）アンモニウム］＋−パーフルオロフルオレニル−［（ペンタフルオロフルオレニル（ ペンタフルオロナフチル）（パーフルオロビフェニル）ボラート］−；［（メチル）（ペンチル）アンモニウム］＋−２，３−ジフルオロフェニル−［（パーフルオロナフチル（パーフルオロフルオレニル）（２，４−ジフルオロフェニル）ボラート］−；［（メチル（トリエチルシリル））（パーフルオロヘプチル）アンモニウム］＋−パーフルオロフェニル−［（パーフルオロフルオレニル（ペンタフルオロフルオレニル）（パーフルオロインデニル）ボラート］−；［（メチル（トリエチルシリル））（パーフルオロブチル）アンモニウム］＋−ペンタフルオロナフチル−［（パーフルオロナフチル（パーフルオロビフェニル）（トリフルオロインデニル）ボラート］−；［（メチル（トリエチルシリル））（パーフルオロペンチル）アンモニウム］＋−２，３，５−トリフルオロフェニル−［（パーフルオロフェニル（パーフルオロフルオレニル（パーフルオロインデニル）ボラート］−；［（���チル（トリエチルシリル））（２，３，５−トリフルオロフェニル）ホスホニウム］＋−パーフルオロナフチル−［（パーフルオロナフチル（パーフルオロインデニル）（パーフルオロフェニル）ボラート］−；［（メチル（トリエチルシリル））（エチル（トリエチルシリル））ホスホニウム］＋−パーフルオロインデニル−［（２，３，４−トリフルオロフェニル（２，３−ジフルオロフェニル）（パーフルオロナフチル）ボラート］−；［（メチル（トリエチルシリル））（パーフルオロメチル）アンモニウム］＋−２，５−ジフルオロフェニル−［（パーフルオロナフチル（パーフルオロビフェニル）（２，３，４−トリフルオロフェニル）ボラート］−；［（メチル（トリエチルシリル））（パーフルオロオクチル）アンモニウム］＋−パーフルオロインデニル−［トリス（パー￣フルオロナフチル）ボラート］−；［（メチル（トリエチルシリル））（ペンチル）アンモニウム］＋−パーフルオロフルオレニル−［ビス（パーフルオロフェニル）（テトラフルオロナフチル）ボラート］−；［（メチル（トリエチルシリル））（パーフルオロオクチル）アンモニウム］＋−パーフルオロナフチル−［（パーフルオロインデニル（パーフルオロフルオレニル）（パーフルオロビフェニル）ボラート］−；［（メチル（トリエチルシリル））（フェニル）アンモニウム］＋−パーフルオロナフチル−［ビス（トリフルオロインデニル）（２，４−ジフルオロフェニル）ボラート］−；［（メチル（トリメチルシリル））（イソプロピル）アンモニウム］＋−パーフルオロインデニル−［（トリフルオロインデニル（２，４−ジフルオロフェニル）（パーフルオロフェニル）ボラート］−；［（メチル（トリメチルシリル））（パーフルオロヘキシル）アンモニウム］＋−パーフルオロフルオレニル−［（パーフルオロフルオレニル（２，３−ジフルオロフェニル）（パーフルオロナフチル）ボラート］−；［（メチル（トリメチルシリル））（パーフルオロヘプチル）アンモニウム］＋−パーフルオロフェニル−［（パーフルオロピレニル（テトラフルオロナフチル）（パーフルオロナフチル）ボラート］−；［（メチル（トリメチルシリル））（２，３，６，７−テトラフルオロオクチル）アンモニウム］＋−パーフルオロインデニル−［（２，３−ジフルオロフェニル（３，４−ジフルオロフェニル）（２，３，４−トリフルオロフェニル）ボラート］−；［（メチル（トリメチルシリル））（（メチル（トリエチルシリル）））アンモニウム］＋−２，３−ジフルオロフェニル−［（パーフルオロフェニル（パーフルオロビフェニル）（２，３，４−トリフルオロフェニル）ボラート］−； ［（メチル（トリメチルシリル））（ペンチル）アンモニウム］＋−パーフルオロナフチル−［（パーフルオロビフェニル（パーフルオロフルオレニル）（テトラフルオロナフチル）ボラート］−；［（メチル（トリメチルシリル））（パーフルオロブチル）ホスホニウム］＋−パーフルオロナフチル−［（パーフルオロフルオレニル）（パーフルオロインデニル）（２，３−ジフルオロフェニル）ボラート］−；［（メチル（トリメチルシリル））（パーフルオロメチル）アンモニウム］＋−３，４−ジフルオロフェニル−［（パーフルオロフェニル（パーフルオロインデニル）（パーフルオロナフチル）ボラート］−；［（メチル（トリメチルシリル））（パーフルオロエチル）アンモニウム］＋−パーフルオロインデニル−［（２，３，４−トリフルオロフェニル（ペンタフルオロナフチル）（パーフルオロナフチル）ボラート］−；［（メチル（トリメチルシリル））（２，３，５−トリフルオロフェニル）アンモニウム］＋−２，３，４−トリフルオロフェニル−［（パーフルオロインデニル（パーフルオロフェニル）（パーフルオロビフェニル）ボラート］−；［（メチル（トリメチルシリル））（パーフルオロブチル）アンモニウム］＋−ペンタフルオロフルオレニル−［（パーフルオロフェニル（２，３−ジフルオロフェニル）（パーフルオロピレニル）ボラート］−；［（メチル（トリメチルシリル））（ペンチル）アンモニウム］＋−パーフルオロビフェニル−［（３，４−ジフルオロフェニル（パーフルオロピレニル）（ペンタフルオロフルオレニル）ボラート］−；［（メチル（トリメチルシリル））（３−メチルペンチル）アンモニウム］＋−パーフルオロフルオレニル−［（パーフルオロビフェニル（パーフルオロフルオレニル）（ペンタフルオロナフチル）ボラート］−；［（メチル（トリメチルシリル））（ペンチル）アンモニウム］＋−パーフルオロビフェニル−［ビス（パーフルオロフルオレニル）（パーフルオロビフェニル）ボラート］−；［（メチル（トリメチルシリル））（ブチル）アンモニウム］＋−パーフルオロビフェニル−［ビス（パーフルオロフルオレニル）（パーフルオロナフチル）ボラート］−；［（オクチル）（ヘプチル）アンモニウム］＋−パーフルオロフルオレニル−［（ペンタフルオロナフチル（３，４−ジフルオロフェニル）（テトラフルオロインデニル）ボラート］−；［（オクチル）（３−メチルペンチル）アンモニウム］＋−２，５−ジフルオロフェニル−［（パーフルオロインデニル（パーフルオロフルオレニル）（トリフルオロインデニル）ボラート］−；［（オクチル）（メチル（トリメチルシリル））アンモニウム］＋−パーフルオロビフェニル−［ビス（パーフルオロフルオレニル）（パーフルオロフェニル）ボラート］−；［（オクチル）（１，６−ジフルオロヘキシル）ホスホニウム］＋−テトラフルオロナフチル−［（２，３，４−トリフルオロフェニル（２，３−ジフルオロフェニル）（パーフルオロフェニル）ボラート］−；［（オクチル）（エチル（トリエチルシリル））アンモニウム］＋−パーフルオロビフェニル−［（ペンタフルオロナフチル（ペンタフルオロフルオレニル）（パーフルオロフェニル）ボラート］−；［（オクチル）（エチル（トリエチルシリル）アンモニウム］＋−パーフルオロフルオレニル−［（トリフルオロインデニル（パーフルオロナフチル）（パーフルオロフェニル）ボラート］−；［（オクチル）（パーフルオロオクチル）アンモニウム］＋−２，３，５−トリフルオロフェニル−［（パーフルオロフェニル（２，４−ジフルオロフェニル）（２，３，４−トリフルオロフェニル）ボラート］−；［（オクチル）（パーフルオロペンチル）アンモニウム］＋−パーフルオロナフチル−［（パーフルオロフルオレニル（パーフルオロビフェニル）（パーフルオロナフチル）ボラート］−；［（オクチル）（エチル（トリエチルシリル））アンモニウム］＋−２，３，４−トリフルオロフェニル−［（テトラフルオロナフチル（パーフルオロフェニル）（パーフルオロピレニル）ボラート］− ；［（オクチル）（２，３，５−トリフルオロフェニル）アンモニウム］＋−テトラフルオロナフチル−［（パーフルオロナフチル（パーフルオロインデニル）（パーフルオロビフェニル）ボラート］−；［（オクチル）（パーフルオロプロピル）アンモニウム］＋−パーフルオロフェニル−［（パーフルオロナフチル（２，３，４−トリフルオロフェニル）（２，３，５−トリフルオロフェニル）ボラート］−；［（ペンチル）（エチル（トリエチルシリル））アンモニウム］＋−パーフルオロビフェニル−［ビス（パーフルオロビフェニル）（２，４−ジフルオロフェニル）ボラート］−；［（ペンチル）（メチル（トリエチルシリル））アンモニウム］＋−テトラフルオロナフチル−［（３，４−ジフルオロフェニル（パーフルオロナフチル）（テトラフルオロインデニル）ボラート］−；［（ペンチル）（パーフルオロペンチル）ホスホニウム］＋−２，４−ジフルオロフェニル−［（パーフルオロフェニル（パーフルオロフルオレニル）（トリフルオロインデニル）ボラート］−；［（ペンチル）（イソプロピル）ホスホニウム］＋−パーフルオロビフェニル−［ビス（ペンタフルオロフルオレニル）（パーフルオロフルオレニル）ボラート］−；［（ペンチル）（２，３，５−トリフルオロフェニル）アンモニウム］＋−パーフルオロフェニル−［（ペンタフルオロナフチル（パーフルオロビフェニル）（パーフルオロフェニル）ボラート］−；［（ペンチル）（エチル（トリメチルシリル））アンモニウム］＋−３，４−ジフルオロフェニル−［（パーフルオロインデニル（パーフルオロフェニル）（パーフルオロナフチル）ボラート］−；［（ペンチル）（１，２−ジフルオロヘキシル）アンモニウム］＋−パーフルオロフルオレニル［（パーフルオロビフェニル（パーフルオロインデニル）（パーフルオロナフチル）ボラート］−；［（ペンチル）（エチル（トリエチルシリル））アンモニウム］＋−パーフルオロビフェニル−［（パーフルオロフルオレニル（パーフルオロビフェニル）（２，３−ジフルオロフェニル）ボラート］−；［（ペンチル）（（メチル（トリエチルシリル）））アンモニウム］＋−パーフルオロビフェニル−［（パーフルオロフルオレニル（パーフルオロフェニル）（パーフルオロピレニル）ボラート］−；［（ペンチル）（エチル（トリエチルシリル））アンモニウム］＋−パーフルオロビフェニル−［（２，３−ジフルオロフェニル（ペンタフルオロフルオレニル）（パーフルオロインデニル）ボラート］−；［（ペンチル）（パーフルオロエチル）アンモニウム］＋−パーフルオロフェニル−［（パーフルオロインデニル（パーフルオロフェニル）（パーフルオロフルオレニル）ボラート］−；［ビス（パーフルオロブチル）アンモニウム］＋−３，４−ジフルオロフェニル−［（トリフルオロインデニル（パーフルオロビフェニル）（パーフルオロインデニル）ボラート］−；［（パーフルオロブチル）（パー��ルオロペンチル）アンモニウム］＋ −トリフルオロインデニル−［（パーフルオロインデニル（テトラフルオロインデニル）（パーフルオロフェニル）ボラート］−；［（パーフルオロブチル）（パーフルオロイソペンチル）アンモニウム］＋−ペンタフルオロナフチル−［（パーフルオロインデニル（パーフルオロナフチル）（２，３，４−トリフルオロフェニル）ボラート］−；［（パーフルオロブチル）（オクチル）アンモニウム］＋−パーフルオロフルオレニル−［（パーフルオロピレニル（トリフルオロインデニル）（パーフルオロビフェニル）ボラート］−；［（パーフルオロブチル）（メチル）アンモニウム］＋−パーフルオロフルオレニル［ビス（パーフルオロインデニル）（トリフルオロインデニル）ボラート］−；［（パーフルオロエチル）（パーフルオロ−ｔ−ブチル）アンモニウム］＋−トリフルオロインデニル−［（ペンタフルオロフルオレニル（トリフルオロインデニル）（パーフルオロビフェニル）ボラート］−；［（パーフルオロエチル）（パーフルオロプロピル）アンモニウム］＋−テトラフルオロナフチル−［（３，４−ジフルオロフェニル（パーフルオロビフェニル）（２，５−ジフルオロフェニル）ボラート］−；［（パーフルオロエチル）（パーフルオロイソプロピル）アンモニウム］＋−パーフルオロフルオレニル［（パーフルオロインデニル（トリフルオロインデニル）（テトラフルオロインデニル）ボラート］−；［（パーフルオロエチル）（イソヘキシル）アンモニウム］＋−３，４−ジフルオロフェニル−［（テトラフルオロナフチル（２，４−ジフルオロフェニル）（パーフルオロビフェニル）ボラート］−；
［ ビス（パーフルオロエチル）アルソニウム］＋−パーフルオロピレニル−［ビス（トリフルオロインデニル）（パーフルオロフェニル）ボラート］−；［（パーフルオロヘプチル）（エチル（トリエチルシリル））アンモニウム］＋−パーフルオロナフチル−［（パーフルオロインデニル（パーフルオロナフチル）（パーフルオロフェニル）ボラート］−；（ビス（パーフルオロヘプチル）アンモニウム ］＋−２，４−ジフルオロフェニル−［（パーフルオロナフチル（ペンタフルオロナフチル）（パーフルオロビフェニル）ボラート］−；［（パーフルオロヘプチル）（パーフルオロブチル）アンモニウム］＋−パーフルオロフェニル−［（２，３−ジフルオロフェニル（テトラフルオロインデニル）（パーフルオロフルオレニル）ボラート］−；［（パーフルオロヘプチル）（メチル（トリエチルシリル））アンモニウム］＋−ペンタフルオロフルオレニル−［（パーフルオロビフェニル（パーフルオロナフチル）（２，５−ジフルオロフェニル）ボラート］−；［（パーフルオロヘプチル）（ヘプチル）アンモニウム］＋− パーフルオロビフェニル−［ビス（ペンタフルオロフルオレニル）（テトラフルオロナフチル）ボラート］−；［（パーフルオロヘプチル）（エチル（トリメチルシリル））アンモニウム］＋−パーフルオロピレニル−［（パーフルオロインデニル（パーフルオロナフチル）（パーフルオロフェニル）ボラート］−；［（パーフルオロヘプチル）（オクチル）アルソニウム］＋−パーフルオロインデニル−［（パーフルオロインデニル（パーフルオロビフェニル）（２，４−ジフルオロフェニル）ボラート］−；［（パーフルオロヘプチル）（パーフルオロイソペンチル）アルソニウム］＋−パーフルオロフルオレニル−［（パーフルオロフルオレニル（パーフルオロナフチル）（３，４−ジフルオロフェニル）ボラート］−；［（パーフルオロヘプチル）（イソペンチル）アンモニウム］＋−パーフルオロフェニル−［（パーフルオロフルオレニル（２，３，４−トリフルオロフェニル）（パーフルオロフェニル）ボラート］−；［（パーフルオロヘプチル）（２，３，４，５−テトラフルオロフェニル）アンモニウム］＋−ペンタフルオロフルオレニル−［ビス（パーフルオロビフェニル）（２，５−ジフルオロフェニル）ボラート］−；［（パーフルオロヘキシル）（３−メチルペンチル）アンモニウム］＋−２，４−ジフルオロフェニル−［（２，３，４−トリフルオロフェニル（ペンタフルオロナフチル）（パーフルオロフルオレニル）ボラート］− ；［（パーフルオロヘキシル）（２，３，５−トリフルオロフェニル）ホスホニウム］＋−パーフルオロインデニル−［（パーフルオロピレニル（２，５−ジフルオロフェニル）（トリフルオロインデニル）ボラート］−；［（パーフルオロヘキシル）（ヘプチル）アンモニウム］＋−パーフルオロビフェニル−［（２，３，５−トリフルオロフェニル（２，５−ジフルオロフェニル）（パーフルオロビフェニル）ボラート］− ；［（パーフルオロヘキシル）（ヘキシル）アンモニウム］＋−パーフルオロピレニル−［（２，３−ジフルオロフェニル（パーフルオロフルオレニル）（ペンタフルオロナフチルボラ−ト］−；［（パーフルオ���ヘキシル）（メチル（トリメチルシリル））アンモニウム］＋−パーフルオロフェニル−［ビス（２，３−ジフルオロフェニル）（２，５−ジフルオロフェニル）ボラート］−；［（パーフルオロヘキシル）（パーフルオロフェニル）アンモニウム］＋−パーフルオロフェニル−［（テトラフルオロナフチル（パーフルオロナフチル）（パーフルオロインデニル）ボラート］−；［（パーフルオロヘキシル）（パーフルオロメチル）ホスホニウム］＋−パーフルオロフルオレニル−［ビス（パーフルオロフェニル）（テトラフルオロインデニル）ボラート］−；［（パーフルオロイソペンチル）（１，６−ジフルオロヘキシル）アンモニウム］＋−パーフルオロインデニル−［（ペンタフルオロナフチル（パーフルオロインデニル）（２，３−ジフルオロフェニル）ボラート］−；［（パーフルオロイソペンチル）（メチル（トリメチルシリル））ホスホニウム］＋−パーフルオロフェニル−［ビス（パーフルオロフルオレニル）（パーフルオロビフェニル）ボラート］−；［（パーフルオロイソペンチル）（メチル（トリエチルシリル））アルソニウム］＋−パーフルオロビフェニル−［（パーフルオロインデニル（パーフルオロフェニル）（２，３，５−トリフルオロフェニル）ボラート］−；［（パーフルオロイソペンチル）（メチル）アンモニウム］＋−パーフルオロインデニル−［（パーフルオロビフェニル（パーフルオロナフチル）（３，４−ジフルオロフェニル）ボラート］−；［（パーフルオロイソペンチル）（１，２−ジフルオロヘキシル） ホスホニウム］＋−２，３，５−トリフルオロフェニル−［ビス（パーフルオロナフチル）（パーフルオロビフェニル）ボラート］−；［（パーフルオロイソペンチル）（パーフルオロフェニル）アンモニウム］＋−パーフルオロフルオレニル−［（パーフルオロインデニル（ペンタフルオロナフチル）（パーフルオロナフチル）ボラート］−；［（ビス（パーフルオロイソペンチル）アンモニウム］＋−ペンタフルオロナフチル−［ビス（パーフルオロナフチル）（パーフルオロインデニル）ボラート］−；［（パーフルオロイソペンチル）（オクチル）アンモニウム］＋−パーフルオロナフチル−［ビス（パーフルオロフルオレニル）（パーフルオロビフェニル）ボラート］−； ［（パーフルオロイソペンチル）（プロピル）アンモニウム］＋−テトラフルオロインデニル−［（３，４−ジフルオロフェニル（パーフルオロビフェニル）（パーフルオロフルオレニル）ボラート］−；［（パーフルオロイソプロピル）（パーフルオロヘプチル）ホスホニウム］＋−テトラフルオロインデニル−［（パーフルオロビフェニル（パーフルオロナフチル）（２，５−ジフルオロフェニル）ボラート］−；［（パーフルオロイソプロピル）（ブチル）アンモニウム］＋−２，４−ジフルオロフェニル−［ビス（パーフルオロフェニル）（トリフルオロインデニル）ボラート］−；［（パーフルオロイソプロピル）（イソヘキシル）アンモニウム］＋−パーフルオロフルオレニル−［（３，４−ジフルオロフェニル（パーフルオロインデニル）（パーフルオロピレニル）ボラート］−；［（パーフルオロイソプロピル）（イソプロピル）アンモニウム］＋−パーフルオロフルオ��ニル−［ビス（パーフルオロフェニル）（２，３，４−トリフルオロフェニル）ボラート］−；［（パーフルオロイソプロピル）（パーフルオロブチル）ホスホニウム］＋−３，４−ジフルオロフェニル−［（パーフルオロインデニル（パーフルオロナフチル）（２，３−ジフルオロフェニル）ボラート］−；［（パーフルオロイソプロピル）（パーフルオロフェニル）アンモニウム］＋−２，５−ジフルオロフェニル−［（パーフルオロフェニル（ペンタフルオロナフチル）（２，３，５−トリフルオロフェニル）ボラート］−；［ビス（パーフルオロイソプロピル）ホスホニウム］＋−パーフルオロナフチル−［（ペンタフルオロナフチル（２，５−ジフルオロフェニル）（３，４−ジフルオロフェニル）ボラート］−；［（パーフルオロイソプロピル）（ヘキシル）ホスホニウム］＋−ペンタフルオロナフチル−［（パーフルオロフルオレニル（パーフルオロインデニル）（テトラフルオロナフチル）ボラート］−；［（パーフルオロメチル）（メチル（トリメチルシリル））ホスホニウム］＋− パーフルオロインデニル−［（パーフルオロフェニル（パーフルオロピレニル）（パーフルオロナフチル）ボラート］−；［（パーフルオロメチル）（イソプロピル）アンモニウム］＋−２，３，４−トリフルオロフェニル−［（トリフルオロインデニル（パーフルオロフルオレニル）（テトラフルオロナフチル）ボラート］−；
［（パーフルオロメチル）（パーフルオロフェニル）ホスホニウム］＋−２，３，５−トリフルオロフェニル−［（パーフルオロフェニル（パーフルオロナフチル）（ペンタフルオロナフチル）ボラート］−；［（パーフルオロメチル）（３−メチルペンチル）アンモニウム］＋−パーフルオロナフチル−［ビス（パーフルオロフルオレニル）（パーフルオロナフチル）ボラート］−； ［（パーフルオロメチル） （フェニル） ホスホニウム］＋−パーフルオロフェニル−［（テトラフルオロナフチル（パーフルオロインデニル）（２，５−ジフルオロフェニル）ボラート］−；［（パーフルオロメチル）（イソペンチル）アンモニウム］＋−パーフルオロフェニル−［（パーフルオロフルオレニル（パーフルオロビフェニル）（テトラフルオロインデニル）ボラート］−；［（パーフルオロメチル）（ヘキシル）アンモニウム］＋−ペンタフルオロナフチル−［（パーフルオロビフェニル（２，５−ジフルオロフェニル）（テトラフルオロインデニル）ボラート］−；［（パーフルオロメチル）（２，３，５−トリフルオロフェニル）アンモニウム］＋−パーフルオロフェニル−［（パーフルオロビフェニル（パーフルオロピレニル）（パーフルオロフルオレニル）ボラート］−；［（パーフルオロメチル）（イソペンチル）ホスホニウム］＋−パーフルオロインデニル−［（テトラフルオロインデニル（パーフルオロナフチル）（３，４−ジフルオロフェニル）ボラート］−；［（パーフルオロオクチル）（パーフルオロフェニル）アンモニウム］＋−２，３，４−トリフルオロフェニル−［ビス（パーフルオロフェニル）（テトラフルオロナフチル）ボラート］−；［（パーフルオロオクチル）（１，２−ジフルオロヘキシル）アンモニウム］＋−２，３，４−トリフルオロフェニル−［（パーフルオロピレニル（パーフルオロフルオレニル）（テトラフルオロインデニル）ボラート］−；［（パーフルオロオクチル）（パーフルオロメチル）ホスホニウム］＋−パーフルオロビフェニル−［ビス（パーフルオロフェニル）（パーフルオロフルオレニル）ボラート ］−；［ビス（パーフルオロオクチル）アンモニウム］＋−ペンタフルオロフルオレニル−［ビス（パーフルオロインデニル）（パーフルオロフェニル）ボラート］−；［（パーフルオロオクチル）（エチル（トリメチルシリル））アンモニウム］＋−パーフルオロインデニル−［（２，５−ジフルオロフェニル（パーフルオロピレニル）（２，３−ジフルオロフェニル）ボラート］−；［（パーフルオロオクチル）（プロピル）アンモニウム］＋−パーフルオロフェニル−［（ペンタフルオロナフチル（トリフルオロインデニル）（２，３，５−トリフルオロフェニル）ボラート］−；［（パーフルオロオクチル）（ヘキシル）アンモニウム］＋−パーフルオロピレニル−［ビス（パーフルオロインデニル）（パーフルオロフルオレニル）ボラート］−；［（パーフルオロオクチル）（パーフルオロイソプロピル）ホスホニウム］＋−テトラフルオロナフチル−［（ペンタフルオロフルオレニル（テトラフルオロインデニル）（パーフルオロナフチル）ボラート］−；［（パーフルオロオクチル）（イソヘキシル）ホスホニウム］＋−２，５−ジフルオロフェニ��−［（２，５−ジフルオロフェニル（パーフルオロフェニル）（パーフルオロフルオレニル）ボラート］−；［（パーフルオロオクチル）（ヘキシル）アンモニウム］＋−テトラフルオロナフチル−［（パーフルオロフルオレニル（テトラ￣フルオロインデニル）（２，３−ジフルオロフェニル）ボラート］−；［（パーフルオロペンチル）（パーフルオロヘキシル）ホスホニウム］＋−パーフルオロフルオレニル−［ビス（パーフルオロナフチル）（パーフルオロフルオレニル）ボラート］−；［（パーフルオロペンチル）（パーフルオロメチル）ホスホニウム］＋−パーフルオロフェニル−［（パーフルオロフルオレニル（パーフルオロビフェニル）（パーフルオロインデニル）ボラート］−；［（パーフルオロペンチル）（イソヘキシル）ホスホニウム］＋−パーフルオロフルオレニル−［（パーフルオロインデニル（ペンタフルオロナフチル）（３，４−ジフルオロフェニル）ボラート］−；［（パーフルオロペンチル）（イソプロピル）アンモニウム］＋−パーフルオロフェニル−［（パーフルオロフルオレニル（パーフルオロビフェニル）（パーフルオロナフチル）ボラート］−；［（パーフルオロペンチル）（エチル（トリメチルシリル））アンモニウム］＋−パーフルオロビフェニル−［（パーフルオロインデニル（パーフルオロフルオレニル）（２，５−ジフルオロフェニル）ボラート］−；［（パーフルオロペンチル）（メチル（トリエチルシリル））アンモニウム］＋−パーフルオロフェニル−［（パーフルオロインデニル（ペンタフルオロフルオレニル）（３，４−ジフルオロフェニル）ボラート］−；［（パーフルオロペンチル）（オクチル）アンモニウム］＋−パーフルオロフェニル−［（２，３−ジフルオロフェニル（パーフルオロフルオレニル）（パーフルオロナフチル）ボラート］−；［（パーフルオロペンチル）（パーフルオロエチル）ホスホニウム］＋−パーフルオロビフェニル−［（パーフルオロフェニル（パーフルオロフルオレニル）（パーフルオロインデニル）ボラート］−；［（パーフルオロペンチル）（２，３，５−トリフルオロフェニル）アルソニウム］＋−パーフルオロフェニル−［（パーフルオロナフチル（テトラフルオロインデニル）（２，３，５−トリフルオロフェニル）ボラート］−；［（パーフルオロペンチル）（イソヘキシル）アンモニウム］＋−パーフルオロインデニル−［（２，３，５−トリフルオロフェニル（パーフルオロフェニル）（パーフルオロフルオレニル）ボラート］−；［（パーフルオロペンチル）（メチル（トリメチルシリル））ホスホニウム］＋−パーフルオロインデニル−［ビス（２，５−ジフルオロフェニル）（ペンタフルオロナフチル）ボラート］−；［（パーフルオロペンチル）（パーフルオロ−ｔ−ブチル）アンモニウム］＋−パーフルオロビフェニル［（パーフルオロビフェニル（２，３，４−トリフルオロフェニル）（テトラフルオロナフチル）ボラート］−；［（パーフルオロフェニル）（パーフルオロメチル）アンモニウム］＋−２，５−ジフルオロフェニル−［（パーフルオロインデニル（２，４−ジフルオロフェニル）（トリフルオロインデニル）ボラート］−；［（パーフルオロフェニル）（イソヘキシル）アル��ニウム］＋−パーフルオロピレニル−［ビス（パーフルオロインデニル）（パーフルオロフェニル）ボラート］−；［（パーフルオロフェニル）（パーフルオロブチル）アンモニウム］＋−パーフルオロフェニル−［（２，３，４−トリフルオロフェニル（パーフルオロナフチル）（パーフルオロインデニル）ボラート］−；［ビス（パーフルオロフェニル）アンモニウム］＋−パーフルオロフェニル−［ビス（パーフルオロインデニル）（パーフルオロフルオレニル）ボラート］−；［（パーフルオロフェニル）（パーフルオロペンチル）アンモニウム］＋−パーフルオロナフチル−［（パーフルオロナフチル（ペンタフルオロナフチル）（パーフルオロフェニル）ボラート］−；［（パーフルオロフェニル）（ペンチル）ホスホニウム］＋−ペンタフルオロナフチル−［（２，３，４−トリフルオロフェニル（パーフルオロビフェニル）（パーフルオロフルオレニル）ボラート］−；［（パーフルオロフェニル）（パーフルオロヘキシル）ホスホニウム］＋−パーフルオロビフェニル−［ビス（パーフルオロインデニル）（パーフルオロフルオレニル）ボラート］−；［（パーフルオロフェニル）（２，３，５−トリフルオロフェニル）ホスホニウム］＋−パーフルオロインデニル−［（トリフルオロインデニル（パーフルオロビフェニル）（パーフルオロフルオレニル）ボラート］−；
［（パーフルオロプロピル）（２，３，４，５−テトラフルオロフェニル）アンモニウム］＋−パーフルオロビフェニル−［（パーフルオロフェニル（パーフルオロフルオレニル）（ペンタフルオロナフチル）ボラート］−；［（パーフルオロプロピル）（３−メチルペンチル）ホスホニウム］＋−２，３，５−トリフルオロフェニル−［（トリフルオロインデニル（テトラフルオロナフチル）（２，５−ジフルオロフェニル）ボラート］−；［（パーフルオロ−ｔ−ブチル）（１，６−ジフルオロヘキシル）アンモニウム］＋−ペンタフルオロナフチル−［（２，４−ジフルオロフェニル（パーフルオロフェニル）（テトラフルオロインデニル）ボラート］−；［（パーフルオロ−ｔ−ブチル）（メチル（トリエチルシリル））アンモニウム］＋−２，４−ジフルオロフェニル−［（ペンタフルオロナフチル（パーフルオロビフェニル）（２，４−ジフルオロフェニル）ボラート］−；［（パーフルオロ−ｔ−ブチル）（（メチル（トリエチルシリル）））アンモニウム］＋−パーフルオロインデニル−［（ペンタフルオロフルオレニル（パーフルオロフェニル）（２，３，５−トリフルオロフェニル）ボラート］−；［（パーフルオロ−ｔ−ブチル）（エチル（トリエチルシリル））アンモニウム］＋−パーフルオロピレニル−［（トリフルオロインデニル（パーフルオロフルオレニル）（パーフルオロビフェニル）ボラート］−；［（パーフルオロ−ｔ−ブチル）（メチル（トリメチルシリル））アンモニウム］＋−３，４−ジフルオロフェニル−［（パーフルオロビフェニル（パーフルオロナフチル）（２，３−ジフルオロフェニル）ボラート］−；［（パーフルオロ−ｔ−ブチル）（ヘプチル）アンモニウム］＋−ペンタフルオロナフチル−［（パーフルオロフェニル（テトラフルオロナフチル）（テトラフルオロインデニル）ボラート］−；［（パーフルオロ−ｔ−ブチル）（１，２−ジフルオロヘキシル）アンモニウム］＋−パーフルオロフルオレニル−［（パーフルオロビフェニル（パーフルオロナフチル）（ペンタフルオロナフチル）ボラート］−；［（パーフルオロ−ｔ−ブチル）（パーフルオロイソプロピル）アンモニウム］＋−トリフルオロインデニル−［（テトラフルオロナフチル（パーフルオロインデニル）（テトラフルオロインデニル）ボラート］−；［（パーフルオロ−ｔ−ブチル）（イソペンチル）アンモニウム］＋−テトラフルオロナフチル−［（トリフルオロインデニル（テトラフルオロインデニル）（２，３，４−トリフルオロフェニル）ボラート］−；［（フェニル）（パーフルオロイソプロピル）アンモニウム］＋−パーフルオロフルオレニル−［ビス（パーフルオロフルオレニル）（２，５−ジフルオロフェニル）ボラート］−；［（フェニル）（ペンチル）アンモニウム］＋−テトラフルオロインデニル−［（３，４−ジフルオロフェニル（パーフルオロフェニル）（トリフルオロインデニル）ボラート］− ；［（フェニル）（３−メチルペンチル）アンモニウム］＋−２，４−ジフルオロフェニル−［（２，４−ジフルオロフェニル（パーフルオロピレニル）（パーフルオロナフチル）ボラート］−；［（プロピル）（メチル （トリメチルシリル））アンモニウム］＋−テトラ���ルオロインデニル−［ビス（パーフルオロフェニル）（パーフルオロビフェニル）ボラート］−；［（プロピル）（ヘキシル）アルソニウム］＋−ペンタフルオロナフチル−［（２，５−ジフルオロフェニル（ペンタフルオロナフチル）（パーフルオロフェニル）ボラ−ト］−；［（プロピル）（ブチル）ホスホニウム］＋−パーフルオロナフチル−［（パーフルオロフェニル（パーフルオロナフチル）（パーフルオロインデニル）ボラート］−；［（プロピル）（ヘキシル）アンモニウム］＋−パーフルオロフルオレニル＋−［（パーフルオロフルオレニル（２，３−ジフルオロフェニル）（２，３，４−トリフルオロフェニル）ボラート］−；［（プロピル）（２，３，５−トリフルオロフェニル）アンモニウム］＋−パーフルオロビフェニル−［（ペンタフルオロフルオレニル（パーフルオロナフチル）（３，４−ジフルオロフェニル）ボラート］−；［（プロピル）（２，３，４，５−テトラフルオロフェニル）アンモニウム］＋−パーフルオロインデニル−［（パーフルオロインデニル（２，４−ジフルオロフェニル）（パーフルオロフルオレニル）ボラート］−；［（プロピル）（パーフルオロ−ｔ−ブチル）アンモニウム］＋−パーフルオロフェニル−［ビス（パーフルオロフェニル）（ペンタフルオロフルオレニル）ボラート］−；［（プロピル）（ブチル）アンモニウム］＋−パーフルオロビフェニル−［（ペンタフルオロフルオレニル（２，５−ジフルオロフェニル）（ペンタフルオロナフチル）ボラート］−；［（プロピル）（メチル（トリメチルシリル））アンモニウム］＋−テトラフルオロナフチル−［ビス（パーフルオロインデニル）（２，３，４−トリフルオロフェニル）ボラート］−；［（プロピル）（パーフルオロフェニル）アンモニウム］＋−パーフルオロフルオレニル−［（パーフルオロナフチル（３，４−ジフルオロフェニル）（テトラフルオロインデニル）ボラート］−；［（プロピル）（エチル（トリメチルシリル））アンモニウム］＋−ペンタフルオロフルオレニル−［（２，３，４−トリフルオロフェニル（テトラフルオロインデニル）（２，４−ジフルオロフェニル）ボラート］−；［（プロピル）（３−メチルペンチル）ホスホニウム］＋−パーフルオロフェニル−［（パーフルオロナフチル（２，３，５−トリフルオロフェニル）（パーフルオロフェニル）ボラート］−；［（プロピル）（パーフルオロヘキシル）ホスホニウム］＋−パーフルオロナフチル−［（パーフルオロピレニル（トリフルオロインデニル）（パーフルオロビフェニル）ボラート］−；［（プロピル）（パーフルオロプロピル）ホスホニウム］＋−ペンタフルオロフルオレニル−［（パーフルオロフェニル（パーフルオロフルオレニル）（パーフルオロピレニル）ボラート］−；［（ｔ−ブチル）（エチル（トリメチルシリル）） アンモニウム］＋−パーフルオロインデニル−［ビス（パーフルオロフルオレニル）（トリフルオロインデニルル）ボラート］−；［（ｔ−ブチル）（メチル（トリメチルシリル））ホスホニウム］＋−テトラフルオロインデニル−［（３，４−ジフルオロフェニル（トリフルオロインデニル）（パーフルオロビフェニル）ボラート］−；［（ｔ−ブチル）（パーフルオロイソペンチル）アンモニウム］＋−パーフルオロビフェニル−［（３，４−ジフルオロフェニル（パーフルオロフルオレニル）（テトラフルオロナフチル）ボラート］−；［（ｔ−ブチル）（１，２−ジフルオロヘキシル）アンモニウム］＋−３，４−ジフルオロフェニル−［ビス（パーフルオロビフェニル）（パーフルオロフルオレニル）ボラート］−；［（ｔ−ブチル）（パーフルオロイソペンチル）アンモニウム］＋−２，４−ジフルオロフェニル−［（パーフルオロインデニル（２，３，４−トリフルオロフェニル）（パーフルオロフェニル）ボラート］−；［（ｔ−ブチル）（パーフルオロ−ｔ−ブチル）アンモニウム］＋−パーフルオロビフェニル−［（パーフルオロビフェニル（２，３，４−トリフルオロフェニル）（パーフルオロフルオレニル）ボラート］−；［（ｔ−ブチル）（メチル（トリメチルシリル））アンモニウム］＋−テトラフルオロナフチル−［（２，４−ジフルオロフェニル（パーフルオロフルオレニル）（パーフルオロナフチル）ボラート］−
【００６３】
典型的なアルミニウム基両性助触媒活性剤
［（（メチル（トリエチルシリル）））（ヘプチル）アルソニウム］＋−２，３−ジフルオロフェニル−［（パーフルオロインデニル（テトラフルオロインデニル）（テトラフルオロナフチル）アルミナート］−；［（（メチル（トリエチルシリル）））（メチル（トリメチルシリル））アンモニウム］＋−パーフルオロフェニル−［（テトラフルオロインデニル（パーフルオロインデニル）（パーフルオロビフェニル）アルミナート］−；［ビス（（メチル（トリエチルシリル）））ホスホニウム］＋−パーフルオロビフェニル−［（２，３，４−トリフルオロフェニル（パーフルオロインデニル）（テトラフルオロインデニル）アルミナート］−；［（（メチル（トリエチルシリル））（パーフルオロフェニル）アンモニウム］＋−パーフルオロフルオレニル−［（パーフルオロフェニル（ペンタフルオロナフチル）（２，３，４−トリフルオロフェニル）アルミナート］−；［（（メチル（トリエチルシリル））（メチル）アンモニウム］＋−テトラフルオロインデニル−［（パーフルオロナフチル（パーフルオロフェニル）（３，４−ジフルオロフェニル）アルミナート］−；［（メチル（トリエチルシリル））（メチル）アンモニウム］＋−２，３，５−トリフルオロフェニル−［（パーフルオロビフェニル（テトラフルオロインデニル）（パーフルオロフェニル）アルミナート］−；［（（メチル（トリエチルシリル））（プロピル）アンモニウム］＋−２，３，４−トリフルオロフェニル−［（パーフルオロピレニル（パーフルオロフルオレニル）（２，３，４−トリフルオロフェニル）アルミナート］−；［（１，２−ジフルオロヘキシル）（パーフルオロブチル）アンモニウム］＋−パーフルオロフェニル−［ビス（パーフルオロフルオレニル）（２，３，４−トリフルオロフェニル）アルミナート］−；［（１，２−ジフルオロヘキシル）（イソペンチル）アンモニウム］＋−パーフルオロインデニル−［（２，３−ジフルオロフェニル（テトラフルオロインデニル）（パーフルオロピレニル）アルミナート］−；［（１，６−ジフルオロヘキシル）（２，３，４，５−テトラフルオロフェニル）ホスホニウム］＋−３，４−ジフルオロフェニル−［ビス（パーフルオロフルオレニル）（パーフルオロピレニル）アルミナート］−；［（１，６−ジフルオロヘキシル）（パーフルオロプロピル）ホスホニウム］＋−ペンタフルオロフルオレニル−［ビス（パーフルオロインデニル）（パーフルオロフェニル）アルミナート］−；［（１，６−ジフルオロヘキシル）（メチル（トリエチルシリル））アンモニウム］＋−パーフルオロフルオレニル−［（パーフルオロナフチル（パーフルオロフェニル）（パーフルオロインデニル）アルミナート］−；［（２，３，４，５−テトラフルオロフェニル）（２，３，５−トリフルオロフェニル）アンモニウム］＋−パーフルオロフェニル−［（２，３，５−トリフルオロフェニル（パーフルオロフルオレニル）（パーフルオロインデニル）アルミナート］−；［（２，３，４，５−テトラフルオロフェニル）（パーフルオロイソプロピル）ホスホニウム］＋−パーフルオロインデニル−［（テトラフルオロナフチル（パーフルオロビフェニル）（２，４−ジフルオロフェニル）アルミナート］−；［（２，３，５−トリフルオロフェニル）（パーフルオロペンチル）ホスホニウム］＋−トリフルオロインデニル−［（パーフルオロフルオレニル（パーフルオロフェニル）（パーフルオロインデニル）アルミナート］−；［（２，３，５−トリフルオロフェニル）（イソプロピル）アンモニウム］＋−パーフルオロナフチル−［（トリフルオロインデニル（テトラフルオロインデニル）（ペンタフルオロナフチル）アルミナート］−；［（２，３，６，７−テトラフルオロオクチル）（ヘキシル）アンモニウム］＋−パーフルオロナフチル−［ビス（パーフルオロピレニル）（パーフルオロフルオレニル）アルミナート］−；［（２，３，６，７− テトラフルオロオクチル）（パーフルオロブチル）ホスホニウム］＋−パーフルオロフェニル−［ビス（パーフルオロナフチル）（ペンタフルオロフルオレニル）アルミナート］−；［（２，３，６，７−テトラフルオロオクチル）（メチル）アルソニウム］＋−パーフルオロフェニル−［（トリフルオロインデニル（テトラフルオロナフチル）（パーフルオロビフェニル）アルミナート］−；［（２，３，６，７−テトラフルオロオクチル）（３−メチルペンチル）アンモニウム］＋−２，４−ジフルオロフェニル−［ビス（パーフルオロナフチル）（パーフルオロフェニル）アルミナート］−；（２，３，６，７−テトラフルオロオクチル）（エチル（トリメチルシリル）ホスホニウム］＋−２，４−ジフルオロフェニル−［ビス（パーフルオロビフェニル）（ペンタフルオロフルオレニル）アルミナート］−；［（３−メチルペンチル）（イソペンチル）アンモニウム］＋−パーフルオロビフェニル−［（２，３，４−トリフルオロフェニル（パーフルオロフルオレニル）（パーフルオロピレニル）アルミナート］−；［（３−メチルペンチル）（１，２−ジフルオロヘキシル）アンモニウム］＋−パーフルオロフルオレニル−［（テトラフルオロインデニル（２，５−ジフルオロフェニル）（パーフルオロフルオレニル）アルミナート］−；［（３−メチルペンチル）（パーフルオロヘプチル）ホスホニウム］＋−パーフルオロインデニル−［（２，３，４−トリフルオロフェニル（パーフルオロフェニル）（パーフルオロインデニル）アルミナート］−；［（３−メチルペンチル）（メチル）アンモニウム］＋−パーフルオロビフェニル−［（パーフルオロフェニル（２，３，４−トリフルオロフェニル）（２，５−ジフルオロフェニル）アルミナート］−；［（３−メチルペンチル）（ブチル）アンモニウム］＋−２，４−ジフルオロフェニル−［（パーフルオロインデニル（パーフルオロフルオレニル）（パーフルオロナフチル）アルミナート］−；［（３−メチルペンチル）（パーフルオロメチル）アンモニウム］＋−ペンタフルオロフルオレニル−［（ペンタフルオロナフチル（パーフルオロナフチル）（パーフルオロフルオレニル）アルミナート］−；［（ブチル）（メチル（トリエチルシリル））アンモニウム］＋−テトラフルオロナフチル−［（テトラフルオロナフチル（２，３，４−トリフルオロフェニル）（ペンタフルオロフルオレニル）アルミナート］−；［（ブチル）（３−メチルペンチル）ホスホニウム］＋−テトラフ��オロインデニル−［（２，４−ジフルオロフェニル（パーフルオロナフチル（パーフルオロビフェニル）アルミナート］−；
［（ブチル）（ヘキシル）アンモニウム］＋−パーフルオロインデニル−［パーフルオロナフチル（２，３，５−トリフルオロフェニル）（パーフルオロインデニル）アルミナート］−；［（エチル）（３−メチルペンチル）アンモニウム］＋−パーフルオロビフェニル−［ビス（トリフルオロインデニル）（２，４−ジフルオロフェニル）アルミナート］−；［（エチル）（パーフルオロ−ｔ−ブチル）アンモニウム］＋−パーフルオロフルオレニル［（パーフルオロインデニル（２，５−ジフルオロフェニル）（２，３，４−トリフルオロフェニル）アルミナート］−；［（エチル）（イソヘキシル）ホスホニウム］＋−パーフルオロインデニル−［（パーフルオロビフェニル（パーフルオロナフチル）（２，４−ジフルオロフェニル）アルミナート］−；［（エチル）（パーフルオロペンチル）アンモニウム］＋−２，４−ジフルオロフェニル−［（テトラフルオロナフチル（パーフルオロフェニル）（２，４−ジフルオロフェニル）アルミナート］−；［（エチル）（エチル（トリメチルシリル））ホスホニウム］＋−２，３，５−トリフルオロフェニル−［（パーフルオロインデニル（２，４−ジフルオロフェニル）（パーフルオロフェニル）アルミナート］−；［（エチル（トリエチルシリル））（エチル（トリメチルシリル））アンモニウム］＋−テトラフルオロナフチル［（パーフルオロナフチル（２，５−ジフルオロフェニル）（ペンタフルオロナフチル）アルミナート］−；［（エチル（トリエチルシリル））（エチル（トリメチルシリル））アンモニウム］＋−ペンタフルオロフルオレニル−［ビス（パーフルオロナフチル）（パーフルオロインデニル）アルミナート］−；［（エチル（トリエチルシリル））（エチル（トリメチルシリル））アンモニウム］＋−パーフルオロナフチル−［ビス（パーフルオロフルオレニル）（パーフルオロインデニル）アルミナート］−；［（エチル（トリメチルシリル））（３−メチルペンチル）ホスホニウム］＋−パーフルオロフルオレニル−［（パーフルオロビフェニル（テトラフルオロナフチル）（パーフルオロフルオレニル）アルミナート］−；［（エチル（トリメチルシリル））（２，３，５−トリフルオロフェニル）ホスホニウム］＋−パーフルオロインデニル−［（パーフルオロナフチル（２，５−ジフルオロフェニル）（パーフルオロインデニル）アルミナート］−；［（エチル（トリメチルシリル））（プロピル）アンモニウム］＋−ペンタフルオロフルオレニル−［（パーフルオロナフチル（３，４−ジフルオロフェニル）（２，３−ジフルオロフェニル）アルミナート］−；［（エチル（トリメチルシリル））（ヘプチル）ホスホニウム］＋−ペンタフルオロナフチル−［ビス（パーフルオロフルオレニル）（２，３，５−トリフルオロフェニル）アルミナート］−；［（エチル（トリメチルシリル）（イソヘキシル）アンモニウム］＋−パーフルオロインデニル−［（パーフルオロインデニル（パーフルオロナフチル）（パーフルオロフェニル）アルミナート］−；［（エチル（トリメチルシリル））（オクチル）アンモニウム］＋−パーフルオロビフェニル−［ビス（パーフルオロフェニル）（パーフルオロインデニル）アルミナート］−；［（エチル（トリメチルシリル））（エチル）アンモニウム］＋−パーフルオロフェニル−［（パーフルオロフルオレニル（パーフルオロビフェニル）（トリフルオロインデニル）アルミナート］−；［（ヘプチル）（エチル（トリエチルシリル））アンモニウム］＋−２，５−ジフルオロフェニル−［ビス（パーフルオロビフェニル）（パーフルオロフルオレニル）アルミナート］−；［（ヘキシル）（イソペンチル）アンモニウム］＋−パーフルオロフルオレニル−（パーフルオロフルオレニル（パーフルオロビフェニル）（パーフルオロフェニル）アルミナート］−；［（ヘキシル）（パーフルオロヘプチル）ホスホニウム］＋−パーフルオロインデニル−［ビス（パーフルオロインデニル）（２，３，５−トリフルオロフェニル）アルミナート］−；［（ヘキシル）（ｔ−ブチル）アンモニウム］＋−パーフルオロインデニル−［（パーフルオロビフェニル（３，４−ジフルオロフェニル）（トリフルオロインデニル）アルミナート］−；［（イソヘキシル）（ｔ−ブチル）アンモニウム］＋−パーフルオロビフェニル−［（パーフルオロピレニル（パーフルオロフェニル）（ペンタフルオロフルオレニル）アルミナート］−；［（イソヘキシル）（パーフルオロオクチル）アンモニウム］＋−パーフルオロナフチル−［ビス（パーフルオロインデニル）（パーフルオロナフチル）アルミナート］−；［（イソヘキシル）（パーフルオロ−ｔ−ブチル）アンモニウム］＋−パーフルオロナフチル−［（パーフルオロピレニル（ペンタフルオロフルオレニル）（３，４−ジフルオロフェニル）アルミナート］−；［（イソヘキシル）（ｔ−ブチル）アンモニウム］＋−パーフルオロビフェニル−［（パーフルオロナフチル（２，３，４−トリフルオロフェニル）（２，４−ジフルオロフェニル）アルミナート］］−；［（イソヘキシル）（プロピル）アンモニウム］＋−パーフルオロフルオレニル−［（パーフルオロフェニル（２，３−ジフルオロフェニル）（２，５−ジフルオロフェニル）アルミナート］−；［ビス（イソヘキシル）アンモニウム］＋−パーフルオロインデニル−［ビス（パーフルオロビフェニル）（パーフルオロフルオレニル）アルミナート］−；［（イソヘキシル）（３−メチルペンチル）ホスホニウム］＋−パーフルオロフェニル−［（パーフルオロフルオレニル（２，３，４−トリフルオロフェニル）（パーフルオロビフェニル）アルミナート］−；［（イソペンチル）（メチル（トリエチルシリル））アンモニウム］＋−２，３−ジフルオロフェニル−［トリス（パーフルオロビフェニル）アルミナート］−；［（イソペンチル）（プロピル）アルソニウム］＋−２，３，５−トリフルオロフェニル−［ビス（テトラフルオロナフチル）（パーフルオロフェニル）アルミナート］−；［（イソペンチル）（パーフルオロ−ｔ−ブチル）アンモニウム］＋−パーフルオロフェニル−［ビス（テトラフルオロインデニル）（３，４−ジフルオロフェニル）アルミナート］−；［（イソプロピル）（パーフルオロヘキシル）アンモニウム］＋−パーフルオロナフチル−［ビス（パーフルオロフェニル）（２，５−ジフルオロフェニル）アルミナート］−；［（メチル）（イソペンチル）アンモニウム］＋−ペンタフルオロナフチル−［（パーフルオロインデニル（パーフルオロピレニル）（パーフルオロフェニル）アルミナート］−；［（メチル）（イソヘキシル）アンモニウム］＋−パーフルオロフェニル−［（２，５−ジフルオロフェニル（パーフルオロインデニル）（パーフルオロビフェニル）アルミナート］−；［（メチル）（２，３，６，７−テトラフルオロオクチル）アンモニウム］＋−パーフルオロナフチル−［（パーフルオロフルオレニル（テトラフルオロナフチル）（ペンタフルオロフルオレニル）アルミナート］−；［（メチル）（エチル（トリメチルシリル））アンモニウム］＋−パーフルオロナフチル−［（２，３，５−トリフルオロフェニル（パーフルオロナフチル）（３，４−ジフルオロフェニル）アルミナート］−；［（メチル（トリエチルシリル））（エチル）アンモニウム］＋−２，５−ジフルオロフェニル−［（ペンタフルオロナフチル（パーフルオロナフチル）（テトラフルオロナフチル）アルミナート］−；［（メチル（トリエチルシリル））（２，３，６，７−テトラフルオロオクチル）ホスホニウム］＋−パーフルオロフェニル−［（パーフルオロフェニル（パーフルオロピレニル）（３，４−ジフルオロフェニル）アルミナート］−；［（メチル （トリエチルシリル））（２，３，４，５−テトラフルオロフェニル）アンモニウム］＋−パーフルオロフルオレニル−［（２，３，５−トリフルオロフェニル（テトラフルオロナフチル）（パーフルオロインデニル）アルミナート］−；［（メチル（トリエチルシリル））（パーフルオロエチル）アンモニウム］＋−３，４−ジフルオロフェニル−［（２，５−ジフルオロフェニル（パーフルオロフェニル）（３，４−ジフルオロフェニル）アルミナート］−；
［（メチル（トリメチルシリル））（パーフルオロペンチル）ホスホニウム］＋−パーフルオロナフチル−［ビス（パーフルオロインデニル）（パーフルオロピレニル）アルミナート］−；［（メチル（トリメチルシリル））（３−メチルペンチル）アンモニウム］＋−２，３，４−トリフルオロフェニル−［（パーフルオロフルオレニル（パーフルオロフェニル）（パーフルオロピレニル）アルミナート］−；［（メチル（トリメチルシリル））（（メチル（トリエチルシリル）））アンモニウム］＋−２，３−ジフルオロフェニル−［（パーフルオロフルオレニル（２，５−ジフルオロフェニル）（パーフルオロフェニル）アルミナート］−；［（メチル（トリメチルシリル））（メチル）アンモニウム］＋−パーフルオロフェニル−［（パーフルオロビフェニル（パーフルオロナフチル）（２，３，４−トリフルオロフェニル）アルミナート］−；［（オクチル）（１，２−ジフルオロヘキシル）アンモニウム］＋−パーフルオロフェニル−［（２，３，５−トリフルオロフェニル（２，５−ジフルオロフェニル）（パーフルオロナフチル）アルミナート］−；［（オクチル）（２，３，５−トリフルオロフェニル）アンモニウム］＋−ペンタフルオロフルオレニル−［（２，３，５−トリフルオロフェニル（パーフルオロナフチル）（パーフルオロビフェニル）アルミナート］−；［（オクチル）（イソプロピル）ホスホニウム］＋−ペンタフルオロフルオレニル−［（２，３−ジフルオロフェニル（パーフルオロナフチル）（ペンタフルオロフルオレニル）アルミナート］−；［（オクチル）（イソプロピル）アンモニウム］＋−パーフルオロフルオレニル−［（パーフルオロナフチル（パーフルオロフルオレニル）（テトラフルオロナフチル）アルミナート］−；［（オクチル）（パーフルオロエチル）アンモニウム］−−パーフルオロビフェニル−［（パーフルオロビフェニル（パーフルオロフルオレニル）（パーフルオロフェニル）アルミナート］−；［（ペンチル）（２，３，４，５−テトラフルオロフェニル）ホスホニウム］＋−ペンタフルオロナフチル−［（パーフルオロナフチル（パーフルオロビフェニル）（２，４−ジフルオロフェニル）アルミナート］；［（ペンチル）（２，３，６，７−テトラフルオロオクチル）アンモニウム］＋−パーフルオロインデニル−［ビス（２，３−ジフルオロフェニル）（パーフルオロフェニル）アルミナート］−；［（パーフルオロブチル）（イソペンチル）アンモニウム］＋−２，４−ジフルオロフェニル−［ビス（パーフルオロフェニル）（パーフルオロフルオレニル）アルミナート］−；［（パーフルオロブチル）（イソヘキシル）アルソニウム ］＋−パーフルオロビフェニル−［ビス（パーフルオロフェニル）（２，３−ジフルオロフェニル）アルミナート］−；［（パーフルオロブチル）（パーフルオロフェニル）アルソニウム］＋−２，３，５−トリフルオロフェニル−［ビス（パーフルオロフェニル）（２，５−ジフルオロフェニル）アルミナート］−；［（パーフルオロエチル）（１，６−ジフルオロヘキシル）アルソニウム］＋−テトラフルオロインデニル−［（ペンタフルオロナフチル（テトラフルオロインデニル）（パーフルオロインデニル��アルミナート］−；［（パーフルオロエチル）（エチル）アンモニウム］＋−パーフルオロビフェニル−［（パーフルオロナフチル（トリフルオロインデニル）（２，５−ジフルオロフェニル）アルミナート］−；［（パーフルオロエチル）（パーフルオロメチル）ホスホニウム］＋−テトラフルオロナフチル− ［（パーフルオロインデニル（パーフルオロフェニル）（パーフルオロビフェニル）アルミナート］−；［（パーフルオロヘプチル）（３−メチルペンチル）アンモニウム］＋−２，３−ジフルオロフェニル−［（ペンタフルオロフルオレニル（２，３，５−トリフルオロフェニル）（パーフルオロビフェニル）アルミナート］−；［（パーフルオロヘプチル）（パーフルオロプロピル）ホスホニウム］＋−パーフルオロビフェニル−［（２，３，５−トリフルオロフェニル（パーフルオロビフェニル）（パーフルオロインデニル）アルミナート］−；［（パーフルオロヘプチル）（パーフルオロイソペンチル）アンモニウム］＋−パーフルオロフェニル−［（パーフルオロフェニル（ペンタフルオロフルオレニル）（３，４−ジフルオロフェニル）アルミナート］−；［（パーフルオロヘキシル）（イソプロピル）アルソニウム］＋−パーフルオロナフチル−［（パーフルオロフェニル（パーフルオロインデニル）（パーフルオロフルオレニル）アルミナート］−；［（パーフルオロヘキシル）（パーフルオロプロピル）ホスホニウム］＋−３，４−ジフルオロフェニル−［ビス（２，３，５−トリフルオロフェニル）（パーフルオロナフチル）アルミナート］−；［（パーフルオロヘキシル）（パーフルオロプロピル）アンモニウム］＋−３，４−ジフルオロフェニル−［（テトラ￣フルオロナフチル（２，３−ジフルオロフェニル）（パーフルオロフルオレニル）アルミナート］−；［（パーフルオロイソペンチル）（エチル（トリメチルシリル））アンモニウム］＋−ペンタフルオロフルオレニル−［（パーフルオロインデニル（パーフルオロビフェニル）（パーフルオロナフチル）アルミナート］−；［（パーフルオロイソペンチル）（２，３，４，５−テトラフルオロフェニル）アンモニウム］＋−２，３−ジフルオロフェニル−［（２，４−ジフルオロフェニル（パーフルオロナフチル）（パーフルオロインデニル）アルミナート］−；［（パーフルオロイソペンチル）（１，６−ジフルオロヘキシル）アンモニウム］＋−パーフルオロピレニル−［（２，３−ジフルオロフェニル（２，３，５−トリフルオロフェニル）（ペンタフルオロナフチル）アルミナート］−；［（パーフルオロイソペンチル）（パーフルオロブチル）アンモニウム］＋−パーフルオロフェニル−［（ペンタフルオロフルオレニル（３，４−ジフルオロフェニル）（２，５−ジフルオロフェニル）アルミナート］−；［（パーフルオロイソプロピル）（メチル）アンモニウム］＋−２，３−ジフルオロフェニル−［ビス（パーフルオロナフチル）（ペンタフルオロフルオレニル）アルミナート］−；［（パーフルオロイソプロピル）（エチル）アンモニウム］＋−パーフルオロインデニル−［（パーフルオロナフチル（パーフルオロフルオレニル）（２，３−ジフルオロフェニル）アルミナート］−；［（パーフルオロイソプロピ���）（パーフルオロヘプチル）アルソニウム］＋−パーフルオロインデニル−［ビス（パーフルオロフェニル）（ペンタフルオロナフチル）アルミナート］−；［（パーフルオロイソプロピル）（（メチル（トリエチルシリル）））アンモニウム］＋−３，４−ジフルオロフェニル−［（２，３，４−トリフルオロフェニル（パーフルオロビフェニル）（パーフルオロフェニル）アルミナート］−；［（パーフルオロメチル）（イソプロピル）ホスホニウム］＋− パーフルオロインデニル−［（トリフルオロインデニル（パーフルオロナフチル）（２，３，５−トリフルオロフェニル）アルミナート］−；［（パーフルオロオクチル）（パーフルオロペンチル）アンモニウム］＋−パーフルオロフェニル−［（パーフルオロインデニル（２，４−ジフルオロフェニル）（パーフルオロフルオレニル）アルミナート］−；［（パーフルオロオクチル）（パーフルオロブチル）ホスホニウム］＋−パーフルオロフルオレニル［（パーフルオロフルオレニル（２，４−ジフルオロフェニル）（テトラフルオロナフチル）アルミナート］−；［（パーフルオロペンチル）（パーフルオロ−ｔ−ブチル）アルソニウム］＋− パーフルオロフルオレニル−［（パーフルオロインデニル（ペンタフルオロナフチル）（テトラフルオロナフチル）アルミナート］−；［（パーフルオロペンチル）（メチル（トリメチルシリル））アンモニウム］＋−２，４−ジフルオロフェニル−［（パーフルオロインデニル（パーフルオロピレニル）（パーフルオロフェニル）アルミナート］−；［（パーフルオロペンチル）（エチル（トリメチルシリル））アンモニウム］＋−パーフルオロビフェニル−［（パーフルオロフルオレニル（２，３，５−トリフルオロフェニル）（ペンタフルオロフルオレニル）アルミナート］−；
［（パーフルオロペンチル）（メチル（トリメチルシリル））ホスホニウム］＋−パーフルオロフルオレニル−［（パーフルオロビフェニル（２，５−ジフルオロフェニル）（トリフルオロインデニル）アルミナート］−；［（パーフルオロフェニル）（メチル（トリメチルシリル））アンモニウム］＋−ペンタフルオロフルオレニル−［（テトラフルオロナフチル（パーフルオロインデニル）（トリフルオロインデニル）アルミナート］−；［（パーフルオロフェニル）（メチル）ホスホニウム］＋−３，４−ジフルオロフェニル−［（ペンタフルオロナフチル（テトラフルオロインデニル）（パーフルオロビフェニル）アルミナート］−；［（パーフルオロフェニル）（オクチル）ホスホニウム］＋−パーフルオロインデニル−［ビス（パーフルオロナフチル）（２，３，５−トリフルオロフェニル）アルミナート］−；［（パーフルオロフェニル）（パーフルオロプロピル）アンモニウム］＋−パーフルオロナフチル−［（パーフルオロフルオレニル（ペンタフルオロナフチル）（パーフルオロナフチル）アルミナート］−；［（パーフルオロフェニル）（メチル）アンモニウム］＋−ペンタフルオロナフチル−［（パーフルオロフルオレニル（２，３−ジフルオロフェニル）（トリフルオロインデニル）アルミナート］−；［（パーフルオロフェニル）（パーフルオロメチル）アンモニウム］＋−パーフルオロインデニル−［（パーフルオロフェニル（ペンタフルオロナフチル）（パーフルオロインデニル）アルミナート］−；［（パーフルオロフェニル）（パーフルオロヘキシル）アンモニウム］＋−パーフルオロフェニル−［ビス（２，３−ジフルオロフェニル）（パーフルオロビフェニル）アルミナート］−；［（パーフルオロプロピル）（イソプロピル）アンモニウム］＋−３，４−ジフルオロフェニル−［（テトラフルオロインデニル（２，３，４−トリフルオロフェニル）（パーフルオロピレニル）アルミナート］−；［（パーフルオロプロピル）（パーフルオロヘキシル）ホスホニウム］＋−テトラフルオロナフチル−［（テトラフルオロナフチル（ペンタフルオロフルオレニル）（２，５−ジフルオロフェニル）アルミナート］−；［（パーフルオロプロピル）（メチル（トリメチルシリル））アンモニウム］＋−トリフルオロインデニル−［（パーフルオロインデニル（パーフルオロピレニル）（パーフルオロフルオロエチル）アルミナート］−；［（パーフルオロ−ｔ−ブチル）（３−メチルペンチル）アンモニウム］＋−パーフルオロフルオレニル−［ビス（２，３−ジフルオロフェニル）（パーフルオロビフェニル）アルミナート］−；［（フェニル）（１，６−ジフルオロヘキシル）ホスホニウム］＋−パーフルオロフェニル−［ビス（パーフルオロビフェニル）（テトラフルオロナフチル）アルミナート］−；［（フェニル）（パーフルオロエチル）アンモニウム］＋−パーフルオロピレニル−［（パーフルオロインデニル（テトラフルオロインデニル）（パーフルオロビフェニル）アルミナート］−；［（プロピル）（エチル（トリエチルシリル））ホスホニウム］＋−２，４−ジフルオロフェニル−［（２，３，４−トリフルオロフェニル（ペンタフルオロフルオレニル）（パーフルオロフルオレニル）アルミナート］−；［（プロピル）（３−メチルペンチル）ホスホニウム］＋−３，４−ジフルオロフェニル−［（２，３，４−トリフルオロフェニル（パーフルオロビフェニル）（パーフルオロフルオレニル）アルミナート］−；［（プロピル）（３−メチルペンチル）アルソニウム］＋−２，３，４−トリフルオロフェニル−［ビス（パーフルオロフェニル）（２，４−ジフルオロフェニル）アルミナート］−；［（ｔ−ブチル）（２，３，５−トリフルオロフェニル）アンモニウム］＋−パーフルオロピレニル−［（パーフルオロナフチル（パーフルオロフェニル）（テトラフルオロナフチル）アルミナート］−；［（ｔ−ブチル）（メチル（トリメチルシリル））アンモニウム］＋−パーフルオロフルオレニル−［（パーフルオロビフェニル（２，３，５−トリフルオロフェニル）（２，３，４−トリフルオロフェニル）アルミナート］−；［（ｔ−ブチル）（パーフルオロエチル）アンモニウム］＋−パーフルオロナフチル−［（パーフルオロナフチル（２，３−ジフルオロフェニル）（パーフルオロフルオレニル）アルミナート］−。
【００６４】
典型的なガリウム基両性助触媒活性剤
［（（メチル（トリエチルシリル）））（３−メチルペンチル）アンモニウム］＋−パーフルオロビフェニル−［（パーフルオロナフチル（パーフルオロビフェニル）（パーフルオロフルオレニル）ガリナート（ｇａｌｌｉｎａｔｅ）］− ；［（１，２−ジフルオロヘキシル）（エチル（トリエチルシリル））アンモニウム］＋−パーフルオロナフチル−［ビス（２，５−ジフルオロフェニル）（パーフルオロフルオレニル）ガリナート］−；［（ １，６−ジフルオロヘキシル）（ブチル）ホスホニウム］＋−パーフルオロビフェニル−［（パーフルオロフェニル（２，３−ジフルオロフェニル）（パーフルオロピレニル）ガリナート］−；［（１，６−ジフルオロヘキシル）（パーフルオロ−ｔ−ブチル）ホスホニウム］＋−パーフルオロナフチル−［（パーフルオロインデニル（２，５−ジフルオロフェニル）（３，４−ジフルオロフェニル）ガリナート］− ；［（１，６−ジフルオロヘキシル）（フェニル）ホスホニウム］＋−２，３，４−トリフルオロフェニル−［（２，３，４−トリフルオロフェニル（２，３−ジフルオロフェニル）（パーフルオロビフェニル）ガリナート］−；［（２，３，５−トリフルオロフェニル）（ペンチル）ホスホニウム］＋−テトラフルオロインデニル−［（パーフルオロビフェニル（ペンタフルオロフルオレニル）（パーフルオロインデニル）ガリナート］−；（３−メチルペンチル）（ブチル）アルソニウム］＋−パーフルオロナフチル−［（２，５−ジフルオロフェニル（２，３，５−トリフルオロフェニル）（パーフルオロインデニル）ガリナート］− ；［（３−メチルペンチル）（オクチル）アンモニウム］＋−パーフルオロビフェニル−［（パーフルオロフルオレニル（パーフルオロフェニル）（２，３，５−トリフルオロフェニル）ガリナート］−；［（ブチル）（イソヘキシル）アンモニウム］＋−テトラフルオロインデニル−［（２，３，５−トリフルオロフェニル（２，３，４−トリフルオロフェニル）（パーフルオロフェニル）ガリナート］−；［（ビス（エチル（トリエチルシリル））アンモニウム］＋−ペンタフルオロフルオレニル−［（２，３，４−トリフルオロフェニル（テトラフルオロナフチル）（パーフルオロナフチル）ガリナート］− ；［（エチル（トリエチルシリル））（エチル（トリメチルシリル））ホスホニウム］＋−２，３，５−トリフルオロフェニル−［（トリフルオロインデニル（３，４−ジフルオロフェニル）（２，４−ジフルオロフェニル）ガリナート］−；［（エチル（トリエチルシリル））（パーフルオロイソプロピル）アンモニウム］＋−パーフルオロナフチル−［（３，４−ジフルオロフェニル（２，５−ジフルオロフェニル）（テトラフルオロナフチル）ガリナート］−；［（エチル（トリエチルシリル））（パーフルオロヘキシル）ホスホニウム］＋−パーフルオロフルオレニル−［（パーフルオロフェニル（パーフルオロインデニル）（２，３，５−トリフルオロフェニル）ガリナート］−；［（エチル（トリエチルシリル））（３−メチルペンチル）アンモニウム］＋−２，３−ジフルオロフェニル−［（パーフルオロフェニル（パーフルオロフルオレニル）（パーフルオロインデニル）ガリナート］−；［（エ���ル（トリエチルシリル））（３−メチルペンチル）アンモニウム］＋−トリフルオロインデニル−［（パーフルオロインデニル（ペンタフルオロフルオレニル）（テトラフルオロナフチル）ガリナート］− ；［（エチル（トリメチルシリル））（３−メチルペンチル）アンモニウム］＋−パーフルオロフルオレニル−［（２，４−ジフルオロフェニル（パーフルオロフルオレニル）（２，３，４−トリフルオロフェニル）ガリナート］−；［（ヘプチル）（３−メチルペンチル）アンモニウム］＋−テトラフルオロナフチル−［ビス（パーフルオロビフェニル）（２，４−ジフルオロフェニル）ガリナート］−；［（ヘキシル）（２，３，４，５−テトラフルオロフェニル）アルソニウム］＋−２，５−ジフルオロフェニル−［（ペンタフルオロフルオレニル（２，３−ジフルオロフェニル）（トリフルオロインデニル）ガリナート］−；［（イソヘキシル）（プロピル）アンモニウム］＋−３，４−ジフルオロフェニル−（パーフルオロインデニル（２，５−ジフルオロフェニル）（パーフルオロビフェニル）ガリナート］−；［（イソヘキシル）（３−メチルペンチル）アンモニウム］＋−３，４−ジフルオロフェニル−［（２，５−ジフルオロフェニル（パーフルオロフェニル）（パーフルオロインデニル）ガリナート］−；［（イソヘキシル）（エチル）アンモニウム］＋− ペンタフルオロフルオレニル−［ビス（パーフルオロフェニル）（パーフルオロフルオレニル）ガリナート］−；［（イソヘキシル）（エチル（トリメチルシリル））アンモニウム］＋−２，３，５−トリフルオロフェニル−［（２，５−ジフルオロフェニル（パーフルオロフルオレニル）（パーフルオロフェニル）ガリナート］−；［（イソプロピル）（フェニル）ホスホニウム］＋−２，３，５−トリフルオロフェニル−［（２，３，４−トリフルオロフェニル（パーフルオロフルオレニル）（２，３−ジフルオロフェニル）ガリナート］−；［（イソプロピル）（パーフルオロメチル）アンモニウム］＋−パーフルオロフェニル−［（パーフルオロフェニル（パーフルオロフルオレニル）（２，３，４−トリフルオロフェニル）ガリナート］−；［ビス（イソプロピル）アンモニウム］＋−パーフルオロインデニル−［（トリフルオロインデニル（テトラフルオロナフチル）（パーフルオロピレニル）ガリナート］−；［（イソプロピル）（エチル（トリメチルシリル））アルソニウム］＋−パーフルオロフルオレニル−［（２，５−ジフルオロフェニル（パーフルオロビフェニル）（テトラフルオロナフチル）ガリナート］−；［ビス（メチル）アンモニウム］＋−２，３−ジフルオロフェニル−［ビス（パーフルオロナフチル）（パーフルオロフルオレニル）ガリナート］− ；［（メチル）（エチル）アンモニウム］＋−パーフルオロフルオレニル−［ビス（パーフルオロビフェニル）（パーフルオロインデニル）ガリナート］− ；［（メチル）（オクチル）アンモニウム］＋−ペンタフルオロフルオレニル−［（パーフルオロフルオレニル（パーフルオロビフェニル）（トリフルオロインデニル）ガリナート］− ；［（メチル（トリメチルシリル））（２，３，５−トリフルオロフェニル）アンモニウム］＋−パーフルオロフェニル��（２，３，４−トリフルオロフェニル（パーフルオロビフェニル）（ペンタフルオロナフチル）ガリナート］−；［（メチル（トリメチルシリル））（３−メチルペンチル）アルソニウム］＋−テトラフルオロインデニル−（ペンタフルオロナフチル（パーフルオロインデニル）（パーフルオロフェニル）ガリナート］−；［（メチル（トリメチルシリル））（パーフルオロヘキシル）ホスホニウム］＋−２，３，５−トリフルオロフェニル−［（ペンタフルオロフルオレニル（２，５−ジフルオロフェニル）（パーフルオロビフェニル）ガリナート］−；［（ペンチル）（エチル）アンモニウム］＋−テトラフルオロナフチル−［（パーフルオロナフチル［（パーフルオロピレニル）（パーフルオロインデニル）ガリナート］−；［（パーフルオロブチル）（パーフルオロイソペンチル）アンモニウム］＋−パーフルオロフェニル−［ビス（パーフルオロフェニル）（トリフルオロインデニル）ガリナート］−；［（パーフルオロブチル）（パーフルオロフェニル）アルソニウム］＋−２，３，５−トリフルオロフェニル−［（パーフルオロビフェニル（パーフルオロフルオレニル）（２，３，４−トリフルオロフェニル）ガリナート］−；［ビス（パーフルオロヘキシル）アルソニウム］＋−パーフルオロナフチル−［（２，３，４−トリフルオロフェニル（パーフルオロフェニル）（パーフルオロナフチル））ガリナート］−；［（パーフルオロヘキシル）（メチル（トリメチルシリル））アンモニウム］＋−パーフルオロフルオレニル−［（テトラフルオロナフチル（２，３，５−トリフルオロフェニル）（パーフルオロビフェニル）ガリナート］−；［（パーフルオロヘキシル）（エチル）ホスホニウム］＋−２，３，５−トリフルオロフェニル−［ビス（パーフルオロビフェニル）（パーフルオロインデニル）ガリナート］−；［（パーフルオロイソペンチル）（ブチル）アンモニウム］＋−パーフルオロインデニル−［（パーフルオロフェニル（２，３，４−トリフルオロフェニル）（テトラフルオロインデニル） ガリナート］−；［（パーフルオロイソプロピル）（パーフルオロメチル）アンモニウム］＋−パーフルオロナフチル−［ビス（パーフルオロナフチル）（ペンタフルオロフルオレニル）ガリナート］−；［（パーフルオロオクチル）（エチル（トリメチルシリル））アンモニウム］＋−パーフルオロビフェニル−［（２，３−ジフルオロフェニル（パーフルオロナフチル）（パーフルオロフェニル））ガリナート］−；［（パーフルオロフェニル）（メチル（トリメチルシリル））アンモニウム］＋−パーフルオロナフチル−［（パーフルオロフルオレニル（パーフルオロピレニル）（パーフルオロビフェニル）ガリナート］−；［（パーフルオロフェニル）（イソヘキシル）ホスホニウム］＋−パーフルオロフルオレニル−［（パーフルオロインデニル（テトラフルオロインデニル）（パーフルオロビフェニル））ガリナート］−；［（パーフルオロフェニル）（パーフルオロメチル）アルソニウム］＋−パーフルオロインデニル−［（ペンタフルオロナフチル（２，３−ジフルオロフェニル）（パーフルオロフェニル）ガリナート］−；［（パーフルオロプロピル）（プロピル）ホスホニウム］＋���パーフルオロフェニル−［（２，４−ジフルオロフェニル（２，３，５−トリフルオロフェニル）（ペンタフルオロフルオレニル）ガリナート］−；［（パーフルオロ−ｔ−ブチル）（エチル）アンモニウム］＋−パーフルオロフェニル−［（パーフルオロフェニル（２，３，５−トリフルオロフェニル）（パーフルオロナフチル）ガリナート］−；［（ｔ−ブチル）（イソヘキシル）アンモニウム］＋−トリフルオロインデニル−［（パーフルオロナフチル（ペンタフルオロナフチル）（パーフルオロピレニル）ガリナート］−；［（ｔ−ブチル）（パーフルオロイソプロピル）ホスホニウム］＋−パーフルオロフェニル−［（パーフルオロナフチル（パーフルオロインデニル）（パーフルオロフルオレニル）ガリナート］−
【００６５】
触媒を活性化させる反応前における典型的な両性助触媒／触媒系
［（メチル（トリエチルシリル））（２，３，４，５−テトラフルオロフェニル）ホスホニウム］＋−パーフルオロビフェニル−［（２，３，５−トリフルオロフェニル（パーフルオロビフェニル）（２，３，４−トリフルオロフェニル）アルミナート］−／（４−アルキル−１−フェニル）（４−ｔ−ブチル−１−フェニル）メチル（シクロペンタジエニル）（フルオレニル）ハフニウムジメチル；［（メチル（トリメチルシリル））（パーフルオロペンチル）ホスホニウム］＋−パーフルオロフェニル−［（パーフルオロフルオレニル（テトラフルオロナフチル）（パーフルオロナフチル）アルミナート］−／（４−アルキル−１−フェニル）（４−ｔ−ブチル−１−フェニル）メチル（シクロペンタジエニル）（フルオレニル）ハフニウムジメチル；［（メチル（トリメチルシリル））（イソヘキシル）ホスホニウム］＋−パーフルオロナフチル−［（３，４−ジフルオロフェニル（パーフルオロフェニル）（２，３−ジフルオロフェニル）アルミナート］−／（４−アルキル−１−フェニル）（４−ｔ−ブチル−１−フェニル）メチル（シクロペンタジエニル）（フルオレニル）ハフニウムジメチル；［（パーフルオロペンチル）（エチル（トリメチルシリル））ホスホニウム］＋−２，３，５−トリフルオロフェニル−［ビス（ペンタフルオロフルオレニル）（３，４−ジフルオロフェニル）アルミナート］−／（４−アルキル−１−フェニル）（４−ｔ−ブチル−１−フェニル）メチル（シクロペンタジエニル）（フルオレニル）ハフニウムジメチル；［（１，６−ジフルオロヘキシル）（イソヘキシル）ホスホニウム］＋−ペンタフルオロフルオレニル−［（ペンタフルオロナフチル（２，３，５−トリフルオロフェニル）（パーフルオロフルオレニル）ボラート］−／（４−アルキル−１−フェニル）（４−ｔ−ブチル−１−フェニル）メチル（シクロペンタジエニル）（フルオレニル）ハフニウムジメチル；［（ブチル）（メチル（トリメチルシリル））アンモニウム］＋−パーフルオロビフェニル−［（２，４−ジフルオロフェニル（２，３，５−トリフルオロフェニル）（２，５−ジフルオロフェニル）ボラート］−／（４−アルキル−１−フェニル）（４−ｔ−ブチル−１−フェニル）メチル（シクロペンタジエニル）（フルオレニル）ハフニウムジメチル；［（エチル）（１，６−ジフルオロヘキシル）ホスホニウム］＋−２，４−ジフルオロフェニル−［（２，３，５−トリフルオロフェニル（パーフルオロフルオレニル）（パーフルオロインデニル）ボラート］−／（４−アルキル−１−フェニル）（４−ｔ−ブチル−１−フェニル）メチル（シクロペンタジエニル）（フルオレニル）ハフニウムジメチル；［（エチル（トリメチルシリル））（１，２−ジフルオロヘキシル）アンモニウム］＋−パーフルオロナフチル−［（パーフルオロフルオレニル（トリフルオロインデニル）（パーフルオロナフチル）ボラート］−／（４−アルキル−１−フェニル）（４−ｔ−ブチル−１−フェニル）メチル（シクロペンタジエニル）（フルオレニル）ハフニウムジメチル；［（ヘプチル）（イソペンチル）アルソニウム］＋−ペンタフルオロフルオレニル−［ビス（パーフルオロインデニル）（パーフルオロフルオレニル）ボラート］−／（４−アルキル−１−フェニル）（４−ｔ−ブチル−１−フェニル）メチル（シクロペンタジエニル）（フルオレニル）ハフニウムジメチル；［（イソヘキシル）（パーフルオロフェニル）アンモニウム］＋−ペンタフルオロナフチル−［ビス（パーフルオロインデニル）（ペンタフルオロナフチル）ボラート］−／（４−アルキル−１−フェニル）（４−ｔ−ブチル−１−フェニル）メチル（シクロペンタジエニル）（フルオレニル）ハフニウムジメチル；［（メチル（トリエチルシリル））（３−メチルペンチル）アンモニウム］＋−２，３−ジフルオロフェニル；［（パーフルオロナフチル（パーフルオロインデニル）（パーフルオロフルオレニル）ボラート）−／（４−アルキル−１−フェニル）（４−ｔ−ブチル−１−フェニル）メチル（シクロペンタジエニル）（フルオレニル）ハフニウムジメチル；［（ペンチル）（ヘプチル）アンモニウム］＋−２，４−ジフルオロフェニル−［（パーフルオロビフェニル（２，３，４−トリフルオロフェニル）（３，４−ジフルオロフェニル）ボラート］−／（４−アルキル−１−フェニル）（４−ｔ−ブチル−１−フェニル）メチル（シクロペンタジエニル）（フルオレニル）ハフニウムジメチル；［（パーフルオロイソペンチル）（ １，６−ジフルオロヘキシル）ホスホニウム］＋−パーフルオロナフチル−［（２，５−ジフルオロフェニル（パーフルオロビフェニル）（パーフルオロフェニル）ボラート］−／（４−アルキル−１−フェニル）（４−ｔ−ブチル−１−フェニル）メチル（シクロペンタジエニル）（フルオレニル）ハフニウムジメチル；［（パーフルオロメチル）（パーフルオロフェニル）アンモニウム］＋−パーフルオロインデニル−［（２，３，４−トリフルオロフェニル（３，４−ジフルオロフェニル）（テトラフルオロインデニル）ボラート］−／（４−アルキル−１−フェニル）（４−ｔ−ブチル−１−フェニル）メチル（シクロペンタジエニル）（フルオレニル）ハフニウムジメチル；
［（パーフルオロペンチル）（ｔ−ブチル）ホスホニウム］＋−パーフルオロビフェニル−［（パーフルオロフェニル（パーフルオロインデニル）（パーフルオロフルオレニル）ボラート］−／（４−アルキル−１−フェニル）（４−ｔ−ブチル−１−フェニル）メチル（シクロペンタジエニル）（フルオレニル）ハフニウムジメチル；［（オクチル）（イソプロピル）アンモニウム］＋−パーフルオロナフチル−［（パーフルオロナフチル（２，５−ジフルオロフェニル）（２，３−ジフルオロフェニル）アルミナート］−／（ペンタメチルシクロペンタジエニル）（シクロペンタジエニル）ジルコニウムジメチル；［（パーフルオロペンチル）（パーフルオロイソペンチル）アンモニウム］＋−ペンタフルオロフルオレニル−［ビス（パーフルオロナフチル）（２，３，５−トリフルオロフェニル）アルミナート］−／（ペンタメチルシクロペンタジエニル）（シクロペンタジエニル）ジルコニウムジメチル；［（１，２−ジフルオロヘキシル）（オクチル）アンモニウム］＋−パーフルオロフェニル−［（２，３，５−トリフルオロフェニル（テトラフルオロナフチル）（パーフルオロピレニル）ボラート］−／（ペンタメチルシクロペンタジエニル）（シクロペンタジエニル）ジルコニウムジメチル；［（１，２−ジフルオロヘキシル）（（メチル（トリエチルシリル）））アンモニウム］＋−２，４−ジフルオロフェニル−［（ペンタフルオロナフチル（２，５−ジフルオロフェニル）（パーフルオロインデニル）ボラ−ト］−／（ペンタメチルシクロペンタジエニル）（シクロペンタジエニル）ジルコニウムジメチル；［（２，３，４，５−テトラフルオロフェニル）（メチル（トリメチルシリル））アンモニウム］＋−３，４−ジフルオロフェニル−［（テトラフルオロインデニル（パーフルオロフェニル）（２，５−ジフルオロフェニル）ボラート］−／（ペンタメチルシクロペンタジエニル）（シクロペンタジエニル）ジルコニウムジメチル；［（ブチル）（イソヘキシル）アンモニウム］＋−ペンタフルオロフルオレニル−［（２，３，５−トリフルオロフェニル（パーフルオロインデニル）（パーフルオロフェニル）ボラート］−／（ペンタメチルシクロペンタジエニル）（シクロペンタジエチル）ジルコニウムジメチル；［（ブチル）（イソヘキシル）ホスホニウム］＋−ペンタフルオロフルオレニル−［ビス（パーフルオロフルオレニル）（テトラフルオロインデニル）ボラ−ト］−／（ペンタメチルシクロペンタジエニル）（シクロペンタジエニル）ジルコニウムジメチル；［（エチル）（２，３，６，７−テトラフルオロオクチル）アンモニウム］＋−パーフルオロインデニル−［（パーフルオロフェニル（ペンタフルオロフルオレニル）（テトラフルオロインデニル）ボラート］−／（ペンタメチルシクロペンタジエニル）（シクロペンタジエニル）ジルコニウムジメチル；［（ヘキシル）エチル（トリエチルシリル））アンモニウム］＋− ペンタフルオロナフチル−［（パーフルオロビフェニル（パーフルオロナフチル）（テトラフルオロナフチル）ボラート］−／（ペンタメチルシクロペンタジエニル）（シクロペンタジエニル）ジルコニウムジメチル；［（イソヘキシル）（フェニル）アン��ニウム］＋−ペンタフルオロナフチル−［ビス（パーフルオロビフェニル）（パーフルオロフェニル）ボラート］−／（ペンタメチルシクロペンタジエニル）（シクロペンタジエニル）ジルコニウムジメチル；［（イソヘキシル）（３−メチルペンチル）アンモニウム］＋−パーフルオロビフェニル−［ビス（パーフルオロナフチル）（トリフルオロインデニル）ボラート］−／（ペンタメチルシクロペンタジエニル）（シクロペンタジエチル）ジルコニウムジメチル；［（イソペンチル）（エチル（トリメチルシリル））アンモニウム］＋−パーフルオロナフチル−［（パーフルオロフルオレニル（パーフルオロフェニル）（パーフルオロナフチル）ボラート］−／（ペンタメチルシクロペンタジエニル）（シクロペンタジエニル）ジルコニウムジメチル；［（イソプロピル）（パーフルオロヘキシル）ホスホニウム］＋−パーフルオロインデニル−［（３，４−ジフルオロフェニル（ペンタフルオロフルオレニル）（パーフルオロナフチル）ボラート］−／（ペンタメチルシクロペンタジエニル）（シクロペンタジエニル）ジルコニウムジメチル；［（メチル（トリメチルシリル））（２，３，６，７−テトラフルオロオクチル）アンモニウム］＋−３，４−ジフルオロフェニル−［（テトラフルオロナフチル（パーフルオロナフチル）（パーフルオロフェニル）ボラート］−／（ペンタメチルシクロペンタジエニル）（シクロペンタジエニル）ジルコニウムジメチル；［（パーフルオロメチル）（エチル（トリエチルシリル））アンモニウム］＋−パーフルオロナフチル−［（ペンタフルオロナフチル（パーフルオロビフェニル）（パーフルオロナフチル）ボラート］− ／（ペンタメチルシクロペンタジエニル）（シクロペンタジエニル）ジルコニウムジメチル；［（パーフルオロオクチル）（パーフルオロイソプロピル） ホスホニウム］＋−パーフルオロフェニル−［ビス（パーフルオロビフェニル（２，３，４−トリフルオロフェニル）ボラート］−／（ペンタメチルシクロペンタジエニル）（シクロペンタジエニル）ジルコニウムジメチル；［（パーフルオロオクチル）（オクチル）アンモニウム］＋−３，４−ジフルオロフェニル−［（２，３，４−トリフルオロフェニル（２，４−ジフルオロフェニル）（パーフルオロナフチル）ボラート］−／（ペンタメチルシクロペンタジエニル）（シクロペンタジエニル）ジルコニウムジメチル；［（パーフルオロフェニル）（パーフルオロフェニル）アンモニウム］＋−パーフルオロビフェニル−［（パーフルオロナフチル（パーフルオロフルオレニル）（２，４−ジフルオロフェニル）ボラート］−／（ペンタメチルシクロペンタジエニル）（シクロペンタジエニル）ジルコニウムジメチル；（パーフルオロプロピル）（パーフルオロイソペンチル）アンモニウム］＋−パーフルオロビフェニル−［（２，５−ジフルオロフェニル（パーフルオロナフチル）（パーフルオロインデニル）ボラート］−／（ペンタメチルシクロペンタジエニル）（シクロペンタジエニル）ジルコニウムジメチル；［（パーフルオロイソペンチル）（ヘプチル）ホスホニウム］＋−パーフルオロインデニル−［（テトラフルオロナフチル（ペンタフルオロフルオレニル）（パーフルオロナフチル）ガリナート］− ／（ペンタ（メチルシクロペンタジエニル）（シクロペンタジエニル）ジルコニウムジメチル；［（（メチル（トリエチルシリル）））（１，６−ジフルオロヘキシル）ホスホニウム］＋−テトラフルオロインデニル−［（２，５−ジフルオロフェニル（３，４−ジフルオロフェニル）（２，４−ジフルオロフェニル）アルミナート］−／（テトラメチルシクロペンタジエニル）（ｎ−プロピルシクロペンタジエニル）ジルコニウムジメチル；［（イソプロピル）（パーフルオロイソプロピル）ホスホニウム］＋−パーフルオロナフチル−［（パーフルオロフェニル（テトラフルオロナフチル）（２，３−ジフルオロフェニル）アルミナート］−／（テトラメチルシクロペンタジエニル）（ｎ−プロピルシクロペンタジエニル）ジルコニウムジメチル；
［（１，２−ジフルオロヘキシル）（２，３，６，７−テトラフルオロオクチル）アンモニウム］＋−パーフルオロインデニル−［ビス（２，５−ジフルオロフェニル）（ペンタフルオロナフチル）ボラート］−／（テトラメチルシクロペンタジエニル）（ｎ−プロピルシクロペンタジエニル）ジルコニウムジメチル；［（２，３，６，７−テトラフルオロオクチル）（オクチル）ホスホニウム］＋−パーフルオロビフェニル−［（パーフルオロインデニル（パーフルオロビフェニル）（２，４−ジフルオロフェニル）ボラート］−／（テトラメチルシクロペンタジエニル）（ｎ−プロピルシクロペンタジエニル）ジルコニウムジメチル；［（２，３，６，７−テトラフルオロオクチル）（パーフルオロプロピル）ホスホニウム］＋−ペンタフルオロナフチル−［ビス（テトラフルオロインデニル）（ペンタフルオロナフチル）ボラート］−／（テトラメチルシクロペンタジエニル）（ｎ−プロピルシクロペンタジエニル）ジルコニウムジメチル；［（３−メチルペンチル）（イソプロピル）ホスホニウム］＋−２，４−ジフルオロフェニル−［（２，３−ジフルオロフェニル（パーフルオロフルオレニル）（パーフルオロビフェニル）ボラート］−／（テトラメチルシクロペンタジエニル）（ｎ−プロピルシクロペンタジエニル）ジルコニウムジメチル；［（３−メチルペンチル）（メチル（トリメチルシリル））アンモニウム］＋−パーフルオロフルオレニル−［（パーフルオロフェニル（ペンタフルオロナフチル）（パーフルオロフルオレニル）ボラート］−／（テトラメチルシクロペンタジエニル）（ｎ−プロピルシクロペンタジエニル）ジルコニウムジメチル；［（エチル（トリメチルシリル））（３−メチルペンチル）アンモニウム］＋−２，４−ジフルオロフェニル−［（２，３，４−トリフルオロフェニル（パーフルオロビフェニル）（パーフルオロナフチル）ボラート］−／（テトラメチルシクロペンタジエニル）（ｎ−プロピルシクロペンタジエニル）ジルコニウムジメチル；［（イソペンチル）（エチル（トリメチルシリル））アンモニウム］＋−パーフルオロピレニル−［（ペンタフルオロフルオレニル（パーフルオロインデニル）（パーフルオロフェニル）ボラート］−／（テトラメチルシクロペンタジエニル）（ｎ−プロピルシクロペンタジエニル）ジルコニウムジメチル；［（メチル（トリメチルシリル））（ヘプチル） ホスホニウム］＋−パーフルオロナフチル−［（２，４−ジフルオロフェニル（パーフルオロビフェニル）（２，５−ジフルオロフェニル）ボラート］−／（テトラメチルシクロペンタジエニル）（ｎ−プロピルシクロペンタジエニル）ジルコニウムジメチル；［（ペンチル）（パーフルオロヘキシル）アンモニウム］＋−パーフルオロフェニル−［（パーフルオロフェニル（パーフルオロビフェニル）（パーフルオロインデニル）ボラート］−／（テトラメチルシクロペンタジエチル）（ｎ−プロピルシクロペンタジエニル）ジルコニウムジメチル；［（パーフルオロイソペンチル）（ヘキシル）アンモニウム］＋−パーフルオロフェニル−［ビス（２，３，４トリフルオロフェニル）（テトラフルオロインデニル）ボラート］−／（テトラメチルシクロペンタジエニル）（ｎ��プロピルシクロペンタジエニル）ジルコニウムジメチル］；［（パーフルオロ−ｔ−ブチル）（パーフルオロプロピル）アンモニウム］＋−パーフルオロビフェニル−［３，４−ジフルオロフェニル（パーフルオロビフェニル）（テトラフルオロインデニル）ボラート−／（テトラメチルシクロペンタジエニル）（ｎ−プロピルシクロペンタジエニル）ジルコニウムジメチル（ビス（ｔ−ブチル）アンモニウム］＋−パーフルオロピレニル［（パーフルオロビフェニル（パーフルオロインデニル）（パーフルオロフルオレニル）ボラート］−／（テトラメチルシクロペンタジエニル）（ｎ−プロピルシクロペンタジエニル）ジルコニウムジメチル；［（１，２−ジフルオロヘキシル）（パーフルオロイソペンチル）アンモニウム］＋−パーフルオロフルオレニル−［（ペンタフルオロフルオレニル（パーフルオロフェニル）（２，３，４−トリフルオロフェニル）アルミナート］−／ビス（１，３−ジブチル−メチルシクロペンタジエニル）ジルコニウムジメチル；［（２，３，６， ７−テトラフルオロオクチル）（パーフルオロ−ｔ−ブチル）アンモニウム］＋−テトラフルオロインデニル−［（２，４−ジフルオロフェニル（パーフルオロナフチル）（パーフルオロフェニル）アルミナート］−／ビス（１，３−ジブチル−メチルシクロペンタジエニル）ジルコニウムジメチル；［（メチル（トリメチルシリル））（ １，２−ジフルオロヘキシル）アンモニウム］＋−パーフルオロインデニル−［（２，３，５−トリフルオロフェニル（テトラフルオロナフチル）（トリフルオロインデニル）アルミナート］−／ビス（１，３−ジブチル−メチルシクロペンタジエニル）ジルコニウムジメチル；［（ペンチル）（３−メチルペンチル）アンモニウム］＋−２，３，４−トリフルオロフェニル−［ビス（パーフルオロインデニル）（パーフルオロナフチル）アルミナート］−／ビス（１，３−ジブチル−メチルシクロペンタジエニル）ジルコニウムジメチル；［（パーフルオロフェニル）（パーフルオロエチル）アンモニウム］＋−パーフルオロビフェニル−［（２，４−ジフルオロフェニル（パーフルオロインデニル）（３，４−ジフルオロフェニル）アルミナート］−／ビス（１，３−ジブチル−メチル−シクロペンタジエニル）ジルコニウムジメチル；［（１，２−ジフルオロヘキシル）（１，６−ジフルオロヘキシル）アンモニウム］＋−パーフルオロナフチル−［トリス（パーフルオロインデニル）ボラート］−／ビス（１ ，３−ジブチル−メチル−シクロペンタジエニル）ジルコニウムジメチル；［（２，３，６，７−テトラフルオロオクチル）（パーフルオロヘキシル）アンモニウム］＋−テトラフルオロナフチル−［（パーフルオロピレニル（パーフルオロビフェニル）（パーフルオロナフチル）ボラート］−／ビス（１，３−ジブチル−メチル−シクロペンタジエニル）ジルコニウムジメチル；［（エチル）（エチル（トリメチルシリル））アンモニウム］＋−パーフルオロフェニル−［（ペンタフルオロナフチル（テトラフルオロナフチル）（パーフルオロフルオレニル）ボラート］−／ビス（１，３−ジブチル−メチルシクロペンタジエニル）ジルコニウムジメチル；［（イソヘキシル）（フェニル）ア��モニウム］＋−２，３−ジフルオロフェニル−［ビス（パーフルオロインデニル）（３，４−ジフルオロフェニル）ボラート］−／ビス （１ ，３−ジブチル−メチル−シクロペンタジエニル）ジルコニウムジメチル；［（イソヘキシル）（パーフルオロフェニル）アンモニウム］＋−パーフルオロフルオレニル−［（２，３，４−トリフルオロフェニル（ペンタフルオロナフチル）（パーフルオロナフチル）ボラート］−／ビス（１ ，３−ジブチル−メチルシクロペンタジエニル）ジルコニウムジメチル；［（パーフルオロヘキシル）（ヘプチル）アンモニウム］＋−テトラフルオロインデニル−［ビス（パーフルオロインデニル）（パーフルオロフルオレニル）ボラート］−／ビス（１，３−ジブチル−メチル−シクロペンタジエニル）ジルコニウムジメチル；
［（パーフルオロイソペンチル）（イソヘキシル）ホスホニウム］＋−テトラフルオロナフチル−［（パーフルオロビフェニル（２，３，４−トリフルオロフェニル）（パーフルオロインデニル）ボラート］−／ビス（１ ，３−ジブチル−メチル−シクロペンタジエニル）ジルコニウムジメチル；［（フェニル）（エチル（トリエチルシリル））アンモニウム］＋−パーフルオロナフチル−［ビス（パーフルオロフェニル）（パーフルオロインデニル）ボラート］−／ビス（１，３−ジブチル−メチル−シクロペンタジエニル）ジルコニウムジメチル；［（イソヘキシル）（ｔ−ブチル）ホスホニウム］＋−ペンタフルオロフルオレニル−［（テトラフルオロナフチル（ペンタフルオロナフチル）（パーフルオロビフェニル）ガリナート］−／ビス（１ ，３−ジブチル−メチル−シクロペンタジエニル）ジルコニウムジメチル；［（ペンチル）（ｔ−ブチル）ホスホニウム］＋−パーフルオロフルオレニル−［（パーフルオロナフチル（トリフルオロインデニル）（パーフルオロインデニル）ガリナート］−／ビス（１ ，３−ジブチル−メチルシクロペンタジエニル）ジルコニウムジメチル；［（パーフルオロフェニル）（パーフルオロオクチル）アンモニウム］＋−パーフルオロフルオレニル−［（テトラフルオロナフチル（テトラフルオロインデニル）（パーフルオロインデニル）ガリナート］−／ビス（１，３−ジブチル−メチルシクロペンタジエニル）ジルコニウムジメチル；［（ｔ−ブチル）（２，３，５−トリフルオロフェニル）ホスホニウム］＋−パーフルオロナフチル−［（パーフルオロフルオレニル（パーフルオロナフチル）（パーフルオロインデニル）ガリナート］−／ビス（１ ，３−ジブチル−メチルシクロペンタジエニル）ジルコニウムジメチル；（ビス（（メチル（トリエチルシリル）））ホスホニウム］＋−トリフルオロインデニル−［（パーフルオロインデニル（パーフルオロフェニル）（３，４−ジフルオロフェニル）アルミナート］−／ビス（４−トリスエチルシリル）メチル（シクロペンタジエニル）（２，７−ジ−ｔ−ブチルフルオレニル）ハフニウムジメチル；［（（メチル（トリエチルシリル）））（パーフルオロヘキシル）アンモニウム］＋−テトラフルオロインデニル（パーフルオロビフェニル（パーフルオロフェニル（テトラフルオロナフチル）ボラート］−／ビス（４−トリスエチルシリル）メチル（シクロペンタジエニル）（２，７−ジ−ｔ−ブチルフルオレニル）ハフニウムジメチル；［（（メチル（トリエチルシリル）））（イソペンチル）アンモニウム］＋−パーフルオロフェニル−［（パーフルオロナフチル（パーフルオロビフェニル）（２，３，５−トリフルオロフェニル）ボラート］−／ビス（４−トリスエチルシリル）メチル（シクロペンタジエニル）（２，７−ジ−ｔ−ブチルフルオレニル）ハフニウムジメチル；［（（メチル（トリエチルシリル）））（パーフルオロヘキシル）アンモニウム］＋−２，３，４−トリフルオロフェニル−［（パーフルオロフルオレニル（パーフルオロビフェニル）（パーフルオロフェニル）ボラート］−／ビス（４−トリスエチルシリル）メチル（シクロペンタジエニル）（２，７−ジ−ｔ−ブチルフルオレニル）ハフ��ウムジメチル；［（１ ，２−ジフルオロヘキシル）（イソプロピル）アンモニウム］＋−３，４−ジフルオロフェニル−［（パーフルオロフルオレニル（２，３−ジフルオロエチル）（テトラフルオロナフチル）ボラート］−／ビス（４−トリスメチルシリル）メチル（シクロペンタジエニル）（２，７−ジ−ｔ−ブチルフルオレニル）ハフニウムジメチル；［（２，３，４，５−テトラフルオロフェニル）（イソヘキシル）アンモニウム］＋−２，３−ジフルオロフェニル−［（２，３，４−トリフルオロフェニル（３，４−ジフルオロフェニル）（テトラフルオロナフチル）ボラート］−／ビス（４−トリスエチルシリル）メチル（シクロペンタジエニル）（２，７−ジ−ｔ−ブチルフルオレニル）ハフニウムジメチル；（ビス（２，３，６，７−テトラフルオロオクチル）アンモニウム］＋−パーフルオロビフェニル−［（パーフルオロフェニル（３，４−ジフルオロフェニル）（パーフルオロピレニル）ボラート］−／ビス（４−トリスエチルシリル）メチル（シクロペンタジエニル）（２，７−ジ−ｔ−ブチルフルオレニル）ハフニウムジメチル；［（３−メチルペンチル）（エチル）アンモニウム］＋−２，３−ジフルオロフェニル−［（２，４−ジフルオロフェニル（パーフルオロインデニル）（パーフルオロフェニル）ボラート］−／ビス（４−トリスエチルシリル）メチル（シクロペンタジエニル）（２，７−ジ−ｔ−ブチルフルオレニル）ハフニウムジメチル；［（３−メチルペンチル）（プロピル）アルソニウム］＋−パーフルオロピレニル−［（パーフルオロビフェニル）（パーフルオロフルオレニル（２，３，４−トリフルオロフェニル）ボラート］−／ビス（４−トリスエチルシリル）メチル（シクロペンタジエニル）（２ ，７−ジ−ｔ−ブチルフルオレニル）ハフニウムジメチル；［（パーフルオロメチル）（オクチル）アンモニウム］＋−パーフルオロナフチル−［（パーフルオロナフチル（パーフルオロビフェニル）（パーフルオロフルオロエチル）ボラート］−／ビス（４−トリスエチルシリル）メチル（シクロペンタジエニル）（２，７−ジ−ｔ−ブチルフルオレニル）ハフニウムジメチル；［（フェニル）（パーフルオロイソペンチルアンモニウム］＋−パーフルオロインデニル−［（テトラフルオロインデニル（３，４−ジフルオロフェニル）（パーフルオロインデニル）ボラート］−／ビス（４−トリスエチルシリル）メチル（シクロペンタジエニル）（２，７−ジ−ｔ−ブチルフルオレニル）ハフニウムジメチル；［（エチル（トリエチルシリル））（１，２−ジフルオロヘキシル）ホスホニウム］＋−パーフルオロビフェニル−［（２，５−ジフルオロフェニル］（テトラフルオロナフチル）（パーフルオロピレニル）ガリナート］−／ビス（４−トリスエチルシリル）メチル（シクロペンタジエニル）（２，７−ジ−ｔ−ブチルフルオレニル）ハフニウムジメチル；［（メチル）（メチル（トリメチルシリル））アルソニウム］＋− パーフルオロフルオレニル−［（２，３，５−トリフルオロフェニル（パーフルオロナフチル）（パーフルオロフェニル）ガリナート］−／ビス（４−トリスエチルシリル）メチル（シクロペンタジエニル）（２，７−ジ−ｔ−ブチルフルオレ��ル）ハフニウムジメチル；［（ブチル）（（メチル（トリエチルシリル）））アンモニウム］＋−パーフルオロインデニル−［（パーフルオロビフェニル（パーフルオロフルオレニル）（テトラフルオロナフチル）アルミナート］−／ビス（４−トリスエチルシリル）メチル（シクロペンタジエニル）（フルオレニル）ハフニウムジメチル；［（エチル（トリエチルシリル））（ペンチル）アンモニウム］＋−パーフルオロナフチル−［（パーフルオロフェニル（２，４−ジフルオロフェニル）（パーフルオロナフチル）アルミナート］−／ビス（４−トリスエチルシリル）メチル（シクロペンタジエニル）（フルオレニル）ハフニウムジメチル；［（メチル（トリメチルシリル））（ｔ−ブチル）ホスホニウム］＋−トリフルオロインデニル−［（パーフルオロフェニル（パーフルオロフルオレニル）（パーフルオロインデニル）アルミナート］−／ビス（４−トリスエチルシリル）メチル（シクロペンタジエニル）（フルオレニル）ハフニウムジメチル；
［（パーフルオロメチル）（エチル（トリエチルシリル））ホスホニウム］＋−パーフルオロナフチル−［（パーフルオロフェニル（パーフルオロフルオレニル）（トリフルオロインデニル）アルミナート］−／ビス（４−トリスエチルシリル）メチル（シクロペンタジエニル）（フルオレニル）ハフニウムジメチル；［（パーフルオロ−ｔ−ブチル）（ペンチル）アンモニウム ］＋−パーフルオロビフェニル−［ビス（パーフルオロフルオレニル）（パーフルオロビフェニル）アルミナート］−／ビス（４−トリスエチルシリル）メチル（シクロペンタジエニル）（フルオレニル）ハフニウムジメチル；［（１ ，２−ジフルオロヘキシル）（パーフルオロメチル）アンモニウム］＋−テトラフルオロインデニル−［（パーフルオロフルオレニル（パーフルオロフェニル）（パーフルオロピレニル）ボラート］−／ビス（４−トリスエチルシリル）メチル（シクロペンタジエニル）（フルオレニル）ハフニウムジメチル；［（２，３，４，５−テトラフルオロフェニル）（パーフルオロペンチル）アンモニウム］＋−ペンタフルオロナフチル−［（パーフルオロインデニル（２，３−ジフルオロフェニル）（テトラフルオロインデニル）ボラート］−／ビス（４−トリスエチルシリル）メチル（シクロペンタジエニル）（フルオレニル）ハフニウムジメチル；［（イソヘキシル）（ｔ−ブチル）アンモニウム］＋−テトラフルオロナフチル−［（ペンタフルオロフルオレニル（パーフルオロビフェニル）（２，３−ジフルオロフェニル）ボラート］−／ビス（４−トリスエチルシリル）メチル（シクロペンタジエニル）（フルオレニル）ハフニウムジメチル；［（イソペンチル）（イソプロピル）アンモニウム］＋−２，４−ジフルオロフェニル−［（ペンタフルオロフルオレニル（２，５−ジフルオロフェニル）（パーフルオロフルオレニル）ボラート］−／ビス（４−トリスエチルシリル）メチル（シクロペンタジエニル）（フルオレニル）ハフニウムジメチル；［（ペンチル）（１，２−ジフルオロヘキシル）アンモニウム］＋−パーフルオロフルオレニル−［ビス（パーフルオロインデニル）（トリフルオロインデニル）ボラート］−／ビス（４−トリスエチルシリル）メチル（シクロペンタジエニル）（フルオレニル）ハフニウムジメチル；（ビス（パーフルオロエチル）アンモニウム］＋−パーフルオロビフェニル−［（パーフルオロインデニル（パーフルオロフルオレニル）（パーフルオロナフチル）ボラート］−／ビス（４−トリスエチルシリル）メチル（シクロペンタジエニル）（フルオレニル）ハフニウムジメチル；［（パーフルオロヘキシル）（（メチル（トリエチルシリル）））ホスホニウム］＋−２，４−ジフルオロフェニル−［（２，３，５−トリフルオロフェニル（パーフルオロフェニル）（２，３，４−トリフルオロフェニル）ボラート］−／ビス（４−トリスエチルシリル）メチル（シクロペンタジエニル）（フルオレニル）ハフニウムジメチル；［（パーフルオロメチル）（プロピル）アンモニウム］＋−２，３，５−トリフルオロフェニル−［ビス（パーフルオロナフチル）（トリフルオロインデニル）ボラート］−／ビス（４−トリスエチルシリル）メチル（シクロペンタジエニル）（フ���オレニル）ハフニウムジメチル；［（パーフルオロプロピル）（エチル（トリメチルシリル））アンモニウム］＋−パーフルオロフェニル−［（２，３，４−トリフルオロフェニル（パーフルオロフルオレニル）（パーフルオロフェニル）ボラート］−／ビス（４−トリスエチルシリル）メチル（シクロペンタジエニル）（フルオレニル）ハフニウムジメチル；［（ペンチル）（３−メチルペンチル）アンモニウム］＋−パーフルオロビフェニル−［ビス（パーフルオロフェニル）（ペンタフルオロフルオレニル）ガリナート］−／ビス（４−トリスエチルシリル）メチル（シクロペンタジエニル）（フルオレニル）ハフニウムジメチル；［（パーフルオロブチル）（オクチル）アンモニウム］＋−テトラフルオロナフチル−［ビス（パーフルオロインデニル）（テトラフルオロナフチル）アルミナート］−／ビス（ヘキサメチルジシラジド（シラｚｉｄｏ））チタニウムジメチル；［（エチル（トリメチルシリル））（ヘプチル）アンモニウム］＋−パーフルオロビフェニル−［（ペンタフルオロナフチル（テトラフルオロナフチル）（２，４−ジフルオロフェニル）ボラート］−／ビス（ヘキサメチルジシラジド）チタニウムジメチル；［（イソヘキシル）（ブチル）アンモニウム］＋−ペンタフルオロフルオレニル−［ビス（パーフルオロフェニル）（３，４−ジフルオロフェニル）ボラート］−／ビス（ヘキサメチルジシラジド）チタニウムジメチル；［（イソヘキシル）（ヘキシル）アンモニウム］＋−パーフルオロフルオレニル−［（パーフルオロナフチル（パーフルオロフルオレニル）（テトラフルオロナフチル）ボラート］−／ビス（ヘキサメチルジシラジド）チタニウムジメチル；［（パーフルオロヘキシル）（イソヘキシル）アンモニウム］＋−パーフルオロピレニル−［（パーフルオロフェニル（パーフルオロビフェニル）（ペンタフルオロナフチル）ボラート］−／ビス（ヘキサメチルジシラジド）チタニウムジメチル；［（パーフルオロイソプロピル）（エチルトリエチルシリル））ホスホニウム］＋−パーフルオロピレニル］−［ビス（パーフルオロフェニル）（パーフルオロインデニル）ボラート］−／ビス（ヘキサメチルジシラジド）チタニウムジメチル；［（パーフルオロフェニル）（エチル（トリメチルシリル））アンモニウム］＋−ペンタフルオロフルオレニル−［（テトラフルオロインデニル（２，３，５−トリフルオロフェニル）（パーフルオロナフチル）ボラート］−／ビス（ヘキサメチルジシラジド）チタニウムジメチル；［（プロピル）（パーフルオロプロピル）アンモニウム］＋−２，３，５−トリフルオロフェニル−［（２，３，４−トリフルオロフェニル（パーフルオロビフェニル）（テトラフルオロインデニル）ボラート］−／ビス（ヘキサメチルジシラジド）チタニウムジメチル；
［（イソペンチル）（イソプロピル）アンモニウム］＋−パーフルオロフルオレニル［（パーフルオロビフェニル（パーフルオロインデニル）（パーフルオロピレニル）ガリナート］−／ビス（ヘキサメチルジシラジド）チタニウムジメチル；［（パーフルオロエチル）（ヘキシル）アンモニウム］＋−パーフルオロインデニル−［（ペンタフルオロフルオレニル（２，４−ジフルオロフェニル）（パーフルオロビフェニル）アルミナート］−／ジメチルシリル（ビスインデニル）ジルコニウムジクロリド；［（パーフルオロエチル）（パーフルオロメチル）アンモニウム］＋−テトラフルオロインデニル−［（パーフルオロフルオレニル（パーフルオロビフェニル）（パーフルオロナフチル）アルミナート］−／ジメチルシリル（ビスインデニル）ジルコニウムジクロリド；［（パーフルオロプロピル）（メチル（トリメチルシリル））アンモニウム］＋−パーフルオロフェニル−［（パーフルオロナフチル（２，４−ジフルオロフェニル）（３，４−ジフルオロフェニル）アルミナート］−／ジメチルシリル（ビスインデニル）ジルコニウムジクロリド；［（（メチル（トリエチルシリル）））（メチル（トリメチルシリル））アンモニウム］＋−パーフルオロビフェニル−［（パーフルオロナフチル（２，３，４−トリフルオロフェニル）（トリフルオロインデニル）ボラート］−／ジメチルシリル（ビスインデニル）ジルコニウムジクロリド；［（２，３，４，５−テトラフルオロフェニル）（パーフルオロヘキシル）ホスホニウム］＋−２，３−ジフルオロフェニル−［ビス（パーフルオロインデニル）（パーフルオロフルオレニル）ボラート］−／ジメチルシリル （ビスインデニル）ジルコニウムジクロリド；［（ブチル）（（メチル（トリエチルシリル）））アンモニウム］＋−パーフルオロフェニル−［（ペンタフルオロフルオレニル（パーフルオロフルオレニル）（パーフルオロフェニル）ボラート］−／ジメチルシリル （ビスインデニル）ジルコニウムジクロリド；［（エチル（トリメチルシリル））（フェニル）アンモニウム］＋−パーフルオロフルオレニル［ビス（パーフルオロビフェニル）（パーフルオロピレニル）ボラート］−／ジメチルシリル（ビスインデニル）ジルコニウムジクロリド；［（パーフルオロヘキシル）（オクチル）アンモニウム］＋−パーフルオロフルオレニル−［（２，５−ジフルオロフェニル（パーフルオロナフチル）（パーフルオロビフェニル）ボラート］−／ジメチルシリル（ビスインデニル）ジルコニウムジクロリド；［（パーフルオロオクチル］）（２，３，６，７−テトラフルオロオクチル）アンモニウム］＋−テトラフルオロインデニル−［（パーフルオロインデニル（パーフルオロビフェニル）（パーフルオロナフチル）ボラート］−／ジメチルシリル（ビスインデニル）ジルコニウムジクロリド；［（パーフルオロフェニル）（１，２−ジフルオロヘキシル）アンモニウム］＋−２，３，４−トリフルオロフェニル−［（パーフルオロビフェニル（パーフルオロフルオレニル）（パーフルオロフェニル）ボラート］−／ジメチルシリル（ビスインデニル）ジルコニウムジクロリド；［（パーフルオロ−ｔ−ブチル）（パーフルオロエチル）アンモニウム］＋−���，３，５−トリフルオロフェニル−［（２，４−ジフルオロフェニル（テトラフルオロナフチル）（パーフルオロフルオレニル）ボラート］−／ジメチルシリル（ビスインデニル）ジルコニウムジクロリド；［（パーフルオロメチル）（パーフルオロ−ｔ−ブチル）アンモニウム］＋−パーフルオロナフチル−［（パーフルオロインデニル（パーフルオロビフェニル）（パーフルオロナフチル）ガリナート］−／ジメチルシリル（ビスインデニル）ジルコニウムジクロリド；［（イソヘキシル）（イソプロピル）アンモニウム］＋−トリフルオロインデニル−［（パーフルオロフェニル（ペンタフルオロナフチル）（パーフルオロピレニル）アルミナート］−／ジメチルシリル−ビスインデニルハフニウムジメチル；［（オクチル）（パーフルオロペンチル）アルソニウム］＋−パーフルオロナフチル−［（テトラフルオロナフチル（２，３−ジフルオロフェニル）（ペンタフルオロナフチル）アルミナート］−／ジメチルシリル−ビスインデニルハフニウムジメチル；［（エチル（トリエチルシリル））（ペンチル）ホスホニウム］＋−２，３，４−トリフルオロフェニル−［（パーフルオロフェニル（２，３，５−トリフルオロフェニル）（パーフルオロフルオレニル）ボラート］−／ジメチルシリル−ビスインデニルハフニウムジメチル；［（メチル（トリメチルシリル））（エチル）ホスホニウム］＋−パーフルオロビフェニル−［（パーフルオロフェニル（パーフルオロインデニル）（２，３−ジフルオロフェニル）ボラート］−／ジメチルシリル−ビスインデニルハフニウムジメチル；［（プロピル）（メチル）アルソニウム］＋−パーフルオロピレニル−［（パーフルオロナフチル（パーフルオロフルオレニル）（ペンタフルオロフルオレニル）ボラート］−／ジメチルシリル−ビスインデニルハフニウムジメチル；（ビス（イソヘキシル）アンモニウム］＋−パーフルオロフルオレニル−［ビス（パーフルオロフルオレニル）（トリフルオロインデニル）ガリナート］−／ジメチルシリル−ビスインデニルハフニウムジメチル；［（ブチル）（パーフルオロイソプロピル）アンモニウム］＋−パーフルオロフェニル−［（３，４−ジフルオロフェニル（ペンタフルオロナフチル）（パーフルオロピレニル）アルミナート］−／ジメチルシリル（テトラメチルシクロペンタジエニル）（アダマンチル−１−アミノ）チタニウムジメチル；［（イソヘキシル）（パーフルオロヘキシル）アンモニウム］＋−２，３，４−トリフルオロフェニル−［（パーフルオロナフチル（２，４−ジフルオロフェニル）（テトラフルオロナフチル）アルミナート］−／ジメチルシリル（テトラメチルシクロペンタジエニル）（アダマンチル−１−アミノ）チタニウムジメチル；［（イソペンチル）（エチル）アルソニウム］＋−テトラフルオロインデニル−［（トリフルオロインデニル（パーフルオロフルオレニル）（テトラフルオロナフチル）アルミナート］−／ジメチルシリル（テトラメチルシクロペンタジエニル）（アダマンチル−１−アミノ）チタニウムジメチル；［（パーフルオロイソペンチル）（エチル（トリメチルシリル））アンモニウム ］＋−ペンタフルオロナフチル］−［ビス（パーフルオロインデニル）（ペンタフルオロナフチル）アルミナート］−／ジメチルシリル（テトラメチルシクロペンタジエニル）（アダマンチル−１−アミノ）チタニウムジメチル；［（パーフルオロイソプロピル）（３−メチルペンチル）アルソニウム］＋−ペンタフルオロナフチル−［ビス（パーフルオロフェニル）（パーフルオロフルオレニル）アルミナート］−／メチルシリル（テトラメチルシクロペンタジエニル）（アダマンチル−１−アミノ）チタニウムジメチル；［（２，３，６，７−テトラフルオロオクチル）（３−メチルペンチル）アンモニウム］＋−ペンタフルオロフルオレニル−［（パーフルオロフルオレニル（ペンタフルオロナフチル）（テトラフルオロインデニル）ボラート］−／ジメチルシリル（テトラメチルシクロペンタジエニル）（アダマンチル−１−アミノ）チタニウムジメチル；［（ヘキシル）（パーフルオロメチル）アンモニウム］＋−ペンタフルオロフルオレニル−［（テトラフルオロナフチル（パーフルオロビフェニル）（ペンタフルオロフルオレニル）ボラート］−／ジメチルシリル（テトラメチルシクロペンタジエニル）（アダマンチル−１−アミノ）チタニウムジメチル；［（メチル）（ブチル）アンモニウム］＋−２，３，５−トリフルオロフェニル−［（パーフルオロフルオレニル（パーフルオロナフチル）（テトラフルオロナフチル）ボラート］−／ジメチルシリル（テトラメチルシクロペンタジエニル）（アダマンチル−１−アミノ）チタニウムジメチル；［（メチル（トリメチルシリル））（オクチル）アンモニウム］＋−２，５−ジフルオロフェニル−［（パーフルオロインデニル（パーフルオロナフチル）（パーフルオロビフェニル）ボラート］−／ジメチルシリル（テトラメチルシクロペンタジエニル）（アダマンチル−１−アミノ）チタニウムジメチル；
［（オクチル）（プロピル）アンモニウム］＋−パーフルオロインデニル−［ビス（パーフルオロフェニル）（トリフルオロインデニル）ボラート］−／ジメチルシリル（テトラメチルシクロペンタジエニル）（アダマンチル−１−アミノ）チタニウムジメチル；［（パーフルオロエチル）（パーフルオロヘプチル）ホスホニウム］＋−２，３，５−トリフルオロフェニル−［（パーフルオロインデニル（パーフルオロフルオレニル）（パーフルオロビフェニル）ボラート］−／ジメチルシリル（テトラメチルシクロペンタジエニル）（アダマンチル−１−アミノ）チタニウムジメチル；［（パーフルオロメチル）（エチル（トリメチルシリル））アンモニウム］＋−パーフルオロフェニル−［（パーフルオロナフチル（パーフルオロインデニル）（テトラフルオロナフチル）ボラート］−／ジメチルシリル（テトラメチルシクロペンタジエニル）（アダマンチル−１ −アミノ）チタニウムジメチル；［（パーフルオロフェニル）（エチル（トリエチルシリル））アンモニウム］＋−トリフルオロインデニル−（パーフルオロナフチル（パーフルオロインデニル）（パーフルオロフェニル）ボラート］−／ジメチルシリル（テトラメチルシクロペンタジエニル）（アダマンチル−１−アミノ）チタニウムジメチル；［（ｔ−ブチル）（３−メチルペンチル）ホスホニウム］＋−パーフルオロフェニル−［ビス（パーフルオロフルオレニル）（２，５−ジフルオロフェニル）ボラート］−／ジメチルシリル（テトラメチルシクロペンタジエニル）（アダマンチル−１−アミノ）チタニウムジメチル；［（メチル（トリエチルシリル））（ブチル）アンモニウム］＋−パーフルオロインデニル−［（パーフルオロフルオレニル（パーフルオロナフチル）（２，３，５−トリフルオロフェニル）ガリナート］−／ジメチルシリル（テトラメチルシクロペンタジエニル）（アダマンチル−１−アミノ）チタニウムジメチル；［（エチル（トリエチルシリル））（ヘプチル）ホスホニウム］＋−テトラフルオロナフチル−［ビス（パーフルオロビフェニル）（パーフルオロナフチル）アルミナート］−／ジメチルシリル（テトラメチルシクロペンタジエニル）ｔ−ブチル−アミノ）チタニウムジメチル；［（ペンチル）（パーフルオロメチル）アンモニウム］＋−パーフルオロビフェニル−［（トリフルオロインデニル（パーフルオロナフチル）（パーフルオロフルオレニル）アルミナート］−／ジメチルシリル（テトラメチルシクロペンタジエニル）ｔ−ブチル−アミノ）チタニウムジメチル；［（パーフルオロブチル）（パーフルオロプロピル）アンモニウム］＋−パーフルオロフルオレニル−［（パーフルオロフルオレニル（パーフルオロフェニル）（パーフルオロビフェニル）アルミナート］−／ジメチルシリル（テトラメチルシクロペンタジエニル）ｔ−ブチル−アミノ）チタニウムジメチル；［（パーフルオロペンチル）（パーフルオロメチル）アンモニウム］＋−テトラフルオロインデニル−［ビス（２，４−ジフルオロフェニル）（ペンタフルオロフルオレニル）アルミナート］−／ジメチルシリル（テトラメチルシクロペンタジエニル）ｔ−ブチル−アミノ）チタニウムジメチル；［（エチル（トリエチルシリル）（ヘキシ��）ホスホニウム］＋−ペンタフルオロナフチル−［ビス（トリフルオロインデニル）（パーフルオロナフチル）ボラート］−／ジメチルシリル（テトラメチルシクロペンタジエニル）ｔ−ブチル−アミノ）チタニウムジメチル；［（ヘプチル）（２，３，６，７−テトラフルオロオクチル）アンモニウム］＋−パーフルオロナフチル−［（パーフルオロフルオレニル（パーフルオロフェニル）（２，３，４−トリフルオロフェニル）ボラート］−／ジメチルシリル（テトラメチルシクロペンタジエニル）ｔ−ブチル−アミノ）チタニウムジメチル；［（イソヘキシル）（１，６−ジフルオロヘキシル）アンモニウム］＋−パーフルオロインデニル−［（テトラフルオロナフチル［（パーフルオロナフチル）（パーフルオロピレニル）ボラート］−／ジメチルシリル（テトラメチルシクロペンタジエニル）ｔ−ブチル−アミノ）チタニウムジメチル；［（イソペンチル）（１，６−ジフルオロヘキシル）アンモニウム］＋−２，３，４−トリフルオロフェニル−［（２，５−ジフルオロフェニル（パーフルオロナフチル）（２，４−ジフルオロフェニル）ボラート］−／ジメチルシリル（テトラメチルシクロペンタジエニル）ｔ−ブチル−アミノ）チタニウムジメチル；［（オクチル）（イソヘキシル）アンモニウム］＋−ペンタフルオロナフチル−［（パーフルオロナフチル（トリフルオロインデニル）（２，５−ジフルオロフェニル）ボラート］−／ジメチルシリル（テトラメチルシクロペンタジエニル）ｔ−ブチル−アミノ）チタニウムジメチル；［（パーフルオロヘプチル）（エチル（トリメチルシリル））アンモニウム］＋−パーフルオロビフェニル−［（３，４−ジフルオロフェニル（２，５−ジフルオロフェニル）（２，３−ジフルオロフェニル）ボラート］−／ジメチルシリル（テトラメチルシクロペンタジエニル）ｔ−ブチル−アミノ）チタニウムジメチル；［（パーフルオロメチル）（パーフルオロプロピル）アンモニウム］＋−パーフルオロインデニル−［（パーフルオロフェニル（パーフルオロナフチル）（ペンタフルオロフルオレニル）ボラート］−／ジメチルシリル（テトラメチルシクロペンタジエニル）ｔ−ブチル−アミノ）チタニウムジメチル；［ビス（ｔ−ブチル）アンモニウム］＋−ペンタフルオロナフチル−［ビス（パーフルオロビフェニル）（パーフルオロフェニル）ボラート］−／ジメチルシリル（テトラメチルシクロペンタジエニル） ｔ−ブチル−アミノ）チタニウムジメチル；（ビス（ブチル）アンモニウム］＋−パーフルオロビフェニル−［（パーフルオロナフチル（パーフルオロフェニル）（２，４−ジフルオロフェニル）アルミナート］−／ジメチルシリルビス（メチルインデニル）ハフニウムジメチル；［（エチル（トリメチルシリル））（ヘプチルホスホニウム］＋−テトラフルオロインデニル−［（パーフルオロフルオレニル（２，５−ジフルオロフェニル）（パーフルオロナフチル）アルミナート］−／ジメチルシリルビス（メチルインデニル）ハフニウムジメチル；（ビス（（メチル（トリエチルシリル）））ホスホニウム］＋−ペンタフルオロフルオレニル−［（パーフルオロインデニル（２，３，４−トリフルオロフェニル）（ペンタフルオロフルオレニル）ボ���ート］−／ジメチルシリルビス（メチルインデニル）ハフニウムジメチル；［（１，６−ジフルオロヘキシル）（イソペンチル）アンモニウム］＋−２，４−ジフルオロフェニル−［（パーフルオロフェニル（パーフルオロナフチル）（ペンタフルオロナフチル）ボラート］−／ジメチルシリルビス（メチルインデニル）ハフニウムジメチル；［（２，３，４，５−テトラフルオロフェニル）（ブチル）ホスホニウム］＋−パーフルオロビフェニル−［（２，５−ジフルオロフェニル（パーフルオロビフェニル）（パーフルオロフルオレニル）ボラート］−／ジメチルシリルビス（メチルインデニル）ハフニウムジメチル；［（エチル（トリメチルシリル））（パーフルオロイソプロピル）ホスホニウム］＋−２，５−ジフルオロフェニル−［（パーフルオロインデニル（パーフルオロフルオレニル）（パーフルオロビフェニル）ボラート］−／ジメチルシリル ビス（メチルインデニル）ハフニウムジメチル；［（メチル（トリメチルシリル））（パーフルオロブチル）アンモニウム］＋−２，３，４−トリフルオロフェニル−［ビス（パーフルオロインデニル）（２，４−ジフルオロフェニル）ボラート］−／ジメチルシリルビス（メチルインデニル）ハフニウムジメチル；［（オクチル）（パーフルオロメチル）アンモニウム］＋−パーフルオロナフチル−［ビス（パーフルオロナフチル）（２，３，５−トリフルオロフェニル）ボラート］−／ジメチルシリルビス（メチルインデニル）ハフニウムジメチル；［（パーフルオロメチル）（メチル（トリメチルシリル））アンモニウム］＋−パーフルオロビフェニル−［（パーフルオロフルオレニル（パーフルオロビフェニル）（パーフルオロフェニル）ボラート］−／ジメチルシリルビス（メチルインデニル）ハフニウムジメチル；［（パーフルオロメチル）（イソペンチル）アンモニウム］＋−テトラフルオロナフチル−［ビス（パーフルオロフルオレニル）（３，４−ジフルオロフェニル）ボラート］−／ジメチルシリルビス（メチルインデニル）ハフニウムジメチル；
［（パーフルオロオクチル）（３−メチルペンチル）ホスホニウム］＋−パーフルオロフルオレニル−［（パーフルオロインデニル（パーフルオロフルオレニル）（パーフルオロピレニル）ボラート］−／ジメチルシリルビス（メチルインデニル）ハフニウムジメチル；［（パーフルオロイソペンチル）（エチル（トリエチルシリル））アンモニウム］＋−パーフルオロインデニル−［（３，４−ジフルオロフェニル（テトラフルオロインデニル）（ペンタフルオロナフチル）ガリナート］−／ジメチルシリルビス（メチルインデニル）ハフニウムジメチル；［（パーフルオロメチル）（エチル）アルソニウム］＋−２，３，５−トリフルオロフェニル−［ビス（パーフルオロフルオレニル）（パーフルオロナフチル）ガリナート］−／ジメチルシリルビス（メチルインデニル）ハフニウムジメチル；［（ｔ−ブチル）（エチル（トリメチルシリル））ホスホニウム］＋−パーフルオロビフェニル−［（トリフルオロインデニル（３，４−ジフルオロフェニル）（パーフルオロインデニル）ガリナート］−／ジメチルシリルビス（メチルインデニル）ハフニウムジメチル；［（パーフルオロエチル）（２，３，６，７−テトラフルオロオクチル）アンモニウム］＋−トリフルオロインデニル−［（パーフルオロナフチル（パーフルオロフルオレニル）（トリフルオロインデニル）アルミナート］−／ジメチルシリルビス（ナフチルメチルインデニル）ハフニウムジメチル；［（パーフルオロオクチル）（３−メチルペンチル）アンモニウム］＋−ペンタフルオロフルオレニル−［（パーフルオロインデニル（２，３，４−トリフルオロフェニル）（テトラフルオロナフチル）アルミナート］−／ジメチルシリルビス（ナフチルメチルインデニル）ハフニウムジメチル；［（（メチル（トリエチルシリル）））（パーフルオロイソプロピル）アンモニウム］＋−トリフルオロインデニル−［（パーフルオロフェニル（２，３，５−トリフルオロフェニル）（テトラフルオロインデニル）ボラート］−／ジメチルシリルビス（ナフチルメチルインデニル）ハフニウムジメチル；［（１，６−ジフルオロヘキシル）（メチル（トリエチルシリル））アンモニウム］＋−パーフルオロビフェニル−［（２，３−ジフルオロフェニル（パーフルオロビフェニル）（テトラフルオロインデニル）ボラート］−／ジメチルシリルビス（ナフチルメチルインデニル）ハフニウムジメチル；［（２，３，６，７−テトラフルオロオクチル）（ヘプチル）アンモニウム］＋−パーフルオロナフチル−［（パーフルオロフルオレニル（パーフルオロナフチル）（テトラフルオロインデニル）ボラート］−／ジメチルシリルビス（ナフチルメチルインデニル）ハフニウムジメチル；［（エチル（トリメチルシリル））（パーフルオロイソプロピル）アンモニウム］＋−パーフルオロインデニル−［（ペンタフルオロナフチル（２，３，４−トリフルオロフェニル）（パーフルオロフェニル）ボラート］−／ジメチルシリルビス（ナフチルメチルインデニル）ハフニウムジメチル；［（メチル（トリエチルシリル））（メチル）ホスホニウム］＋−パーフルオロフェニル−［（２，３−ジフルオロフェニル（２，５−ジフルオロフェニル）（２，４−ジフルオロフェニル）ボラート］−／ジメチルシリルビス（ナフチルメチルインデニル）ハフニウムジメチル；［（パーフルオロメチル）（フェニル）アンモニウム］＋−パーフルオロインデニル−（トリフルオロインデニル（２，４−ジフルオロフェニル）（パーフルオロインデニル）ボラート］−／ジメチルシリルビス（ナフチルメチルインデニル）ハフニウムジメチル；［（パーフルオロメチル）（パーフルオロオクチル）アルソニウム］＋−２，３，５−トリフルオロフェニル−［（パーフルオロナフチル（テトラフルオロナフチル）（パーフルオロフルオレニル）ボラート］−／ジメチルシリルビス（ナフチルメチルインデニル）ハフニウムジメチル；［（パーフルオロメチル）（ｔ−ブチル）アンモニウム］＋−パーフルオロナフチル−［（パーフルオロフェニル（パーフルオロインデニル）（パーフルオロビフェニル）ボラート］−／ジメチルシリルビス（ナフチルメチルインデニル）ハフニウムジメチル；［（パーフルオロオクチル）（パーフルオロイソプロピル）アンモニウム］＋−パーフルオロビフェニル−［（パーフルオロフルオレニル（ペンタフルオロフルオレニル）（トリフルオロインデニル）ボラート］−／ジメチルシリルビス（ナフチルメチルインデニル）ハフニウムジメチル；［（パーフルオロプロピル）（ブチル）アンモニウム］＋−パーフルオロフェニル−［（２，３，５−トリフルオロフェニル（パーフルオロビフェニル）（パーフルオロインデニル）ボラート］−／ジメチルシリルビス（ナフチルメチルインデニル）ハフニウムジメチル；［（（メチル（トリエチルシリル）））（パーフルオロオクチル）アンモニウム］＋−パーフルオロビフェニル−［（パーフルオロナフチル（２，５−ジフルオロフェニル）（パーフルオロビフェニル）ガリナート］−／ジメチルシリルビス（ナフチルメチルインデニル）ハフニウムジメチル；［（エチル（トリメチルシリル））（２，３，５−トリフルオロフェニル）アンモニウム］＋−パーフルオロインデニル−［（パーフルオロフルオレニル（テトラフルオロインデニル）（ペンタフルオロナフチル）アルミナート］−／ジメチルシリルビス（フェニルメチルインデニル）ハフニウムジメチル；［（メチル（トリメチルシリル））（１，２−ジフルオロヘキシル）アルソニウム］＋−パーフルオロフルオレニル−［（パーフルオロフェニル（パーフルオロナフチル）（ペンタフルオロフルオレニル）アルミナート］−／ジメチルシリルビス（フェニルメチルインデニル）ハフニウムジメチル；［（フェニル）（パーフルオロメチル）アンモニウム］＋−パーフルオロナフチル−［（パーフルオロフルオレニル（ペンタフルオロナフチル）（パーフルオロインデニル）アルミナート］−／ジメチルシリルビス（フェニルメチルインデニル）ハフニウムジメチル；［（メチル）（フェニル）アンモニウム］＋−パーフルオロインデニル−［（パーフルオロフルオレニル（３，４−ジフルオロフェニル（２，５−ジフルオロフェニル）ボラート］−／ジメチルシリルビス（フェニルメチルインデニル）ハフニウムジメチル；［（エチル（トリエチルシリル））（パーフルオロイソプロピル）アンモニウム］＋−パーフルオロフェニル−［（２，３，４−トリフルオロフェニル（パーフルオロフェニル）（ペンタフルオロフルオレニル）ボラート］−／ジメチルシリルビス（フェニルメチルインデニル）ハフニウムジメチル；［（エチル（トリエチルシリル））（イソヘキシル）アルソニウム］＋−パーフルオロインデニル−［（パーフルオロインデニル（パーフルオロフルオレニル）（２，４−ジフルオロフェニル）ボラート］−／ジメチルシリルビス（フェニルメチルインデニル）ハフニウムジメチル；（ビス（エチル（トリメチルシリル））アンモニウム］＋−ペンタフルオロフルオレニル−［（パーフルオロフェニル（パーフルオロインデニル）（テトラフルオロインデニル）ボラート］−／ジメチルシリルビス（フェニルメチルインデニル）ハフニウムジメチル；［（ヘプチル）（パーフルオロエチル）ホスホニウム］＋−２，３，５−トリフルオロフェニル−［（トリフルオロインデニル（パーフルオロフェニル）（２，３−ジフルオロフェニル）ボラート］−／ジメチルシリルビス（フェニルメチルインデニル）ハフニウムジメチル；［（イソヘキシル）（エチル（トリエチルシリル））アンモニウム］＋−パーフルオロフルオレニル−［（パーフルオロナフチル（パーフルオロインデニル）（ペンタフルオロフルオレニル）ボラート］−／ジメチルシリルビス（フェニルメチルインデニル）ハフニウムジメチル；［（イソヘキシル）（イソプロピル）アルソニウム］＋−パーフルオロビフェニル−［（パーフルオロフェニル（２，３，５−トリフルオロフェニル）（２，４−ジフルオロフェニル）ボラート］−／ジメチルシリルビス（フェニルメチルインデニル）ハフニウムジメチル；［（イソプロピル）（イソペンチル）アンモニウム］＋−パーフルオロフルオレニル−［（パーフルオロ ピレニル（２，３−ジフルオロフェニル）（パーフルオロフルオレニル）ボラート］−／ジメチルシリルビス（フェニルメチルインデニル）ハフニウムジメチル；［（ペンチル）（２，３，５−トリフルオロフェニル）ホスホニウム］＋−パーフルオロナフチル−［ビス（ペンタフルオロナフチル）（パーフルオロビフェニル）ボラ−ト］−／ジメチルシリルビス（フェニルメチルインデニル）ハフニウムジメチル；［（パーフルオロヘキシル）（メチル）アンモニウム］＋−パーフルオロインデニル−［（ペンタフルオロフルオレニル（パーフルオロフェニル）（パーフルオロビフェニル）ボラート］−／ジメチルシリルビス（フェニルメチルインデニル）ハフニウムジメチル；
［（パーフルオロ−ｔ−ブチル）（ブチル）ホスホニウム］＋−２，３，５−トリフルオロフェニル−［（パーフルオロビフェニル（テトラフルオロインデニル）（トリフルオロインデニル）ボラート］−／ジメチルシリルビス（フェニルメチルインデニル）ハフニウムジメチル；［（プロピル）（メチル）ホスホニウム］＋−２，４−ジフルオロフェニル−［（テトラフルオロインデニル（パーフルオロナフチル）（テトラフルオロナフチル）ボラート］−／ジメチルシリルビス（フェニルメチルインデニル）ハフニウムジメチル；［（プロピル）（パーフルオロイソペンチル）ホスホニウム］＋−パーフルオロピレニル−［（パーフルオロフルオレニル（ペンタフルオロフルオレニル）（パーフルオロピレニルボラ−ト］−／ジメチルシリルビス（フェニルメチルインデニル）ハフニウムジメチル；［（エチル［（トリエチルシリル））（２，３，６，７−テトラフルオロオクチル）アンモニウム］＋−パーフルオロインデニル−［（２，３−ジフルオロフェニル（パーフルオロナフチル）（パーフルオロフルオレニル）ガリナート］−／ジメチルシリルビス（フェニルメチルインデニル）ハフニウムジメチル；［（エチル（トリメチルシリル））（２，３，６，７−テトラフルオロオクチル）アンモニウム］＋−パーフルオロインデニル−［（パーフルオロフェニル［（パーフルオロピレニル）（テトラフルオロインデニル）ガリナート］−／ジメチルシリルビス（フェニルメチルインデニル）ハフニウムジメチル；［（エチル）（３−メチルペンチル）アンモニウム］＋−パーフルオロフェニル−［ビス（トリフルオロインデニル）（ペンタフルオロフルオレニル）アルミナート］−／ジメチルシリルビスインデニルハフニウムジメチル；［（イソヘキシル）（エチル（トリメチルシリル））ホスホニウム］＋−パーフルオロインデニル−［ビス（パーフルオロフルオレニル）（パーフルオロインデニル）アルミナート］−／ジメチルシリルビスインデニルハフニウムジメチル；［（パーフルオロヘプチル）（パーフルオロヘキシル）アルソニウム］＋−パーフルオロナフチル−［ビス（パーフルオロフェニル）（２，３，４−トリフルオロフェニル）アルミナート］−／ジメチルシリルビスインデニルハフニウムジメチル；［（１，２−ジフルオロヘキシル）（エチル（トリメチルシリル））アンモニウム］＋−テトラフルオロインデニル−［（２，３−ジフルオロフェニル（パーフルオロビフェニル）（ペンタフルオロナフチル）ボラート］−／ジメチルシリルビスインデニルハフニウムジメチル；［（２，３，４，５−テトラフルオロフェニル）（エチル（トリメチルシリル））アンモニウム］＋−トリフルオロインデニル−［（パーフルオロフルオレニル（パーフルオロビフェニル）（２，４−ジフルオロフェニル）ボラート］−／ジメチルシリルビスインデニルハフニウムジメチル；［（３−メチルペンチル）（パーフルオロオクチル）アンモニウム］＋−パーフルオロビフェニル−［（パーフルオロインデニル（パーフルオロピレニル）（パーフルオロナフチル）ボラート］−／ジメチルシリルビスインデニルハフニウムジメチル；［（イソペンチル）（１，６−ジフルオロヘキシル）アンモニウム］＋−パーフルオロフェニル−［ビス（２，４−ジフルオロフェニル）（２，５−ジフルオロフェニル）ボラ−ト］−／ジメチルシリルビスインデニルハフニウムジメチル；［（イソペンチル）（ブチル）ホスホニウム］＋−パーフルオロビフェニル−［（パーフルオロピレニル（テトラフルオロインデニル）（パーフルオロインデニル）ボラート］−／ジメチルシリルビスインデニルハフニウムジメチル；［（メチル）（ペンチル）アンモニウム］＋−パーフルオロナフチル−［（パーフルオロナフチル（パーフルオロフルオレニル）（パーフルオロビフェニル）ボラート］−／ジメチルシリルビスインデニルハフニウムジメチル；［（パーフルオロブチル）（イソヘキシル） ホスホニウム］＋−パーフルオロインデニル−［（２，４−ジフルオロフェニル（トリフルオロインデニル）（パーフルオロインデニル）ボラート］−／ジメチルシリルビスインデニルハフニウムジメチル；［（２，３，４，５−テトラフルオロフェニル）（ヘプチル）アルソニウム］＋−パーフルオロインデニル−［（パーフルオロナフチル（ペンタフルオロフルオレニル）（パーフルオロフェニル）アルミナート］−／ジメチルシリル（テトラメチルシクロペンタジエニル）（ドデシルアミド）ハフニウムジヒドリド；［（ヘプチル）（パーフルオロイソプロピル）アンモニウム］＋−パーフルオロフルオレニル［（パーフルオロビフェニル（パーフルオロフルオレニル）（パーフルオロピレニル）アルミナート］−／ジメチルシリル（テトラメチルシクロペンタジエニル）（ドデシルアミド）ハフニウムジヒドリド；［（イソヘキシル）（パーフルオロヘプチル）ホスホニウム］＋−パーフルオロビフェニル−［（パーフルオロナフチル（パーフルオロフェニル）（２，３，４−トリフルオロフェニル）アルミナート］−／ジメチルシリル（テトラメチルシクロペンタジエニル）（ドデシルアミド）ハフニウムジヒドリド；［（イソヘキシル）（メチル）アンモニウム］＋−パーフルオロナフチル−［ビス（ペンタフルオロフルオレニル）（パーフルオロピレニル）アルミナート］−／ジメチルシリル（テトラメチルシクロペンタジエニル）（ドデシルアミド）ハフニウムジヒドリド；［（パーフルオロエチル）（パーフルオロプロピル）ホスホニウム］＋−パーフルオロフェニル−［ビス（パーフルオロフルオレニル）（２，３−ジフルオロフェニル）アルミナート］−／ジメチルシリル（テトラメチルシクロペンタジエニル）（ドデシルアミド）ハフニウムジヒドリド；［（１，２−ジフルオロヘキシル）（ブチル）アンモニウム ］＋−２，５−ジフルオロフェニル−［ビス（パーフルオロナフチル）（パーフルオロフェニル）ボラート］−／ジメチルシリル（テトラメチルシクロペンタジエニル）（ドデシルアミド）ハフニウムジヒドリド；［（エチル（トリエチルシリル））（イソペンチル）アンモニウム］＋−パーフルオロビフェニル−［（２，３−ジフルオロフェニル（パーフルオロフルオレニル）（トリフルオロインデニル）ボラート］−／ジメチルシリル（テトラメチルシクロペンタジエニル）（ドデシルアミド）ハフニウムジヒドリド；［（エチル（トリエチルシリル）（２，３，６，７−テトラフルオロオクチル）アンモニウム］＋−パー���ルオロフルオレニル−［ビス（ペンタフルオロナフチル）（３，４−ジフルオロフェニル）ボラート］−／ ジメチルシリル（テトラメチルシクロペンタジエニル）（ドデシルアミド）ハフニウムジヒドリド；［（エチル（トリメチルシリル））（ペンチル）ホスホニウム］＋−ペンタフルオロフルオレニル−［（パーフルオロインデニル（パーフルオロナフチル）（ペンタフルオロナフチル）ボラート］−／ジメチルシリル（テトラメチルシクロペンタジエニル）（ドデシルアミド）ハフニウムジヒドリド；［（ヘプチル）（エチル（トリエチルシリル））アンモニウム］＋−パーフルオロフェニル−［（３，４−ジフルオロフェニル（パーフルオロフルオレニル）（パーフルオロナフチル）ボラート］−／ジメチルシリル（テトラメチルシクロペンタジエニル）（ドデシルアミド）ハフニウムジヒドリド；
［（ヘキシル）（１，２−ジフルオロヘキシル）アンモニウム］＋−パーフルオロフェニル−［（３，４−ジフルオロフェニル（２，４−ジフルオロフェニル）（パーフルオロナフチル）ボラート］−／ジメチルシリル（テトラメチルシクロペンタジエニル（ドデシルアミド）ハフニウムジヒドリド；［（パーフルオロメチル）（１，６−ジフルオロヘキシル）アンモニウム］＋−２，５−ジフルオロフェニル−［（２，３，４−トリフルオロフェニル（パーフルオロビフェニル）（パーフルオロインデニル）ボラート ］−／ジメチルシリル（テトラメチルシクロペンタジエニル）（ドデシルアミド）ハフニウムジヒドリド；［（パーフルオロオクチル）（ヘキシル）アンモニウム］＋−テトラフルオロナフチル−［ビス（２，４−ジフルオロフェニル）（パーフルオロフェニル）ボラート］−／ジメチルシリル（テトラメチルシクロペンタジエニル）（ドデシルアミド）ハフニウムジヒドリド；［（（メチル（トリエチルシリル）））（ヘプチル）アンモニウム］＋−３，４−ジフルオロフェニル−［（パーフルオロビフェニル（ペンタフルオロナフチル）（パーフルオロフルオレニル）アルミナート］−／ジメチルシリル（テトラメチルシクロペンタジエニル）（ドデシルアミド）ハフニウムジメチル；［（ブチル）（パーフルオロメチル）アンモニウム］＋−パーフルオロナフチル−［ビス（パーフルオロフェニル）（パーフルオロナフチル）アルミナート］−／ジメチルシリル（テトラメチルシクロペンタジエニル）（ドデシルアミド）ハフニウムジメチル；［（パーフルオロフェニル）（パーフルオロブチル）ホスホニウム］＋−２，４−ジフルオロフェニル−［（３，４−ジフルオロフェニル（パーフルオロビフェニル）（パーフルオロフェニル）アルミナート］−／ジメチルシリル（テトラメチルシクロペンタジエニル）（ドデシルアミド）ハフニウムジメチル；［（プロピル）（イソペンチル）ホスホニウム］＋−パーフルオロフルオレニル−＋［（パーフルオロインデニル（パーフルオロビフェニル）（パーフルオロピレニル）アルミナート］−／ジメチルシリル（テトラメチルシクロペンタジエニル）（ドデシルアミド）ハフニウム ジメチル；［（（メチル（トリエチルシリル）））（パーフルオロイソペンチル）ホスホニウム］＋−パーフルオロビフェニル−［（パーフルオロフルオレニル（テトラフルオロナフチル）（パーフルオロフェニル）ボラート］−／ジメチルシリル（テトラメチルシクロペンタジエニル）（ドデシルアミド）ハフニウムジメチル；［（２，３，４，５−テトラフルオロフェニル）（パーフルオロエチル）ホスホニウム］＋−２，３−ジフルオロフェニル−［（パーフルオロビフェニル（パーフルオロフルオレニル）（２，４−ジフルオロフェニル）ボラート］−／ジメチルシリル（テトラメチルシクロペンタジエニル）（ドデシルアミド）ハフニウムジメチル；［（エチル（トリエチルシリル））（プロピル）アンモニウム］＋−パーフルオロナフチル−［ビス（パーフルオロインデニル）（テトラフルオロナフチル）ボラート］−／ジメチルシリル（テトラメチルシクロペンタジエニル）（ドデシルアミド）ハフニウムジメチル；［（エチル［（トリエチルシリル））（イソペ���チル）アンモニウム］＋−２，４−ジフルオロフェニル−［ビス（パーフルオロインデニル）（パーフルオロフェニル）ボラート］−／ジメチルシリル［（テトラメチルシクロペンタジエニル）（ドデシルアミド）ハフニウムジメチル；［（エチル（トリメチルシリル））（パーフルオロエチル）アンモニウム］＋−テトラフルオロインデニル−［（パーフルオロビフェニル（パーフルオロナフチル）（２，５−ジフルオロフェニル）ボラート］−／ジメチルシリル（テトラメチルシクロペンタジエニル）（ドデシルアミド）ハフニウムジメチル；［（イソヘキシル）（ヘキシル）ホスホニウム］＋−２，５−ジフルオロフェニル−［ビス（パーフルオロナフチル）（パーフルオロフェニル）ボラート］−／ジメチルシリル（テトラメチルシクロペンタジエニル）（ドデシルアミド）ハフニウムジメチル；［（メチル（トリエチルシリル））（イソヘキシル）アンモニウム］＋−ペンタフルオロフルオレニル−［ビス（パーフルオロナフチル）（パーフルオロビフェニル）ボラート］−／ジメチルシリル（テトラメチルシクロペンタジエニル）（ドデシルアミド）ハフニウムジメチル；［（パーフルオロイソペンチル）（エチル（トリメチルシリル））ホスホニウム］＋−２，３−ジフルオロフェニル−［（２，５−ジフルオロフェニル（テトラフルオロインデニル）（パーフルオロインデニル）ボラート］−／ジメチルシリル（テトラメチルシクロペンタジエニル）（ドデシルアミド）ハフニウムジメチル；［（パーフルオロフェニル）（１，２−ジフルオロヘキシル）アンモニウム］＋−パーフルオロナフチル−［ビス（パーフルオロフルオレニル）（パーフルオロインデニル）ボラート］−／ジメチルシリル（テトラメチルシクロペンタジエニル）（ドデシルアミド）ハフニウム ジメチル；［（プロピル）（３−メチルペンチル）アンモニウム］＋−パーフルオロインデニル−［（パーフルオロビフェニル（３，４−ジフルオロフェニル）（パーフルオロフルオレニル）ボラート］−／ジメチルシリル（テトラメチルシクロペンタジエニル）（ドデシルアミド）ハフニウムジメチル；［（メチル（トリメチルシリル））（エチル）アンモニウム］＋−２，３−ジフルオロフェニル−［（パーフルオロナフチル（２，５−ジフルオロフェニル（ペンタフルオロナフチル）ガリナート］−／ジメチルシリル（テトラメチルシクロペンタジエニル（ドデシルアミド）ハフニウムジメチル；［（パーフルオロメチル）（フェニル）アンモニウム］＋−テトラフルオロインデニル−［（パーフルオロナフチル（パーフルオロフルオレニル）（パーフルオロビフェニル）アルミナート］−／ジメチルシリル（テトラメチルシクロペンタジエニル）（ｔ−ブチルアミド）ジルコニウムジメチル；［（２，３，５−トリフルオロフェニル）（メチル（トリメチルシリル））アンモニウム］＋−パーフルオロフェニル−［（パーフルオロフェニル（パーフルオロナフチル）（パーフルオロピレニル）ボラート］−／ジメチルシリル（テトラメチルシクロペンタジエニル）（ｔ−ブチルアミド）ジルコニウムジメチル；［（３−メチルペンチル）（イソヘキシル）ホスホニウム］＋−テトラフルオロナフチル−［（２，３−ジフルオロフェニル（パーフルオロフェニル）（パーフルオロピレニル）ボラート］−／ジメチルシリル（テトラメチルシクロペンタジエニル）（ｔ−ブチルアミド）ジルコニウムジメチル；［（ヘプチル）（２，３，６，７−テトラフルオロオクチル）アンモニウム］＋−２，３，５−トリフルオロフェニル−［（パーフルオロフェニル（テトラフルオロインデニル）（パーフルオロビフェニル）ボラート］−／ジメチルシリル（テトラメチルシクロペンタジエニル）（ｔ−ブチルアミド）ジルコニウムジメチル；［（ヘキシル）（パーフルオロヘプチル）ホスホニウム］＋−パーフルオロピレニル−［（２，４−ジフルオロフェニル（パーフルオロピレニル）（パーフルオロフェニル）ボラート］−／ジメチルシリル（テトラメチルシクロペンタジエニル）（ｔ−ブチルアミド）ジルコニウムジメチル；［（ヘキシル）（ブチル）アンモニウム］＋−テトラフルオロインデニル−［（２，３，４−トリフルオロフェニル（テトラフルオロインデニル）（パーフルオロフェニル）ボラート］−／ジメチルシリル（テトラメチルシクロペンタジエニル）（ｔ−ブチルアミド）ジルコニウムジメチル；［イソヘキシル）（パーフルオロブチル）アルソニウム］＋−２，５−ジフルオロフェニル−［ビス（パーフルオロフェニル）（パーフルオロフルオレニル）ボラート］−／ジメチルシリル（テトラメチルシクロペンタジエニル）（ｔ−ブチルアミド）ジルコニウムジメチル；
［（イソプロピル）（フェニル）アンモニウム］＋−パーフルオロフェニル−［（パーフルオロインデニル（テトラフルオロインデニル（パーフルオロナフチル）ボラート］−／ジメチルシリル（テトラメチルシクロペンタジエニル）（ｔ−ブチルアミド）ジルコニウムジメチル； ［（ペンチル）（２，３，４，５−テトラフルオロフェニル）ホスホニウム］＋−ペンタフルオロフルオレニル−［（２，３，５−トリフルオロフェニル（テトラフルオロインデニル）（パーフルオロナフチル）ボラート］−／ジメチル（テトラメチルシクロペンタジエニル）（ｔ−ブチルアミド）ジルコニウムジメチル；［（パーフルオロヘプチル）（パーフルオロフェニル）アルソニウム］＋−ペンタフルオロナフチル−［（パーフルオロピレニル（パーフルオロフェニル）（２，３，４−トリフルオロフェニル）ボラート］−／ジメチルシリル（テトラメチルシクロペンタジエニル）（ｔ−ブチルアミド）ジルコニウムジメチル；［（パーフルオロヘキシル）（１，６−ジフルオロヘキシル）アンモニウム］＋−３，４−ジフルオロフェニル−［（パーフルオロフェニル（３，４−ジフルオロフェニル）（テトラフルオロナフチル）ボラート］−／ジメチルシリル（テトラメチルシクロペンタジエニル）（ｔ−ブチルアミド）ジルコニウムジメチル；［（パーフルオロヘキシル）（メチル（トリメチルシリル））アンモニウム］＋−パーフルオロフェニル−［（ペンタフルオロナフチル（パーフルオロインデニル）（トリフルオロインデニル）ボラート］−／ジメチルシリル（テトラメチルシクロペンタジエニル）（ｔ−ブチルアミド）ジルコニウムジメチル；［（パーフルオロフェニル）（２，３，５−トリフルオロフェニル）アンモニウム］＋−パーフルオロインデニル−［（パーフルオロビフェニル（パーフルオロフルオレニル）（テトラフルオロナフチル）ボラート］−／ジメチルシリル（テトラメチルシクロペンタジエニル）（ｔ−ブチルアミド）ジルコニウムジメチル；［（パーフルオロ−ｔ−ブチル）（メチル（トリメチルシリル））アンモニウム］＋−３，４−ジフルオロフェニル−［（パーフルオロインデニル（パーフルオロフェニル）（パーフルオロビフェニル）ボラート］−／ジメチルシリル（テトラメチルシクロペンタジエニル）（ｔ−ブチルアミド）ジルコニウムジメチル；［（フェニル）（エチル（トリエチルシリル））アンモニウム］＋−パーフルオロナフチル−［（パーフルオロピレニル（トリフルオロインデニル）（パーフルオロナフチル）ボラート］−／ジメチルシリル（テトラメチルシクロペンタジエニル）（ｔ−ブチルアミド）ジルコニウムジメチル；［（フェニル）（パーフルオロ−ｔ−ブチル）アンモニウム］＋−パーフルオロインデニル−［（パーフルオロピレニル（２，３，４−トリフルオロフェニル）（パーフルオロインデニル）ボラート］−／ジメチルシリル（テトラメチルシクロペンタジエニル）（ｔ−ブチルアミド）ジルコニウムジメチル；［（フェニル）（エチル（トリメチルシリル））ホスホニウム］＋−パーフルオロフェニル−［（テトラフルオロインデニル（パーフルオロフルオレニル）（ペンタフルオロナフチル）ボラート］−／ジメチルシリル（テトラメチルシクロペン��ジエニル）（ｔ−ブチルアミド）ジルコニウムジメチル；［（２，３，６，７−テトラフルオロオクチル）（エチル（トリエチルシリル））アンモニウム］＋−パーフルオロナフチル−［ビス（パーフルオロビフェニル）（２，５−ジフルオロフェニル）ガリナート］−／ジメチルシリル（テトラメチルシクロペンタジエニル）（ｔ−ブチルアミド）ジルコニウムジメチル；［（ペンチル）（プロピル）アンモニウム］＋−テトラフルオロナフチル−［（２，３，５−トリフルオロフェニル（パーフルオロインデニル）（２，３，４−トリフルオロフェニル）ガリナート］−／ジメチルシリル（テトラメチルシクロペンタジエニル）（ｔ−ブチルアミド）ジルコニウムジメチル；［（エチル（トリエチルシリル））（イソヘキシル）ホスホニウム］＋−パーフルオロフェニル−［（３，４−ジフルオロフェニル（パーフルオロナフチル）（２，５−ジフルオロフェニル）アルミナート］−／ジメチルシリル（テトラメチルシクロペンタジエニル）（ｔｅｒｔ−ブチルアミド）チタニウムジクロリド；［（（メチル（トリエチルシリル）））（メチル）アンモニウム］＋−２，４−ジフルオロフェニル−［（トリフルオロインデニル（パーフルオロナフチル）（２，４−ジフルオロフェニル）ボラート］−／ジメチルシリル（テトラメチルシクロペンタジエニル）（ｔｅｒｔ−ブチルアミド）チタニウムジクロリド；［（２，３，６，７−テトラフルオロオクチル）（パーフルオロイソプロピル）アンモニウム］＋−パーフルオロインデニル−［ビス（パーフルオロフルオレニル）（テトラフルオロインデニル）ボラート］−／ジメチルシリル（テトラメチルシクロペンタジエニル）（ｔｅｒｔ−ブチルアミド）チタニウムジクロリド；［（エチル）（ヘキシル）アンモニウム］＋−２，３，５−トリフルオロフェニル−［（パーフルオロインデニル（２，４−ジフルオロフェニル）（２，３，５−トリフルオロフェニル）ボラート］−／ジメチルシリル（テトラメチルシクロペンタジエニル）（ｔｅｒｔ−ブチルアミド）チタニウムジクロリド；［（メチル（トリメチルシリル））（パーフルオロイソペンチル）ホスホニウム］＋−パーフルオロナフチル−［（２，３，５−トリフルオロフェニル（パーフルオロインデニル）（２，４−ジフルオロフェニル）ボラート］−／ジメチルシリル（テトラメチルシクロペンタジエニル）（ｔｅｒｔ−ブチルアミド）チタニウムジクロリド；［（メチル（トリメチルシリル））（メチル）アンモニウム］＋−ペンタフルオロフルオレニル−［（パーフルオロナフチル（パーフルオロフルオレニル）（２，５−ジフルオロフェニル）ボラート］−／ジメチルシリル（テトラメチルシクロペンタジエニル（ｔｅｒｔ−ブチルアミド）チタニウムジクロリド；［（メチル（トリメチルシリル））（オクチル）アンモニウム］＋−２，３，５−トリフルオロフェニル−［（パーフルオロインデニル（２，３，４−トリフルオロフェニル）（２，３，５−トリフルオロフェニル）ボラート］−／ジメチルシリル（テトラメチルシクロペンタジエニル）（ｔｅｒｔ−ブチルアミド）チタニウムジクロリド；［（パーフルオロブチル）（パーフルオロエチル）ホスホニウム］＋−パーフルオロビフェニル−��（パーフルオロインデニル（２，３，５−トリフルオロフェニル）（ペンタフルオロナフチル）ボラート］−／ジメチルシリル（テトラメチルシクロペンタジエニル）（ｔｅｒｔ−ブチルアミド）チタニウムジクロリド；［（パーフルオロブチル）（１，２−ジフルオロヘキシル）ホスホニウム］＋−パーフルオロナフチル−［（ペンタフルオロフルオレニル（パーフルオロフェニル）（パーフルオロナフチル）ボラート］−／ジメチルシリル（テトラメチルシクロペンタジエニル）（ｔｅｒｔ−ブチルアミド）チタニウムジクロリド［（パーフルオロブチル）（エチル）アンモニウム］＋−パーフルオロフェニル−［（パーフルオロフェニル（２，５−ジフルオロフェニル）（トリフルオロインデニル）ボラート］−／ジメチルシリル（テトラメチルシクロペンタジエニル）（ｔｅｒｔ−ブチルアミド）チタニウムジクロリド；［（パーフルオロプロピル）（１，６−ジフルオロヘキシル）ホスホニウム］＋−２，５−ジフルオロフェニル−［（パーフルオロフェニル（テトラフルオロナフチル）（パーフルオロビフェニル）ボラート］−／ジメチルシリル（テトラメチルシクロペンタジエニル）（ｔｅｒｔ−ブチルアミド）チタニウム ジクロリド；［（エチル（トリエチルシリル））（エチル）アンモニウム］＋−パーフルオロフェニル−［（トリフルオロインデニル（パーフルオロビフェニル）（ペンタフルオロナフチル）ガリナート］−／ジメチルシリル（テトラメチルシクロペンタジエニル）（ｔｅｒｔ−ブチルアミド）チタニウムジクロリド；［（エチル（トリエチルシリル））（ヘプチル）アルソニウム］＋−パーフルオロインデニル−［（２，３，４−トリフルオロフェニル（テトラフルオロインデニル）（パーフルオロインデニル）アルミナート］−／ジメチルシリルビス（２−メチルベンズインデニル）ジルコニウム ジメチル；
［（エチル（トリエチルシリル））（イソペンチル）アンモニウム］＋−２，５−ジフルオロフェニル−［（テトラフルオロインデニル（パーフルオロインデニル）（ペンタフルオロフルオレニル）ボラート］−／ジメチルシリルビス（２−メチルベンズインデニル）ジルコニウムジメチル；［（メチル（トリメチルシリル））（ヘキシル）アンモニウム］＋−パーフルオロフェニル−［（パーフルオロフェニル（２，３，５−トリフルオロフェニル）（２，３−ジフルオロフェニル）ボラート］−／ジメチルシリルビス（２−メチルベンズインデニル）ジルコニウムジメチル；［（パーフルオロヘキシル）（１，６−ジフルオロヘキシル）ホスホニウム］＋−パーフルオロフェニル−［（パーフルオロナフチル（２，３，５−トリフルオロフェニル）（テトラフルオロインデニル）ボラート］−／ジメチルシリルビス（２−メチルベンズインデニル）ジルコニウムジメチル；［（パーフルオロペンチル）（フェニル）アルソニウム］＋−パーフルオロナフチル−［（パーフルオロフルオレニル（パーフルオロビフェニル（ペンタフルオロナフチル）ボラート］−／ジメチルシリルビス（２−メチルベンズインデニル）ジルコニウムジメチル；［（パーフルオロプロピル）（フェニル）アンモニウム］＋−パーフルオロインデニル−［（２，３，４−トリフルオロフェニル（パーフルオロインデニル）（ペンタフルオロフルオレニル）ボラート］−／ジメチルシリルビス（２− メチルベンズインデニル）ジルコニウムジメチル；［（パーフルオロ−ｔ−ブチル）（パーフルオロプロピル）アンモニウム］＋−パーフルオロフェニル−［ビス（パーフルオロビフェニル）（パーフルオロフルオレニル）ボラート］−／ジメチルシリルビス（２−メチルベンズインデニル）ジルコニウムジメチル；［（フェニル）（エチル（トリメチルシリル））ホスホニウム］＋−ペンタフルオロフルオレニル−［ビス（パーフルオロビフェニル）（トリフルオロインデニル）ボラート］−／ジメチルシリルビス（２−メチルベンズインデニル）ジルコニウムジメチル；［（プロピル）（メチル（トリエチルシリル））ホスホニウム］＋−パーフルオロナフチル−［（パーフルオロビフェニル（パーフルオロフルオレニル）（ペンタフルオロフルオレニル）ボラート］−／ジメチルシリルビス（２−メチルベンズインデニル）ジルコニウムジメチル；［（パーフルオロヘキシル）（（メチル（トリエチルシリル）））アンモニウム］＋−パーフルオロインデニル−［（パーフルオロフルオレニル（パーフルオロナフチル）（２，３−ジフルオロフェニル）ガリナート］−／ジメチルシリルビス（２−メチルベンズインデニル）ジルコニウムジメチル；［（２，３，５−トリフルオロフェニル）（イソヘキシル）ホスホニウム］＋−パーフルオロピレニル−［（パーフルオロフェニル（パーフルオロナフチル）（トリフルオロインデニル）アルミナート］−／ジメチルシリルビス（テトラヒドロインデニル）ジルコニウムジクロリド；［（エチル（トリエチルシリル））（３−メチルペンチル）アンモニウム］＋−パーフルオロフルオレニル−［ビス（パーフルオロナフチル）（パーフルオロフェニル）アルミナート］−／ジメチルシリルビス（テトラヒ��ロインデニル）ジルコニウムジクロリド；［（ヘキシル）（パーフルオロイソプロピル）ホスホニウム］＋−パーフルオロフルオレニル−［（テトラフルオロナフチル（パーフルオロフルオレニル）（パーフルオロビフェニル）アルミナート］−／ジメチルシリルビス（テトラヒドロインデニル）ジルコニウムジクロリド；［（パーフルオロイソペンチル）（パーフルオロペンチル）ホスホニウム］＋−ペンタフルオロナフチル−［（パーフルオロフェニル（テトラフルオロインデニル）（パーフルオロピレニル）アルミナート］−／ジメチルシリルビス（テトラヒドロインデニル）ジルコニウムジクロリド；［（パーフルオロオクチル）（（メチル（トリエチルシリル）））アルソニウム］＋−パーフルオロナフチル−［（３，４−ジフルオロフェニル（パーフルオロビフェニル）（２，３−ジフルオロフェニル）アルミナート］−／ジメチルシリルビス（テトラヒドロインデニル）ジルコニウムジクロリド；（ビス（エチル（トリエチルシリル））アンモニウム］＋−トリフルオロインデニル−［ビス（パーフルオロフルオレニル）（パーフルオロビフェニル）ボラート］−／ジメチルシリルビス（テトラヒドロインデニル）ジルコニウムジクロリド；［（エチル（トリエチルシリル））（イソヘキシル）アンモニウム］＋−パーフルオロナフチル−［（ペンタフルオロナフチル（テトラフルオロナフチル）（２，３，４−トリフルオロフェニル）ボラート］−／ジメチルシリルビス（テトラヒドロインデニル）ジルコニウムジクロリド； ［（イソヘキシル）（メチル（トリメチルシリル））アンモニウム］＋−パーフルオロフェニル−［ビス（パーフルオロインデニル）（パーフルオロフルオレニル）ボラート］−／ジメチルシリルビス（テトラヒドロインデニル）ジルコニウムジクロリド；［（イソヘキシル）（（メチル（トリエチルシリル））） ホスホニウム］＋−パーフルオロインデニル−［（２，３，５−トリフルオロフェニル（パーフルオロフルオレニル）（パーフルオロビフェニル）ボラート］−／ジメチルシリルビス（テトラヒドロインデニル）ジルコニウムジクロリド；［（メチル（トリエチルシリル））（パーフルオロ−ｔ−ブチル）アンモニウム］＋−パーフルオロビフェニル−［（３，４−ジフルオロフェニル（テトラフルオロインデニル）（パーフルオロフルオレニル）ボラート］−／ジメチルシリルビス（テトラヒドロインデニル）ジルコニウムジクロリド；［（エチル（トリメチルシリル））（１，２−ジフルオロヘキシル）アンモニウム］＋−パーフルオロナフチル−［（パーフルオロフェニル（パーフルオロインデニル）（パーフルオロビフェニル）アルミナート］−／ジフェニルメチル（シクロペンタジエニル）（２，７−ジメチルフルオレニル）ハフニウムジメチル；［（イソプロピル）（パーフルオロフェニル）アンモニウム］＋−ペンタフルオロフルオレニル−［ビス（パーフルオロフェニル）（２，３，４−トリフルオロフェニル）アルミナート］−／ジフェニルメチル（シクロペンタジエニル）（２，７−ジメチルフルオレニル）ハフニウムジメチル；［（メチル（トリメチルシリル））（イソペンチル）アンモニウム］＋−パーフルオロインデニル−［（２，４−ジフルオロフェニル（２，３，４−トリフルオロフェニル）（２，３−ジフルオロフェニル）アルミナート］−／ジフェニルメチル（シクロペンタジエニル）（２，７−ジメチルフルオレニル）ハフニウムジメチル；［（パーフルオロイソペンチル）（メチル（トリメチルシリル）アンモニウム］＋−パーフルオロフルオレニル−［（２，４−ジフルオロフェニル（ペンタフルオロナフチル）（トリフルオロインデニル）アルミナート］−／ジフェニルメチル（シクロペンタジエニル）（２，７−ジメチルフルオレニル）ハフニウムジメチル；［（２，３，５−トリフルオロフェニル）（メチル（トリメチルシリル））ホスホニウム］＋−パーフルオロフェニル−［（パーフルオロインデニル（パーフルオロビフェニル）（２，４−ジフルオロフェニル）ボラート］−／ジフェニルメチル（シクロペンタジエニル）（２，７−ジメチルフルオレニル）ハフニウムジメチル；［（２，３，６，７−テトラフルオロオクチル）（イソヘキシル）アンモニウム］＋− パーフルオロナフチル−［（トリフルオロインデニル（テトラフルオロナフチル）（パーフルオロナフチル）ボラート］−／ジフェニルメチル（シクロペンタジエニル）（２，７−ジメチルフルオレニル）ハフニウムジメチル；［（３−メチルペンチル）（パーフルオロフェニル）ホスホニウム］＋−パーフルオロナフチル−［（パーフルオロビフェニル（パーフルオロインデニル）（ペンタフルオロナフチル）ボラート］−／ジフェニルメチル［（シクロペンタジエニル）（２，７−ジメチルフルオレニル）ハフニウムジメチル；［（イソペンチル）（メチル（トリメチルシリル））アンモニウム］＋−パーフルオロピレニル−［ビス（パーフルオロフルオレニル）（パーフルオロビフェニル）ボラート］−／ジフェニルメチル（シクロペンタジエニル）（２，７−ジメチルフルオレニル）ハフニウムジメチル；［（メチル（トリメチルシリル））（エチル（トリエチルシリル））アンモニウム］＋−２，４−ジフルオロフェニル−［ビス（２，３−ジフルオロフェニル）（テトラフルオロインデニル）ボラート］−／ジフェニルメチル（シクロペンタジエニル）（２，７−ジメチルフルオレニル）ハフニウムジメチル；［（オクチル）（パーフルオロエチル）アンモニウム］＋−トリフルオロインデニル−［ビス（３，４−ジフルオロフェニル）（パーフルオロナフチル）ボラート］−／ジフェニルメチル（シクロペンタジエニル）（２，７−ジメチルフルオレニル）ハフニウムジメチル；
［（オクチル）（ブチル）ホスホニウム］＋−トリフルオロインデニル−［（テトラフルオロインデニル（パーフルオロフェニル）（３，４−ジフルオロフェニル）ボラート］−／ジフェニルメチル（シクロペンタジエニル）（２，７−ジメチルフルオレニル）ハフニウムジメチル；［（パーフルオロメチル）（オクチル）ホスホニウム］＋−パーフルオロナフチル−［（テトラフルオロインデニル（パーフルオロフェニル）（２，３，５−トリフルオロフェニル）ボラート］−／ジフェニルメチル（シクロペンタジエニル）（２，７−ジメチルフルオレニル）ハフニウムジメチル；［（パーフルオロフェニル）（ヘキシル）アンモニウム］＋−ペンタフルオロフルオレニル［（パーフルオロインデニル（２，３，５−トリフルオロフェニル）（テトラフルオロインデニル）ボラート］−／ジフェニルメチル（シクロペンタジエニル）（２，７−ジメチルフルオレニル）ハフニウムジメチル；［（パーフルオロフェニル）（メチル（トリメチルシリル））アンモニウム］＋−パーフルオロピレニル−［（ペンタフルオロフルオレニル（テトラフルオロナフチル）（パーフルオロビフェニル）ボラート］−／ジフェニルメチル（シクロペンタジエニル）（２，７−ジメチルフルオレニル）ハフニウムジメチル；（ビス（パーフルオロプロピル）アンモニウム］＋−２，３−ジフルオロフェニル−［ビス（パーフルオロフェニル）（３，４−ジフルオロフェニル）ボラート］−／ジフェニルメチル（シクロペンタジエニル）（２，７−ジメチルフルオレニル）ハフニウムジメチル；［（パーフルオロプロピル）（イソヘキシル）アンモニウム］＋−３，４−ジフルオロフェニル−ビス（パーフルオロナフチル）（パーフルオロビフェニル）ボラート］−／ジフェニルメチル（シクロペンタジエニル）（２，７−ジメチルフルオレニル）ハフニウムジメチル；［（パーフルオロ−ｔ−ブチル）（フェニル）アルソニウム］＋−パーフルオロビフェニル−［（パーフルオロフェニル（ペンタフルオロナフチル）（パーフルオロフルオレニル）ボラート］−／ジフェニルメチル（シクロペンタジエニル）（２，７−ジメチルフルオレニル）ハフニウムジメチル；［（プロピル）（イソヘキシル）アンモニウム］＋−パーフルオロビフェニル−［ビス（パーフルオロフェニル）（パーフルオロフルオレニル）ボラート］−／ジフェニルメチル（シクロペンタジエニル）（２，７−ジメチルフルオレニル）ハフニウムジメチル；［（ｔ− ブチル）（メチル（トリエチルシリル）ホスホニウム］＋テトラフルオロインデニル−［（パーフルオロインデニル（パーフルオロフルオレニル）（パーフルオロフェニル）ボラート］−／ジフェニルメチル（シクロペンタジエニル）（２，７−ジメチルフルオレニル）ハフニウムジメチル；［（２，３，６，７−テトラフルオロオクチル）（パーフルオロヘプチル）アンモニウム］＋−パーフルオロナフチル−［（トリフルオロインデニル（パーフルオロフェニル）（パーフルオロフルオレニル）ガリナート］−／ジフェニルメチル（シクロペンタジエニル）（２，７−ジメチルフルオレニル）ハフニウムジメチル；［（パーフルオロフェニル）（パーフルオロイソペンチル）アンモニウム］＋−２，３，４−��リフルオロフェニル−［（２，４−ジフルオロフェニル（トリフルオロインデニル）（パーフルオロフェニル）ガリナート］−／ジフェニルメチル（シクロペンタジエニル）（２，７−ジメチルフルオレニル）ハフニウムジメチル；［（２，３，４，５−テトラフルオロフェニル）（３−メチルペンチル）アンモニウム］＋−２，４−ジフルオロフェニル−［（ペンタフルオロフルオレニル（パーフルオロナフチル）（パーフルオロフェニル）アルミナート］−／ジフェニルメチル（シクロペンタジエニル）（２，７−ジ−ｔ−ブチル−フルオレニル）ハフニウムジメチル；［（イソペンチル）（イソヘキシル）アンモニウム］＋−２，５−ジフルオロフェニル−［ビス（パーフルオロビフェニル）（パーフルオロフルオレニル）アルミナート］−／ジフェニルメチル（シクロペンタジエニル）（２，７−ジ−ｔ−ブチル−フルオレニル）ハフニウムジメチル；［（メチル（トリメチルシリル））（２，３，４，５−テトラフルオロフェニル）アンモニウム］＋−パーフルオロフェニル−［（テトラフルオロインデニル（パーフルオロピレニル）（パーフルオロフェニル）アルミナート］−／ジフェニルメチル（シクロペンタジエニル）（２，７−ジ−ｔ−ブチル−フルオレニル）ハフニウムジメチル；［（メチル（トリメチルシリル））（パーフルオロイソペンチル）アンモニウム］＋−２，４−ジフルオロフェニル−；［（パーフルオロナフチル（パーフルオロビフェニル）（２，４−ジフルオロフェニル）アルミナート］−／ジフェニルメチル（シクロペンタジエニル）（２，７−ジ−ｔ−ブチル−フルオレニル）ハフニウムジメチル；［（パーフルオロヘキシル）（パーフルオロイソペンチル）アンモニウム］＋−パーフルオロフェニル−［（パーフルオロピレニル（パーフルオロフェニル）（パーフルオロインデニル）アルミナート］−／ジフェニルメチル（シクロペンタジエニル）（２，７−ジ−ｔ−ブチル−フルオレニル）ハフニウムジメチル；［（パーフルオロイソペンチル）（イソヘキシル）アンモニウム］＋−ペンタフルオロナフチル−［（パーフルオロフェニル（パーフルオロナフチル）（パーフルオロインデニル）アルミナート］−／ジフェニルメチル（シクロペンタジエニル）（２，７−ジ−ｔ−ブチル−フルオレニル）ハフニウムジメチル；［（（メチル（トリエチルシリル）））（ヘキシル）アンモニウム］＋−ペンタフルオロフルオレニル−［（２，３，５−トリフルオロフェニル（テトラフルオロインデニル）（トリフルオロインデニル）ボラート］−／ジフェニルメチル（シクロペンタジエニル）（２，７−ジ−ｔ−ブチル−フルオレニル）ハフニウムジメチル；（ビス（１，２−ジフルオロヘキシル）ホスホニウム］＋−２，３−ジフルオロフェニル−［２，３，４−トリフルオロフェニル（パーフルオロフェニル）（２，４−ジフルオロフェニル）ボラート］−／ジフェニルメチル（シクロペンタジエニル）（２，７−ジ−ｔ−ブチル−フルオレニル）ハフニウムジメチル；［（エチル（トリメチルシリル））（エチル（トリエチルシリル））アンモニウム］＋−パーフルオロフルオレニル−［（２，３−ジフルオロフェニル（２，４−ジフルオロフェニル）（パーフルオロビフェニル）��ラート］−／ジフェニルメチル（シクロペンタジエニル）（２，７−ジ−ｔ−ブチル−フルオレニル）ハフニウムジメチル；（ビス（ヘプチル）ホスホニウム］＋−２，３，５−トリフルオロフェニル−［（パーフルオロインデニル（テトラフルオロインデニル）（２，３，５−トリフルオロフェニル）ボラート］−／ジフェニルメチル（シクロペンタジエニル）（２，７−ジ−ｔ−ブチル−フルオレニル）ハフニウムジメチル；［（メチル（トリエチルシリル））（パーフルオロエチル）アンモニウム］＋−パーフルオロインデニル−［ビス（パーフルオロビフェニル）（ペンタフルオロナフチル）ボラート］−／ジフェニルメチル（シクロペンタジエニル）（２，７−ジ−ｔ−ブチル−フルオレニル） ハフニウムジメチル；［（パーフルオロヘキシル）（パーフルオロエチル）ホスホニウム］＋−パーフルオロビフェニル−［ビス（パーフルオロフェニル）（パーフルオロインデニル）ボラート］−／ジフェニルメチル（シクロペンタジエニル）（２，７−ジ−ｔ−ブチル−フルオレニル）ハフニウムジメチル；［（パーフルオロ−ｔ−ブチル）（イソペンチル）アンモニウム］＋−パーフルオロビフェニル−［（パーフルオロフェニル（２，５−ジフルオロフェニル）（ペンタフルオロフルオレニル）ボラート］−／ジフェニルメチル（シクロペンタジエニル）（２，７−ジ−ｔ−ブチル−フルオレニル）ハフニウムジメチル；［（パーフルオロ−ｔ−ブチル）（ヘプチル）ホスホニウム］＋−パーフルオロフェニル−［（パーフルオロビフェニル（パーフルオロフルオレニル）（２，３−ジフルオロフェニル）ボラート］−／ジフェニルメチル（シクロペンタジエニル）（２ ，７−ジ−ｔ−ブチル−フルオレニル）ハフニウムジメチル；［（パーフルオロ−ｔ−ブチル）（エチル（トリメチルシリル））アルソニウム］＋−２，３−ジフルオロフェニル−［（ペンタフルオロナフチル（パーフルオロインデニル）（パーフルオロビフェニル）ボラート］−／ジフェニルメチル（シクロペンタジエニル）（２，７−ジ−ｔ−ブチル−フルオレニル）ハフニウムジメチル；
［（ｔ−ブチル）（３−メチルペンチル）アルソニウム］＋−２，３，５−トリフルオロフェニル−［（３，４−ジフルオロフェニル（パーフルオロフェニル）（パーフルオロインデニル）ボラート］−／ジフェニルメチル（シクロペンタジエニル）（２，７−ジ−ｔ−ブチル−フルオレニル）ハフニウムジメチル；［（パーフルオロペンチル）（パーフルオロメチル）ホスホニウム］＋−テトラフルオロナフチル−［（パーフルオロナフチル（２，３，５−トリフルオロフェニル）（２，３−ジフルオロフェニル）ガリナート］−／ジフェニルメチル（シクロペンタジエニル）（２，７−ジ−ｔ−ブチル−フルオレニル）ハフニウムジメチル；［（エチル（トリメチルシリル））（ペンチル）アンモニウム］＋−パーフルオロナフチル−［（ペンタフルオロナフチル（パーフルオロピレニル）（３，４−ジフルオロフェニル）アルミナート］−／ジフェニルメチル（シクロペンタジエニル）（フルオレニル）ハフニウムジメチル；（ビス（オクチル）アンモニウム］＋−２，３−ジフルオロフェニル−［（２，４−ジフルオロフェニル（パーフルオロピレニル）（パーフルオロインデニル）アルミナート］−／ジフェニルメチル（シクロペンタジエニル）（フルオレニル）ハフニウムジメチル；［（フェニル）（メチル）ホスホニウム］＋−パーフルオロピレニル−［（トリフルオロインデニル（パーフルオロフルオレニル）（パーフルオロビフェニル）アルミナート］−／ジフェニルメチル（シクロペンタジエニル）（フルオレニル）ハフニウムジメチル；［（１，６−ジフルオロヘキシル）（パーフルオロメチル）アンモニウム］＋−パーフルオロフェニル−［（ペンタフルオロフルオレニル（パーフルオロフルオレニル）（２，３，４−トリフルオロフェニル）ボラート］−／ジフェニルメチル（シクロペンタジエニル）（フルオレニル）ハフニウムジメチル；［（２，３，５−トリフルオロフェニル）（メチル）アンモニウム］＋−パーフルオロインデニル−［（２，５−ジフルオロフェニル（３，４−ジフルオロフェニル）（パーフルオロインデニル）ボラート］−／ジフェニルメチル（シクロペンタジエニル）（フルオレニル）ハフニウムジメチル；［（エチル）（３−メチルペンチル）アンモニウム］＋−パーフルオロフルオロフルオレニル−［（テトラフルオロインデニル（パーフルオロフェニル）（パーフルオロインデニル）ボラート］−／ジフェニルメチル（シクロペンタジエチル）（フルオレニル）ハフニウムジメチル；［（エチル［（トリエチルシリル））（２，３，４，５−テトラフルオロフェニル）ホスホニウム］＋−パーフルオロインデニル−［ビス（パーフルオロインデニル）（２，３，５−トリフルオロフェニル）ボラート］−／ジフェニルメチル（シクロペンタジエニル（フルオレニル）ハフニウムジメチル；［（ペンチル）（ブチル）アンモニウム］＋−パーフルオロナフチル−［（パーフルオロフェニル（２，５−ジフルオロフェニル）（２，３−ジフルオロフェニル）ボラート］−／ジフェニルメチル［（シクロペンタジエニル）（フルオレニル）ハフニウムジメチル；［（パーフルオロプロピル）（パーフルオロオクチル）アンモニウム］＋−パーフルオロナフチル−［（パーフルオロフルオレニル（３，４−ジフルオロフェニル）（パーフルオロナフチル）ボラート］−／ジフェニルメチル（シクロペンタジエニル）（フルオレニル）ハフニウムジメチル；［（２，３，４，５−テトラフルオロフェニル）（パーフルオロヘキシル）ホスホニウム］＋−ペンタフルオロナフチル−［（パーフルオロインデニル（パーフルオロナフチル）（２，３−ジフルオロフェニル）アルミナート］−／ジフェニルメチル（フルオレニル）（シクロペンタジエニル）ハフニウムジメチル；［（２，３，６，７−テトラフルオロオクチル）（ヘプチル）アンモニウム］＋−パーフルオロフルオレニル−［（パーフルオロビフェニル（パーフルオロフェニル）（２，４−ジフルオロフェニル）アルミナート］−／ジフェニルメチル（フルオレニル）（シクロペンタジエニル）ハフニウムジメチル；［（ヘプチル）（ヘキシル）アンモニウム］＋−テトラフルオロナフチル−［トリス（パーフルオロインデニル）アルミナート］−／ジフェニルメチル（フルオレニル）（シクロペンタジエニル）ハフニウムジメチル；［（パーフルオロエチル）（２，３ ，６ ，７−テトラフルオロオクチル）アンモニウム］＋−パーフルオロナフチル−［（トリフルオロインデニル（パーフルオロインデニル）（パーフルオロピレニル）アルミナート］−／ジフェニルメチル（フルオレニル）（シクロペンタジエニル）ハフニウムジメチル；［（プロピル）（パーフルオロフェニル）アンモニウム］＋−パーフルオロフルオレニル−［（パーフルオロナフチル（パーフルオロフルオレニル）（パーフルオロインデニル）アルミナート］−／ジフェニルメチル（フルオレニル）（シクロペンタジエニル）ハフニウムジメチル；［（２，３，５−トリフルオロフェニル）（フェニル）アンモニウム］＋−パーフルオロフェニル−［（トリフルオロインデニル（パーフルオロナフチル）（パーフルオロフルオレニル）ボラート］−／ジフェニルメチル（フルオレニル）（シクロペンタジエニル）ハフニウムジメチル；［（ブチル）（パーフルオロイソペンチル）ホスホニウム］＋−パーフルオロビフェニル−［（パーフルオロナフチル（２，３−ジフルオロフェニル）（パーフルオロビフェニル）ボラート］−／ジフェニルメチル（フルオレニル）（シクロペンタジエニル）ハフニウムジメチル；［（エチル）（メチル）ホスホニウム］＋−３，４−ジフルオロフェニル−［ビス（パーフルオロインデニル）（２，５−ジフルオロフェニル）ボラート］−／ジフェニルメチル（フルオレニル）（シクロペンタジエニル）ハフニウムジメチル；［（エチル［（トリメチルシリル））（２，３，６，７−テトラフルオロオクチル）アンモニウム］＋−パーフルオロフェニル−［（トリフルオロインデニル（パーフルオロビフェニル）（３，４−ジフルオロフェニル）ボラート］−／ジフェニルメチル（フルオレニル）（シクロペンタジエニル）ハフニウムジメチル；［（エチル［（トリメチルシリル））（パーフルオロプロピル）ホスホニウム］＋−パーフルオロフェニル−［（パーフルオロインデニル（パーフルオロビフェニル）（ペンタフルオロナフチル）ボラート］−／ジフェニルメチル（フルオレニル）（シクロペンタジエニル）ハフニウムジメチル；［���イソプロピル）（ヘキシル）アンモニウム］＋−２，５−ジフルオロフェニル−［（パーフルオロフェニル（パーフルオロナフチル）（パーフルオロインデニル）ボラート］−／ジフェニルメチル（フルオレニル）（シクロペンタジエニル）ハフニウムジメチル；［（パーフルオロメチル）（イソヘキシル）アンモニウム］＋−パーフルオロナフチル−［（２，５−ジフルオロフェニル（パーフルオロフェニル）（２，３，４−トリフルオロフェニル）ボラート］−／ジフェニルメチル（フルオレニル）（シクロペンタジエニル）ハフニウムジメチル；［（パーフルオロペンチル）（パーフルオロ−ｔ−ブチル）アンモニウム］＋−パーフルオロビフェニル−［（３，４−ジフルオロフェニル（パーフルオロナフチル）（パーフルオロインデニル）ボラート］−／ジフェニルメチル（フルオレニル）（シクロペンタジエニル）ハフニウムジメチル；［（パーフルオロプロピル）（３−メチルペンチル）アルソニウム］＋−パーフルオロビフェニル−［（２，３，４−トリフルオロフェニル（２，４−ジフルオロフェニル）（パーフルオロビフェニル）ボラート］−／ジフェニルメチル（フルオレニル）（シクロペンタジエニル）ハフニウムジメチル；［（エチル（トリエチルシリル））（パーフルオロオクチル）アンモニウム］＋−パーフルオロビフェニル−［（２，５−ジフルオロフェニル（２，３−ジフルオロフェニル）（パーフルオロピレニル）アルミナート］−／ジフェニルメチル（フルオレニル）（シクロペンタジエニル）ジルコニウムジメチル；［（ビス（パーフルオロフェニル）アンモニウム］＋−パーフルオロビフェニル−［（２，５−ジフルオロフェニル（３，４−ジフルオロフェニル）（トリフルオロインデニル）アルミナート］−／ジフェニルメチル（フルオレニル）（シクロペンタジエニル）ジルコニウムジメチル；［（３−メチルペンチル）（メチル（トリエチルシリル）ホスホニウム］＋−パーフルオロフェニル−［（パーフルオロフェニル（パーフルオロインデニル）（パーフルオロフルオレニル）ボラート］−／ジフェニルメチル（フルオレニル）（シクロペンタジエニル）ジルコニウムジメチル；
［（エチル（トリエチルシリル））（３−メチルペンチル）アンモニウム］＋−パーフルオロインデニル−［（トリフルオロインデニル（パーフルオロナフチル）（２，３−ジフルオロフェニル）ボラート］−／ジフェニルメチル（フルオレニル）（シクロペンタジエニル）ジルコニウムジメチル；［（イソヘキシル）（ヘプチル）アンモニウム］＋−パーフルオロインデニル［ビス（パーフルオロフェニル）（２，５−ジフルオロフェニル）ボラート］−／ジフェニルメチル（フルオレニル）（シクロペンタジエニル）ジルコニウムジメチル；［（イソヘキシル）（エチル（トリメチルシリル））ホスホニウム］＋−パーフルオロナフチル−［ビス（パーフルオロフルオレニル）（トリフルオロインデニル）ボラート］−／ジフェニルメチル（フルオレニル）（シクロペンタジエニル）ジルコニウムジメチル；［（イソペンチル）（イソプロピル）アンモニウム］＋−パーフルオロインデニル−［（パーフルオロナフチル（ペンタフルオロフルオレニル）（パーフルオロインデニル）ボラート］−／ジフェニルメチル（フルオレニル）（シクロペンタジエニル）ジルコニウムジメチル；［（パーフルオロイソペンチル）（エチル（トリメチルシリル））アンモニウム］＋−ペンタフルオロフルオレニル［（２，３−ジフルオロフェニル（パーフルオロインデニル）（２，４−ジフルオロフェニル）ボラート］−／ジフェニルメチル（フルオレニル）（シクロペンタジエニル）ジルコニウムジメチル；［（パーフルオロイソプロピル）（エチル（トリメチルシリル））アンモニウム］＋−パーフルオロインデニル−［（パーフルオロピレニル（パーフルオロフェニル）（２，４−ジフルオロフェニル）ボラート］−／ジフェニルメチル（フルオレニル）（シクロペンタジエニル）ジルコニウムジメチル；［（パーフルオロメチル）（エチル）アンモニウム］＋−パーフルオロインデニル−［ビス（パーフルオロビフェニル（２，３−ジフルオロフェニル）ボラート］−／ジフェニルメチル（フルオレニル）（シクロペンタジエニル）ジルコニウムジメチル；［（パーフルオロオクチル）（３−メチルペンチル）アルソニウム］＋−パーフルオロフェニル−［（２，４−ジフルオロフェニル（パーフルオロフルオレニル）（テトラフルオロインデニル）ボラート］−／ジフェニルメチル（フルオレニル）（シクロペンタジエチル）ジルコニウムジメチル；［（パーフルオロオクチル）（エチル）アンモニウム］＋−パーフルオロフェニル−［ビス（パーフルオロインデニル）（パーフルオロビフェニル）ボラート］−／ジフェニルメチル（フルオレニル）（シクロペンタジエニル）ジルコニウムジメチル；［（フェニル）（ｔ−ブチル）アンモニウム］＋−パーフルオロフルオレニル−［（パーフルオロナフチル（２，５−ジフルオロフェニル）（パーフルオロインデニル）ボラート］−／ジフェニルメチル（フルオレニル）（シクロペンタジエニル）ジルコニウムジメチル；［（パーフルオロペンチル）（メチル）アンモニウム］＋−パーフルオロフルオレニル−［（パーフルオロナフチル（パーフルオロインデニル）（ペンタフルオロフルオレニル）ガリナート］−／ジフェニルメチル［（フルオレニル）（シクロペンタジエニル）ジルコニウムジメチル；［（フェニル）（ヘプチル）アンモニウム］＋−パーフルオロピレニル−［（ペンタフルオロナフチル（テトラフルオロナフチル）（３，４−ジフルオロフェニル）ガリナート］−／ジフェニルメチル（フルオレニル）（シクロペンタジエニル）ジルコニウムジメチル；［（ヘキシル）（エチル（トリメチルシリル））ホスホニウム］＋−ペンタフルオロフルオレニル−［（ペンタフルオロナフチル（パーフルオロナフチル）（パーフルオロビフェニル）アルミナート］−／オキソトリス（トリメチルシリルメチル）バナジウム；［（エチル）（パーフルオロメチル）アンモニウム］＋−テトラフルオロインデニル−［（２，４−ジフルオロフェニル（パーフルオロフルオレニル）（パーフルオロフェニル）ボラート］−／オキソトリス（トリメチルシリルメチル）バナジウム；［（エチル（トリエチルシリル））（パーフルオロヘキシル）ホスホニウム］＋−パーフルオロナフチル］−［（パーフルオロインデニル（パーフルオロピレニル）（パーフルオロフルオレニル）ボラート］−／オキソトリス（トリメチルシリルメチル）バナジウム；［（エチル（トリメチルシリル））（メチル（トリエチルシリル）アンモニウム］＋−トリフルオロインデニル−［ビス（パーフルオロインデニル）（パーフルオロピレニル）ボラート］−／オキソトリス（トリメチルシリルメチル）バナジウム；［（エチル［（トリメチルシリル））（２，３，４，５−テトラフルオロフェニル）アルソニウム］＋−２，４−ジフルオロフェニル−［（テトラフルオロインデニル（パーフルオロフェニル）（パーフルオロフルオレニル）ボラート］−／オキソトリス（トリメチルシリルメチル）バナジウム；［（ヘプチル）（１，６−ジフルオロヘキシル）アンモニウム］＋−パーフルオロフェニル−［ビス（パーフルオロフルオレニル）（パーフルオロインデニル）ボラート］−／オキソトリス（トリメチルシリルメチル） バナジウム；［（ヘプチル）（フェニル）アンモニウム］＋−２，４−ジフルオロフェニル−［（ペンタフルオロナフチル（パーフルオロナフチル）（２，４−ジフルオロフェニル）ボラート］−／オキソトリス（トリメチルシリルメチル）バナジウム；［（パーフルオロヘプチル）（メチル）アンモニウム］＋−テトラフルオロインデニル−［（パーフルオロフェニル（２，３，４−トリフルオロフェニル）（２，３，５−トリフルオロフェニル）ボラート］−／オキソトリス（トリメチルシリルメチル）バナジウム；［（パーフルオロオクチル）（（メチル（トリエチルシリル）））ホスホニウム］＋−パーフルオロビフェニル−［（ペンタフルオロナフチル（パーフルオロビフェニル）（２，５−ジフルオロフェニルボラ−ト］−／オキソトリス（トリメチルシリルメチル）バナジウム；［（パーフルオロオクチル）（エチル（トリメチルシリル））アンモニウム］＋−２，４−ジフルオロフェニル−［（２，５−ジフルオロフェニル（パーフルオロフルオレニル）（ペンタフルオロナフチル）ボラート］−／オキソトリス （トリメチルシリルメチル）バナジウム；［（パーフルオロフェニル）（エチル（トリメチルシリル））アンモニウム］＋−パーフルオロナフチル−［（パーフルオロピレニ���（２，３，４−トリフルオロフェニル）（パーフルオロフルオレニル）ボラート］−／オキソトリス（トリメチルシリルメチル）バナジウム；［（パーフルオロプロピル）（エチル（トリメチルシリル））アンモニウム］＋−テトラフルオロインデニル−［（パーフルオロビフェニル（パーフルオロインデニル）（パーフルオロフェニル）ボラート］−／オキソトリス（トリメチルシリルメチル）バナジウム；（ビス（パーフルオロプロピル）ホスホニウム］＋−パーフルオロフルオレニル−［（パーフルオロピレニル（トリフルオロインデニル）（３，４−ジフルオロフェニル）ボラート］−／オキソトリス（トリメチルシリルメチル）バナジウム；［（フェニル）（３−メチルペンチル）アンモニウム］＋−パーフルオロフルオレニル−［（ペンタフルオロフルオレニル（パーフルオロピレニル）（ペンタフルオロナフチル）ボラート］−／オキソトリス（トリメチルシリルメチル）バナジウム；［（フェニル）（１，６−ジフルオロヘキシル）アンモニウム］＋−パーフルオロフルオレニル−［（２，３，４−トリフルオロフェニル（パーフルオロビフェニル）（パーフルオロナフチル）ボラート］−／オキソトリス（トリメチルシリルメチル）バナジウム；［（プロピル）（ペンチル）ホスホニウム］＋−パーフルオロナフチル−［（パーフルオロフェニル（パーフルオロフルオレニル）（パーフルオロインデニル）ボラート］−／オキソトリス（トリメチルシリルメチル）バナジウム；［（メチル（トリメチルシリル））（ブチル）アンモニウム］＋−トリフルオロインデニル−［（３，４−ジフルオロフェニル（２，３，４−トリフルオロフェニル）（パーフルオロビフェニル）ガリナート］−／オキソトリス（トリメチルシリルメチル）バナジウム；
［（パーフルオロメチル）（イソプロピル）アンモニウム］＋−２，５−ジフルオロフェニル−［トリス（２，３，５−トリフルオロフェニル）ガリナート］−／オキソトリス （トリメチルシリルメチル）バナジウム；［（メチル（トリエチルシリル））（３−メチルペンチル）アンモニウム］＋−２，３−ジフルオロフェニル−［（パーフルオロフェニル（トリフルオロインデニル）（２，３，４−トリフルオロフェニル）アルミナート］−／ペンタメチルシクロペンタジエニルチタニウムイソプロポキシド；［（パーフルオロヘキシル）（ペンチル）ホスホニウム］＋−パーフルオロフルオレニル−［トリス（パーフルオロフェニル）アルミナート］−／ペンタエチルシクロペンタジエニルチタニウムイソプロポキシド；［（パーフルオロフェニル）（ｔ−ブチル）アンモニウム］＋−ペンタフルオロナフチル−［（２，３，４−トリフルオロフェニル（ペンタフルオロナフチル）（パーフルオロフェニル）アルミナート］−／ペンタメチルシクロペンタジエニルチタニウムイソプロポキシド；［（２，３，５−トリフルオロフェニル）（（メチル（トリエチルシリル）））ホスホニウム］＋−２，３，４−トリフルオロフェニル−［ビス（パーフルオロフェニル）（２，５−ジフルオロフェニル）ボラート］−／ペンタメチルシクロペンタジエニルチタニウムイソプロポキシド；［（ペンチル）（パーフルオロイソペンチル）アンモニウム］＋−ペンタフルオロナフチル−［（パーフルオロフェニル（ペンタフルオロナフチル）（２，３−ジフルオロフェニル）ボラート］−／ペンタメチルシクロペンタジエニルチタニウムイソプロポキシド；［（フェニル）（エチル（トリメチルシリル））アンモニウム］＋−パーフルオロフェニル−［（パーフルオロビフェニル（パーフルオロフェニル）（２，３，５−トリフルオロフェニル）ボラート］−／ペンタメチルシクロペンタジエニルチタニウムイソプロポキシド；［（フェニル）（ヘプチル）アンモニウム］＋−パーフルオロナフチル−［（パーフルオロフルオレニル（２，３，４−トリフルオロフェニル）（ペンタフルオロナフチル）ボラート］−／ペンタメチルシクロペンタジエニルチタニウムイソプロポキシド；［（ペンチル）（エチル（トリメチルシリル））アンモニウム］＋−パーフルオロビフェニル−［ビス（パーフルオロインデニル）（パーフルオロナフチル）ガリナート］−／ペンタメチルシクロペンタジエニルチタニウムイソプロポキシド；［（パーフルオロエチル）（パーフルオロメチル）ホスホニウム］＋−パーフルオロフェニル−［トリス（パーフルオロビフェニル）ガリナート］−／ペンタメチルシクロペンタジエニルチタニウムイソプロポキシド；［（パーフルオロプロピル）（パーフルオロエチル）ホスホニウム］＋−パーフルオロビフェニル−［（パーフルオロナフチル（パーフルオロインデニル）（パーフルオロビフェニル）ガリナート］−／ペンタメチルシクロペンタジエニルチタニウムイソプロポキシド；［（メチル（トリメチルシリル））（エチル）アンモニウム］＋−パーフルオロフェニル−［（パーフルオロフェニル（パーフルオロナフチル）（パーフルオロビフェニル）アルミナート］−／ペンタメチルシクロペンタジエニ��トリベンジルチタニウム；［（パーフルオロオクチル）（メチル（トリメチルシリル））アンモニウム］＋−２，５−ジフルオロフェニル−［（２，３−ジフルオロフェニル（トリフルオロインデニル）（２，３，４−トリフルオロフェニル）アルミナート］−／ペンタメチルシクロペンタジエニルトリベンジルチタニウム；［（パーフルオロフェニル）（パーフルオロエチル）アンモニウム］＋−パーフルオロナフチル−［（パーフルオロナフチル（テトラフルオロインデニル）（テトラフルオロナフチル）アルミナート］−／ペンタメチルシクロペンタジエニルトリベンジルチタニウム；［（パーフルオロ−ｔ−ブチル）（２，３，６，７−テトラフルオロオクチル）ホスホニウム］＋−３，４ ジフルオロフェニル−［（パーフルオロインデニル（ペンタフルオロナフチル）（パーフルオロフルオレニル）アルミナート］−／ペンタメチルシクロペンタジエニルトリベンジルチタニウム；［（２，３，６，７−テトラフルオロオクチル）（イソプロピル）アンモニウム］＋−パーフルオロフェニル−［（３，４−ジフルオロフェニル（パーフルオロインデニル）（トリフルオロインデニル）ボラート］−／ペンタメチルシクロペンタジエチルトリベンジルチタニウム；（ビス（３−メチルペンチル）アンモニウム］＋−パーフルオロフルオレニル−［ビス（パーフルオロフェニル）（トリフルオロインデニル）ボラート］−／ペンタメチルシクロペンタジエニルトリベンジルチタニウム；［（エチル（トリメチルシリル））（ペンチル）アンモニウム］＋−テトラフルオロインデニル−［（２，３，４−トリフルオロフェニル（パーフルオロインデニル）（２，３−ジフルオロフェニル）ボラート］−／ペンタメチルシクロペンタジエニルトリベンジルチタニウム；［（ヘプチル）（パーフルオロ−ｔ−ブチル）アルソニウム］＋−パーフルオロフェニル−［（２，５−ジフルオロフェニル（パーフルオロビフェニル）（パーフルオロフルオレニル）ボラート］−／ペンタメチルシクロペンタジエニルトリベンジルチタニウム；［（イソヘキシル）（メチル（トリエチルシリル））アンモニウム］＋−トリフルオロインデニル−［（パーフルオロフルオレニル（テトラフルオロインデニル）（パーフルオロナフチル）ボラート］−／ペンタメチルシクロペンタジエニルトリベンジルチタニウム；（ビス（パーフルオロフェニル）アンモニウム］＋−パーフルオロビフェニル−［ビス（パーフルオロインデニル）（２，３，４−トリフルオロフェニル）ボラート］−／ペンタメチルシクロペンタジエニルトリベンジルチタニウム；［（ｔ−ブチル）（パーフルオロエチル）アンモニウム］＋−パーフルオロナフチル−［ビス（パーフルオロビフェニル）（２，４−ジフルオロフェニル）ボラート］−／ペンタメチルシクロペンタジエニルトリベンジルチタニウム；［（１，２−ジフルオロヘキシル）（１，６−ジフルオロヘキシル） ホスホニウム］＋−２，４−ジフルオロフェニル−［（パーフルオロピレニル（トリフルオロインデニル）（ペンタフルオロフルオレニル）アルミナート］−／ペンタメチルシクロペンタジエニルチタニウムトリメチル；［（エチル（トリエチルシリル））（パーフルオロブチル）アンモニウム］＋−パーフルオロナフチル−［（パーフルオロビフェニル（パーフルオロフェニル）（ペンタフルオロフルオレニル）アルミナート］−／ペンタメチルシクロペンタジエニルチタニウムトリメチル；［（メチル（トリメチルシリル））（イソヘキシル）ホスホニウム］＋−２，３−ジフルオロフェニル−［（パーフルオロビフェニル（２，３，５−トリフルオロフェニル）（パーフルオロナフチル）アルミナート］−／ペンタメチルシクロペンタジエニルチタニウムトリメチル；［（エチル（トリエチルシリル））（プロピル）アンモニウム］＋−パーフルオロインデニル−［（パーフルオロフェニル（パーフルオロインデニル）（パーフルオロナフチル）ボラート］−／ペンタメチルシクロペンタジエニルチタニウムトリメチル；（ビス（エチル（トリメチルシリル））ホスホニウム］＋−パーフルオロフルオレニル［（パーフルオロインデニル（パーフルオロナフチル）（２，４−ジフルオロフェニル）ボラート］−／ペンタメチルシクロペンタジエニルチタニウムトリメチル；［（ヘキシル）（メチル）アルソニウム］＋−パーフルオロフルオレニル−［（２，３，４−トリフルオロフェニル（ペンタフルオロナフチル）（パーフルオロフルオレニル）ボラート］−／ペンタメチルシクロペンタジエニルチタニウムトリメチル；［（イソヘキシル）（イソプロピル）アンモニウム］＋−パーフルオロインデニル−［（パーフルオロビフェニル（３，４−ジフルオロフェニル）（テトラフルオロナフチル）ボラート］−／ペンタメチルシクロペンタジエニルチタニウムトリメチル；［（メチル（トリエチルシリル））（ブチル）ホスホニウム］＋−トリフルオロインデニル−［トリス（パーフルオロフェニル）ボラート］−／ペンタメチルシクロペンタジエニルチタニウムトリメチル；［（メチル（トリエチルシリル））（パーフルオロエチル）アルソニウム］＋−パーフルオロインデニル−［（パーフルオロフルオレニル（３，４−ジフルオロフェニル）（パーフルオロナフチル）ボラート］−／ペンタメチルシクロペンタジエニルチタニウムトリメチル；［（オクチル）（パーフルオロ−ｔ−ブチル）アンモニウム］＋−ペンタフルオロフルオレニル−［ビス（２，３，５−トリフルオロフェニル）（パーフルオロインデニル）ボラート］−／ペンタメチルシクロペンタジエニルチタニウムトリメチル；
［（ペンチル）（１，２−ジフルオロヘキシル）アンモニウム］＋−パーフルオロナフチル−［（パーフルオロピレニル（トリフルオロインデニル）（パーフルオロフェニル）ボラート］−／ペンタメチルシクロペンタジエニルチタニウムトリメチル；［（パーフルオロヘプチル）（パーフルオロオクチル）アンモニウム］−パーフルオロインデニル−［ビス（パーフルオロビフェニル）（２，３，４−トリフルオロフェニル）ボラート］−／ペンタメチルシクロペンタジエチルチタニウムトリメチル；［（パーフルオロイソペンチル）（メチル（トリエチルシリル））ホスホニウム］＋−パーフルオロナフチル−［ビス（パーフルオロフェニル）（２，４−ジフルオロフェニル）ボラート］−／ペンタメチルシクロペンタジエニルチタニウムトリメチル；［（パーフルオロイソペンチル）イソペンチル）アンモニウム］＋−パーフルオロフルオレニル−［（ペンタフルオロナフチル（パーフルオロフルオレニル）（パーフルオロピレニル）ボラート］−／ペンタメチルシクロペンタジエニルチタニウムトリメチル；［（パーフルオロプロピル）（パーフルオロオクチル）アンモニウム］＋−２，３−ジフルオロフェニル−［（パーフルオロフェニル（パーフルオロビフェニル）（ペンタフルオロナフチル）ボラート］−／ペンタメチルシクロペンタジエニルチタニウムトリメチル；［（パーフルオロプロピル）（３−メチルペンチル）アンモニウム］＋−パーフルオロフルオレニル−［（パーフルオロフルオレニル（パーフルオロインデニル）（パーフルオロビフェニル）ボラート］−／ペンタメチルシクロペンタジエニルチタニウムトリメチル；［（２，３，４，５−テトラフルオロフェニル）（３−メチルペンチル）アンモニウム］＋−２，３，４−トリフルオロフェニル−［ビス（パーフルオロインデニル）（パーフルオロフェニル）ガリナート］−／ペンタメチルシクロペンタジエニルチタニウムトリメチル；［（イソヘキシル）（（メチル（トリエチルシリル）））アンモニウム］＋−パーフルオロフルオレニル［（パーフルオロフルオレニル（トリフルオロインデニル）（パーフルオロビフェニル）ガリナート］−／ペンタメチルシクロペンタジエニルチタニウムトリメチル；［（（メチル（トリエチルシリル）））（イソプロピル）アンモニウム］＋−パーフルオロフルオレニル［（パーフルオロナフチル（パーフルオロビフェニル）（パーフルオロフェニル）アルミナート］−／ シラシクロブチル［（テトラメチルシクロペンタジエニル）（ｎ−プロピルシクロペンタジエニル）ジルコニウムジメチル；［（（メチル（トリエチルシリル）））（オクチル）ホスホニウム］＋−トリフルオロインデニル−［（２，５−ジフルオロフェニル（２，３−ジフルオロフェニル）（パーフルオロフェニル）アルミナート］−／シラシクロブチル（テトラメチルシクロペンタジエニル）（ｎ−プロピルシクロペンタジエニル）ジルコニウムジメチル；［（エチル［（トリメチルシリル））（３−メチルペンチル）アンモニウム］＋−パーフルオロフルオレニル−［（２，５−ジフルオロフェニル（パーフルオロフルオレニル） （パーフルオロナフチル）アルミナート］−／シラシクロブチル（テトラメチルシクロペンタジエ���ル）（ｎ−プロピルシクロペンタジエニル）ジルコニウムジメチル；［（メチル）（パーフルオロオクチル）ホスホニウム］＋−トリフルオロインデニル−［（パーフルオロインデニル（３，４−ジフルオロフェニル）（パーフルオロナフチル）アルミナート］−／シラシクロブチル（テトラメチルシクロペンタジエニル）（ｎ−プロピルシクロペンタジエニル） ジルコニウムジメチル；［（パーフルオロメチル）（メチル（トリメチルシリル））アンモニウム］＋−パーフルオロフルオレニル−［（テトラフルオロナフチル（２，４−ジフルオロフェニル）（ペンタフルオロフルオレニル）アルミナート］−／シラシクロブチル（テトラメチルシクロペンタジエニル）（ｎ−プロピルシクロペンタジエニル）ジルコニウムジメチル；［（３−メチルペンチル）（１，２−ジフルオロヘキシル）ホスホニウム］＋−パーフルオロナフチル−［（パーフルオロインデニル（２，４−ジフルオロフェニル）（テトラフルオロインデニル）ボラート］−／シラシクロブチル（テトラメチルシクロペンタジエニル）（ｎ−プロピルシクロペンタジエニル）ジルコニウムジメチル；［（メチル）（パーフルオロイソプロピル）アンモニウム］＋−トリフルオロインデニル−［（パーフルオロビフェニル（３，４−ジフルオロフェニル）（パーフルオロインデニル）ボラート］−／シラシクロブチル（テトラメチルシクロペンタジエニル）（ｎ−プロピルシクロペンタジエニル）ジルコニウムジメチル；［（エチル（トリエチルシリル））（イソヘキシル）アンモニウム］＋−パーフルオロナフチル−［（テトラフルオロインデニル（パーフルオロビフェニル）（パーフルオロフェニル）ボラート］−／シラシクロブチル（テトラメチルシクロペンタジエニル）（ｎ−プロピルシクロペンタジエニル）ジルコニウムジメチル；［（メチル（トリメチルシリル））（イソヘキシル）アルソニウム］＋−テトラフルオロインデニル−［（パーフルオロナフチル（ペンタフルオロナフチル）（３，４−ジフルオロフェニル）ボラート］−／シラシクロブチル（テトラメチルシクロペンタジエル）（ｎ−プロピルシクロペンタジエニル）ジルコニウムジメチル；［（イソヘキシル）（メチル）アンモニウム］＋−パーフルオロビフェニル−［ビス（テトラフルオロインデニル）（２，５−ジフルオロフェニル）ボラート］−／シラシクロブチル（テトラメチルシクロペンタジエニル）（ｎ−プロピルペンタジエニル）ジルコニウムジメチル；［（パーフルオロイソペンチル）（イソヘキシル）アンモニウム］＋−パーフルオロビフェニル−［（パーフルオロビフェニル（パーフルオロフルオレニル）（２，５−ジフルオロフェニル）ボラート］−／シラシクロブチル（テトラメチルシクロペンタジエニル）（ｎ−プロピルシクロペンタジエニル）ジルコニウムジメチル；［（パーフルオロオクチル）（（メチル（トリエチルシリル）））ホスホニウム］＋−パーフルオロナフチル−［（テトラフルオロナフチル（２，３，５−トリフルオロフェニル）（２，３，４−トリフルオロフェニル）ボラート］−／シラシクロブチル（テトラメチルシクロペンタジエニル）（ｎ−プロピルシクロペンタジエニル）ジルコニウムジメチル；［（パーフルオロフェニル）（ヘプチル）アンモニウム］＋−パーフルオロビフェニル−［（パーフルオロフェニル（２，５−ジフルオロフェニル）（パーフルオロナフチル）ボラート］−／シラシクロブチル（テトラメチルシクロペンタジエニル）（ｎ−プロピルシクロペンタジエニル）ジルコニウムジメチル； ［（メチル（トリメチルシリル））（３−メチルペンチル）アンモニウム］＋−パーフルオロフルオレニル−［（パーフルオロビフェニル（パーフルオロフェニル）（２，４−ジフルオロフェニル）ガリナート］−／ シラシクロブチル（テトラメチルシクロペンタジエニル）（ｎ−プロピルシクロペンタジエニル）ジルコニウムジメチル；［（１，２−ジフルオロヘキシル）（パーフルオロフェニル）アンモニウム］＋−ペンタフルオロフルオレニル−［（パーフルオロインデニル（パーフルオロナフチル）（トリフルオロインデニル）アルミナート］−／テトラ（ビス（トリメチルシリルメチル））ジルコニウム；［（メチル（トリエチルシリル））（ブチル）アンモニウム］＋−パーフルオロフルオレニル−［（パーフルオロフェニル（パーフルオロナフチル）（２，３，５−トリフルオロフェニル）アルミナート］−／テトラ（ビス（トリメチルシリルメチル））ジルコニウム；［（ｔ−ブチル）（パーフルオロイソプロピル）ホスホニウム］＋−パーフルオロフルオレニル−［ビス（パーフルオロナフチル）（テトラフルオロナフチル）アルミナート］−／テトラ（ビス（トリメチルシリルメチル））ジルコニウム；
［（３−メチルペンチル）（パーフルオロメチル）アンモニウム］＋−パーフルオロビフェニル−［ビス（パーフルオロインデニル）（パーフルオロビフェニル）ボラート］−／テトラ（ビス（トリメチルシリルメチル））ジルコニウム；［（ヘキシル）（ｔ−ブチル）アンモニウム］＋−パーフルオロビフェニル−［（パーフルオロフェニル（パーフルオロナフチル）（パーフルオロビフェニル）ボラート］−／テトラ（ビス（トリメチルシリルメチル））ジルコニウム；［（メチル（トリメチルシリル））（ペンチル）アンモニウム］＋−パーフルオロビフェニル−［（パーフルオロフェニル（パーフルオロインデニル）（２，３，４−トリフルオロフェニル）ボラート］−／テトラ（ビス（トリメチルシリルメチル））ジルコニウム；［（パーフルオロヘキシル）（メチル（トリエチルシリル））アンモニウム］＋−トリフルオロインデニル−［（パーフルオロインデニル（テトラフルオロインデニル）（パーフルオロビフェニル）ボラート］−／テトラ（ビス（トリメチルシリルメチル））ジルコニウム；（ビス（パーフルオロメチル）アンモニウム］＋−テトラフルオロナフチル−（ビス（テトラフルオロナフチル）（パーフルオロフルオレニル）ボラート］−／テトラ（ビス（トリメチルシリルメチル））ジルコニウム；［（パーフルオロ−ｔ−ブチル）（２，３，４，５−テトラフルオロフェニル）アンモニウム］＋−パーフルオロナフチル−［ビス（パーフルオロビフェニル）（３，４−ジフルオロフェニル）ボラート］−／テトラ（ビス（トリメチルシリルメチル））ジルコニウム；［（フェニル）（パーフルオロフェニル）アンモニウム］＋−パーフルオロフェニル−［（トリフルオロインデニル（２，３，４−トリフルオロフェニル）（パーフルオロナフチル）ボラート］−／テトラ（ビス（トリメチルシリルメチル））ジルコニウム；［（パーフルオロペンチル）（エチル（トリエチルシリル））アンモニウム］＋−パーフルオロフェニル−［ビス（パーフルオロフルオレニル）（テトラフルオロナフチル）ガリナート］−／テトラ（ビス（トリメチルシリルメチル））ジルコニウム；［（１，２−ジフルオロヘキシル）（パーフルオロイソペンチル）アルソニウム］＋−パーフルオロフェニル−［（パーフルオロビフェニル（パーフルオロナフチル）（３，４−ジフルオロフェニル）アルミナート］−／テトラベンジルハフニウム；［（イソペンチル）（２，３，４，５−テトラフルオロフェニル）ホスホニウム］＋−２，３，５−トリフルオロフェニル−［（パーフルオロインデニル（テトラフルオロインデニル）（２，３−ジフルオロフェニル）アルミナート］−／テトラベンジルハフニウム；［（パーフルオロエチル）（エチル（トリメチルシリル））ホスホニウム］＋−パーフルオロインデニル−［（パーフルオロフルオレニル（パーフルオロビフェニル）（パーフルオロフェニル）アルミナート］−／テトラベンジルハフニウム；［（パーフルオロメチル）（イソヘキシル）アンモニウム］＋−パーフルオロビフェニル−［（パーフルオロフルオレニル（パーフルオロビフェニル）（パーフルオロインデニル）アルミナート］−／テトラベンジルハフニウム；［（２，３，６，７−テトラフルオロオクチル）（メチル（トリメチルシリル））アンモニウム］＋−パーフルオロフルオレニル−［（トリフルオロインデニル（パーフルオロビフェニル）（パーフルオロインデニル）ボラート］−／テトラベンジルハフニウム；［（３−メチルペンチル）（２，３，４，５−テトラフルオロフェニル）アンモニウム］＋−パーフルオロナフチル−［（２，３−ジフルオロフェニル（パーフルオロビフェニル）（パーフルオロフルオレニル）ボラート］−／テトラベンジルハフニウム；［（ブチル）（２，３，６，７−テトラフルオロオクチル）アルソニウム］−トリフルオロインデニル−［（２，３−ジフルオロフェニル（パーフルオロフェニル）（２，３，４−トリフルオロフェニル）ボラート］−／テトラベンジルハフニウム；［（メチル（トリメチルシリル））（２，３，４，５−テトラフルオロフェニル）アンモニウム］＋−パーフルオロビフェニル−［（パーフルオロフェニル（パーフルオロインデニル）（パーフルオロナフチル）ボラート］−／テトラベンジルハフニウム；［（パーフルオロブチル）（３−メチルペンチル）アンモニウム］＋−パーフルオロピレニル−［（２，４−ジフルオロフェニル（２，３−ジフルオロフェニル）（パーフルオロフルオレニル）ボラート］−／テトラベンジルハフニウム；［（パーフルオロエチル）（１，６−ジフルオロヘキシル）ホスホニウム］＋−パーフルオロビフェニル−［（パーフルオロピレニル（２，３，５−トリフルオロフェニル）（パーフルオロインデニル）ボラート］−／テトラベンジルハフニウム；［（パーフルオロイソプロピル）（パーフルオロヘプチル）アンモニウム］＋−ペンタフルオロナフチル−［（トリフルオロインデニル（ペンタフルオロナフチル）（パーフルオロナフチル）ボラート］−／テトラベンジルハフニウム＋；［（パーフルオロイソプロピル）（イソヘキシル）アンモニウム］＋−パーフルオロインデニル−［（２，３，５−トリフルオロフェニル（２，３，４−トリフルオロフェニル）（パーフルオロビフェニル）ボラート］−／テトラベンジルハフニウム；［（オクチル）（２，３，４，５−テトラフルオロフェニル）ホスホニウム］＋−２，３，５−トリフルオロフェニル−［ビス（パーフルオロビフェニル）（パーフルオロフェニル）ガリナート］−／テトラベンジルハフニウム；［（ペンチル）（パーフルオロヘプチル）アンモニウム］＋−パーフルオロフェニル−［（パーフルオロナフチル（ペンタフルオロフルオレニル）（３，４−ジフルオロフェニル）ガリナート］−／テトラベンジルハフニウム；［（パーフルオロヘキシル）（ヘプチル）アルソニウム］＋−パーフルオロピレニル−［（パーフルオロインデニル（パーフルオロピレニル）（ペンタフルオロフルオレニル）ガリナート］−／テトラベンジルハフニウム；［（エチル［（トリメチルシリル））（ヘプチル）アンモニウム］＋−パーフルオロインデニル−［（パーフルオロビフェニル（パーフルオロフェニル（ペンタフルオロナフチル）アルミナート］−／テトラベンジルチタニウム；［（イソペンチル）（フェニル）ホスホニウム］＋−ペンタフルオロフルオレニル−［（パーフルオロビフェニル（パーフルオロナフチル）（パーフルオロフルオレニル）アルミナート］−／テトラベンジルチタニウム；［（ヘキシル）（パーフルオロヘプチル）ホスホニウム］＋−パーフルオロナフチル−［（パーフルオロナフチル（パーフルオロフェニル）（２，３，５−トリフルオロフェニル）ボラート］−／テトラベンジルチタニウム；［（イソヘキシル）（プロピル）アルソニウム］＋−２，３，４−トリフルオロフェニル−［（パーフルオロフェニル（２，３，４−トリフルオロフェニル）（ペンタフルオロフルオレニル）ボラート］−／テトラベンジルチタニウム；［（パーフルオロエチル）（エチル（トリエチルシリル））アンモニウム］＋−２，４−ジフルオロフェニル−［（パーフルオロフェニル（３，４−ジフルオロフェニル）（ペンタフルオロフルオレニル）ボラート］−／テトラベンジルチタニウム；［（パーフルオロヘキシル）（パーフルオロプロピル）アンモニウム］＋−パーフルオロフェニル−［（パーフルオロインデニル（パーフルオロビフェニル）（パーフルオロフルオレニル）ボラート］−／テトラベンジルチタニウム；
［（パーフルオロプロピル）（イソプロピル）アンモニウム］＋−パーフルオロナフチル−［ビス（ペンタフルオロフルオレニル）（パーフルオロインデニル）ボラート］−／テトラベンジルチタニウム；［（パーフルオロ−ｔ−ブチル（イソヘキシル）アンモニウム］＋−パーフルオロビフェニル−［（パーフルオロフェニル（パーフルオロインデニル）（ペンタフルオロナフチル）ボラート］−／テトラベンジルチタニウム；［（パーフルオロ−ｔ−ブチル）（メチル）アンモニウム］＋−パーフルオロフルオレニル−［（パーフルオロビフェニル（テトラフルオロナフチル）（パーフルオロナフチル）ボラート］−／テトラベンジルチタニウム；［（１，６−ジフルオロヘキシル）（２，３，４，５−テトラフルオロフェニル）ホスホニウム］＋−パーフルオロフェニル−［（ペンタフルオロフルオレニル（パーフルオロフルオレニル）（３，４−ジフルオロフェニル）アルミナート］−／テトラベンジルジルコニウム；［（ヘプチル）（２，３，４，５−テトラフルオロフェニル）アンモニウム］＋−パーフルオロフルオレニル；［ビス（パーフルオロビフェニル）（パーフルオロインデニル）アルミナート］−／テトラベンジルジルコニウム； （ビス（メチル）アンモニウム］＋−２，３，５−トリフルオロフェニル−［ビス（パーフルオロピレニル）（パーフルオロフェニル）アルミナート］−／テトラベンジルジルコニウム；［（パーフルオロブチル）（プロピル）アンモニウム］＋−パーフルオロフルオレニル−［（パーフルオロインデニル（テトラフルオロインデニル）（２，３，４−トリフルオロフェニル）アルミナート］−／テトラベンジルジルコニウム；［（パーフルオロメチル）（（メチル（トリエチルシリル）））アンモニウム］＋−２，４−ジフルオロフェニル−［（２，４−ジフルオロフェニル（パーフルオロインデニル）（パーフルオロナフチル）アルミナート］−／テトラベンジルジルコニウム；［（（メチル（トリエチルシリル）））（イソヘキシル）ホスホニウム］＋−２，３−ジフルオロフェニル−［（パーフルオロナフチル（テトラフルオロインデニル）（パーフルオロフェニル）ボラート］−／テトラベンジルジルコニウム；［（エチル）（パーフルオロヘキシル）アンモニウム］＋−パーフルオロインデニル−［（２，５−ジフルオロフェニル（パーフルオロフルオレニル）（パーフルオロインデニル）ボラート］−／テトラベンジルジルコニウム；［（エチル［（トリエチルシリル））（（メチル（トリエチルシリル）））ホスホニウム］＋−パーフルオロフルオレニル−［（トリフルオロインデニル（ペンタフルオロナフチル）（２，５−ジフルオロフェニル）ボラート］−／テトラベンジルジルコニウム；［（メチル（トリメチルシリル）（１，６−ジフルオロヘキシル）アンモニウム］＋−パーフルオロフェニル−［（ペンタフルオロフルオレニル（パーフルオロビフェニル）（パーフルオロフルオレニル）ボラート］−／テトラベンジルジルコニウム；［（パーフルオロブチル）（２，３，４，５−テトラフルオロフェニル）アンモニウム］＋−ペンタフルオロフルオレニル−［（パーフルオロフェニル（テトラフルオロナフチル）（２，３，５−トリフルオロフェニ��）ボラート］−／テトラベンジルジルコニウム；［（パーフルオロメチル）（イソヘキシル）アンモニウム］＋−ペンタフルオロフルオレニル−［（パーフルオロフェニル（３，４−ジフルオロエチル）（パーフルオロビフェニル）ボラート］−／テトラベンジルジルコニウム；［（メチル（トリメチルシリル））（ｔ−ブチル）アンモニウム］＋パーフルオロフルオレニル−［（３，４−ジフルオロフェニル（パーフルオロピレニル）（パーフルオロインデニル）ガリナート］−／テトラベンジルジルコニウム；［（ペンチル）（メチル（トリエチルシリル））アンモニウム］＋−パーフルオロビフェニル−［（ペンタフルオロフルオレニル（パーフルオロフルオレニル）（３，４−ジフルオロフェニル）ガリナート］−／テトラベンジルジルコニウム；［（ブチル）（パーフルオロ−ｔ−ブチル）アンモニウム］＋−パーフルオロナフチル−［（２，３−ジフルオロフェニル（２，４−ジフルオロフェニル）（パーフルオロフルオレニル）アルミナート］−／トリス（トリメチルシリルメチル）ニオブジクロリド；［（エチル（トリエチルシリル））（３−メチルペンチル）アンモニウム］＋−パーフルオロナフチル−［トリス（パーフルオロビフェニル）アルミナート］−／トリス（トリメチルシリルメチル）ニオブジクロリド；（ビス（エチル（トリエチルシリル））アンモニウム］＋−パーフルオロフルオレニル−［（パーフルオロビフェニル（パーフルオロフェニル）（２，３，５−トリフルオロフェニル）アルミナート］−／トリス（トリメチルシリルメチル）ニオブジクロリド；［（３−メチルペンチル）（プロピル）アンモニウム］＋−２，５−ジフルオロフェニル−［（パーフルオロインデニル（２，３，５−トリフルオロフェニル）（パーフルオロビフェニル）ボラート］−／トリス（トリメチルシリルメチル） ニオブジクロリド；［（エチル（トリエチルシリル））（ヘキシル）アンモニウム］＋−パーフルオロビフェニル−［（パーフルオロナフチル（テトラフルオロインデニル（２，５−ジフルオロフェニル）ボラート］−／トリス（トリメチルシリルメチル）ニオブジクロリド；［（エチル（トリエチルシリル））（パーフルオロオクチル）アンモニウム］＋−パーフルオロフェニル］−［ビス（パーフルオロインデニル）（パーフルオロフルオレニル）ボラート］−／トリス（トリメチルシリルメチル）ニオブジクロリド；［（エチル（トリエチルシリル））（メチル（トリメチルシリル））アンモニウム］＋−パーフルオロナフチル−［（パーフルオロフルオレニル（パーフルオロインデニル）（パーフルオロビフェニル）ボラート］−／トリス（トリメチルシリルメチル）ニオブジクロリド；［（イソヘキシル）（パーフルオロイソプロピル）アンモニウム］＋−パーフルオロビフェニル−［（パーフルオロインデニル（２，３，４−トリフルオロフェニル）（パーフルオロナフチル）ボラート］−／トリス（トリメチルシリルメチル）ニオブジクロリド；［（パーフルオロブチル）（２，３，４，５−テトラフルオロフェニル）アンモニウム］＋−パーフルオロインデニル−［（パーフルオロフェニル（２，５−ジフルオロフェニル）（パーフルオロビフェニル）ボラート］−／トリス（ト���メチルシリルメチル）ニオブジクロリド；［（パーフルオロエチル）（パーフルオロフェニル）ホスホニウム］＋−パーフルオロナフチル−［ビス（パーフルオロフルオレニル）（パーフルオロビフェニル）ボラート］−／トリス（トリメチルシリルメチル）ニオブジクロリド；［（パーフルオロヘプチル）（エチル（トリメチルシリル））アルソニウム］＋−パーフルオロインデニル−［ビス（パーフルオロフェニル）（パーフルオロナフチル）ボラート］−／トリス（トリメチルシリルメチル）ニオブジクロリド；［（パーフルオロメチル）（オクチル）アンモニウム］＋−ペンタフルオロナフチル−［（パーフルオロフェニル（ペンタフルオロナフチル）（パーフルオロフルオレニル）ボラート］−／トリス（トリメチルシリルメチル）ニオブジクロリド；［（フェニル）（ｔ−ブチル）アンモニウム］＋−パーフルオロビフェニル−［ビス（パーフルオロフェニル）（パーフルオロフルオレニル）ボラート］−／トリス（トリメチルシリルメチル）ニオブジクロリド；
［（メチル（トリエチルシリル））（イソヘキシル）アンモニウム］＋−テトラフルオロナフチル−［（パーフルオロビフェニル（ペンタフルオロナフチル）（パーフルオロナフチル）ガリナート］−／トリス（トリメチルシリルメチル）ニオブジクロリド；［（３−メチルペンチル）（パーフルオロヘキシル）アンモニウム］＋−パーフルオロインデニル−（パーフルオロフェニル（２，３，５−トリフルオロフェニル）（パーフルオロナフチル）アルミナート］−／トリス（トリメチルシリルメチル）タンタルジクロリド；［（パーフルオロイソプロピル）（パーフルオロオクチル）ホスホニウム］＋−２，３，４−トリフルオロフェニル−［ビス（パーフルオロビフェニル）（３，４−ジフルオロフェニル）アルミナート］−／トリス（トリメチルシリルメチル）タンタルジクロリド；［（１，６−ジフルオロヘキシル）（パーフルオロヘプチル）アンモニウム］＋−パーフルオロフルオレニル−［（パーフルオロフルオレニル（２，３，４ トリフルオロフェニル）（テトラフルオロナフチル）ボラート］−／トリス（トリメチルシリルメチル）タンタルジクロリド；［（エチル（トリエチルシリル））（（メチル［（トリエチルシリル）））アンモニウム ］＋−トリフルオロインデニル−［（パーフルオロフルオレニル（２，４−ジフルオロフェニル）（テトラフルオロインデニル）ボラート］−／トリス（トリメチルシリルメチル）タンタルジクロリド；［（ヘキシル）（メチル（トリメチルシリル））アンモニウム］＋−パーフルオロフルオレニル−［（ペンタフルオロナフチル（パーフルオロビフェニル）（３，４−ジフルオロフェニル）ボラート］−／トリス（トリメチルシリルメチル）タンタルジクロリド；［（イソヘキシル）（エチル（トリメチルシリル））ホスホニウム］＋−パーフルオロナフチル−［ビス（パーフルオロナフチル）（テトラフルオロナフチル）ボラート］−／トリス（トリメチルシリルメチル）タンタルジクロリド］；［（イソヘキシル）（エチル（トリメチルシリル））アンモニウム］＋−パーフルオロビフェニル−［（２，３，４−トリフルオロフェニル（パーフルオロフルオレニル（テトラフルオロインデニル）ボラート］−／トリス（トリメチルシリルメチル）タンタルジクロリド；［（パーフルオロメチル）（メチル（トリメチルシリル））アンモニウム］＋−パーフルオロインデニル−［（テトラフルオロインデニル（テトラフルオロナフチル）（パーフルオロフルオレニル）ボラート］−／トリス（トリメチルシリルメチル）タンタルジクロリド；［（パーフルオロ−ｔ−ブチル）（パーフルオロイソペンチル）アルソニウム］＋−テトラフルオロナフチル−［（テトラフルオロインデニル（２，５−ジフルオロフェニル）（２，３，４−トリフルオロフェニル）ボラート］−／トリス（トリメチルシリルメチル）タンタルジクロリド。
【００６６】
実施例
以下の実施例は前述の議論を説明するために示すものである。全ての割合、比率及びパーセンテージは別に示さない限り、重量による。必要な場合には、実施例は乾燥、無酸素状態および溶媒中で実施した。実施例は本発明の特定の実施形態を示しているが、これらはいずれの具体的な事項においても本発明を限定するものではない。特定の略称を記載の容易のために使用した。これらは元素を表す標準の化学的略記及び一般に受け入れられている特定の略称、例えば：Ｍｅ＝メチル、Ｅｔ＝エチル、ｎ−Ｐｒ＝ノルマルプロピル、ｔ−Ｂｕ＝第３級ブチル、Ｐｈ＝フェニル、ｐｆｐ＝ペンタフルオロフェニル、Ｃｐ＝シクロペンタジエニル、Ｉｎｄ＝インデニル、Ｆｌｕ＝フルオレニル、ＴＭＳ＝トリメチルシリル、ＴＥＳ＝トリエチルシリル及びＴＨＦ（またはｔｈｆ）＝テトラヒドロフランが挙げられる。
【００６７】
特に記さない限り、全ての分子量は重量平均分子量である。分子量（重量平均分子量（Ｍｗ））及び数平均分子量（Ｍｎ）は、示差屈折率（ＤＲＩ）検出器及び低角度光散乱（ＬＳ）検出器を備えたウォーターズ１５０ゲル浸透クロマトグラフィーを用いてゲル浸透クロマトグラフィー（ＧＰＣ）によって測定した。ＧＰＣ機器はポリスチレン標準試料を用いて較正した。試料は、３つのポリマー・ラボラトリー社（Ｐｏｌｙｍｅｒ　Ｌａｂｏｒａｔｏｒｉｅｓ）のＰＣゲル混合Ｂカラムを直列に用いて、１，２，４−トリクロロベンゼン（１３５℃）に流した。この一般的技術は“Ｌｉｑｕｉｄ　Ｃｈｒｏｍａｔｏｇｒａｐｈｙ　ｏｆ　Ｐｏｌｙｍｅｒｓ　ａｎｄ　Ｒｅｌａｔｅｄ　Ｍａｔｅｒｉａｌｓ　ＩＩＩ”Ｊ．Ｃａｚｅｓ　Ｅｄ．，Ｍａｒｃｅｌ　Ｄｅｃｋｅｒ，１９８１，２０７頁で議論されている。カラムの拡散に対する補正は行わなかった。しかし、一般に認められている標準データ、例えば米国立標準技術研究所のポリエチレン１４７５により、溶出時間から算出したＭｗ／Ｍｎは０．２単位の精度であることが証明された。
【００６８】
ＢｒＣ６Ｆ４−Ｎ（ＣＨ２ＣＨ２）２の合成：ピロリジン２ｇをペンタフルオロブロモベンゼン（９ｇ）のＤＭＳＯ溶液に加えた。反応混合物を１時間攪拌及び温めて５５℃にした。反応容器の中身の反応物は水、氷及び５％ＮａＨＳＯ４の混合物に加えた。２００ミリリットルのジエチルエーテルを前記混合物に加えた。層に分離した。次に、水層をもう一度１００ミリリットルのジエチルエーテルと共に抽出した。全ての有機質層はＭｇＳＯ４と一緒に混合及び乾燥した。ＭｇＳＯ４をろ過し、溶媒を除去した。この手順により、白色の結晶状物質が残った。ジエチルエーテル再結晶により純粋物質を生じた：収率＝５．２５ｇ、６３％。１９Ｆ　ＮＭＲ（ＣＤＣｌ３、２５℃）δ　−１３６．９（ｍ、２Ｆ）、−１５３．６（ｍ、２Ｆ）。１Ｈ　ＮＭＲ（トルエン−ｄ８、２５℃）δ３．１２（ｍ、４Ｈ）、１．３３（ｍ、４Ｈ）。
【００６９】
［Ｌｉ（Ｅｔ２Ｏ）２］［（Ｃ６Ｆ５）３ＢＣ６Ｆ４−Ｎ（ＣＨ２ＣＨ２）２］の合成：ＢｕＬｉ（２．０ミリリットル、２Ｍ）の均等物を冷却した（−７８℃）ＢｒＣ６Ｆ４Ｎ（ＣＨ２ＣＨ２）２（０．９５４ｇ）のジエチルエーテル溶液に加えた。３０分間攪拌して反応させた。５０：５０のトルエン：ジエチルエーテルの（Ｃ６Ｆ５）３Ｂ（１．６３８ｇ）溶液を加えた。反応は室温に達するまで行った。ペンタンと粉砕することで黄色がかった白色の固体を生じた。１９Ｆ　ＮＭＲは少量の不純物を示した。この不純物は（Ｃ６Ｆ５）３Ｂ残余であると思われる。これらの固体は、さらに精製はせずに使用した。該不純物は後述の工程で除去した（次の実施例を参照）：収率＝７１％。１Ｈ　ＮＭＲ（ＣＤＣｌ３、２５℃）δ　３．７０（ｑ、８Ｈ）、３．５８（ｂｓ、４Ｈ）、２．０３（ｂｓ、４Ｈ）、１．２６（ｔ、１２Ｈ）。１９Ｆ　ＮＭＲ（ＣＤＣｌ３、２５℃）δ　−１３２．８（ｍ、２Ｆ）、−１３３．８（ｍ、２Ｆ）、−１３４．６（ｍ、４Ｆ）、−１５８．４（ｍ、２Ｆ）、−１６７．６（ｔ、３Ｆ）、−１６６．５（ｍ、２Ｆ）、−１６７．０（ｍ、４Ｆ）。
【００７０】
（Ｃ６Ｆ５）３ＢＣ６Ｆ４−Ｎ（ＣＨ２ＣＨ２）２（Ｈ）の合成−方法Ａ：無水ＨＣｌガスを［Ｌｉ（Ｅｔ２Ｏ）２］［（Ｃ６Ｆ５）３ＢＣ６Ｆ４−Ｎ（ＣＨ２ＣＨ２）２］の塩化メチレン溶液に加えた。ＨＣｌは濃硫酸を塩化ナトリウムに加え、カニューレを通してガスを移動させることにより、自然条件下（ｉｎ　ｓｉｔｕ）で調整した。溶液はＨＣｌを加えている間に黄色に変化した。ＬｉＣｌ沈殿物をろ過し、溶媒を除去した。該生成物を塩化メチレン／ペンタン混合物中で懸濁し、次にこの懸濁液をろ過した。生成物は白色粉体であった：収率＝３３％。１９Ｆ　ＮＭＲ（ＣＤＣｌ３、２５℃）δ　−１２．９（ｍ、２Ｆ）、−１２８．９（ｍ、４Ｆ）、−１２９．５（ｍ、２Ｆ）、−１４７．５（ｍ、２Ｆ）、−１５５．８（ｔ、３Ｆ）、−１６２．９（ｍ、４Ｆ）、−１６３．５（ｍ、２Ｆ）。
【００７１】
方法Ｂ：過剰の濃ＨＣｌ水溶液を［Ｌｉ（Ｅｔ２Ｏ）２］［（Ｃ６Ｆ５）３ＢＣ６Ｆ４−Ｎ（ＣＨ２ＣＨ２）２］の水溶液に加えた。沈殿物が即座に形成された。この沈殿物を収集し、ヘキサンを用いて完全に洗浄、高真空下（１０−４ｔｏｒｒ、８０℃、１６時間）で乾燥した。該生成物を非常に冷たい塩化メチレンを用いて洗浄し、白色の結晶性物質を得た：収率４６％。
【００７２】
ＬｉＣ６Ｈ４−Ｎ（ＣＨ３）２の合成：ＢｕＬｉを１：１のペンタン：ジエチルエーテルの４−ブロモ−Ｎ，Ｎ−ジメチルアニリン溶液に加えた。一晩中攪拌して（１６時間）反応させた。白色沈殿物を形成した。この沈殿物をろ過し、冷ペンタンで洗浄した。残ったペンタンを真空下で除去した。１Ｈ　ＮＭＲにより該固体の特性を決定した。８．８（ｄ、２Ｈ）、６．８２（ｄ、２Ｈ）、２．７５（ｓ、６Ｈ）：収率＝６１％。
【００７３】
［Ｌｉ（Ｅｔ２Ｏ）２］［（Ｃ６Ｆ５）３ＢＣ６Ｈ４−Ｎ（ＣＨ３）２］の合成：（Ｃ６Ｆ５）３Ｂのペンタン溶液をＬｉＣ６Ｈ４−Ｎ（ＣＨ３）２のペンタン懸濁液に加えた。白色沈殿物が生成して現れた。２日と半日間にわたって攪拌して反応させた。生成物をろ過し、ペンタンで洗浄した。Ｈ、Ｂ及びＦ　ＮＭＲにより該生成物の特性を決定した。
【００７４】
（Ｃ６Ｆ５）３ＢＣ６Ｈ４−Ｎ（ＣＨ３）２（Ｈ）の合成：方法Ａ（上記を参照）を用いてこの両性イオンを生成した。
【００７５】
重合反応：エチレン及びプロピレンの共重合を２リットル、１００℃で操作する連続容器中で行った。ビス（トリエチルシリル−４−フェニル−１）メチレン（２，７−（ジ−ｔ−ブチル）フルオレニル）−（シクロペンタジエニル）ハフニウムジメチルは触媒であった。すべての場合において、活性溶媒はトルエンだが、重合溶媒はヘキサンとした。活性助触媒として［Ｂ（Ｃ６Ｆ５）４］［Ｃ６Ｈ５ＮＭｅ２Ｈ］を用いた基準試験を反応器の再現性を試験するために各実験に対して前もって実施した。基準試験の結果は示していない。各実験において、２つの収集物が得られた。分類は以下の通りである：
【００７６】
【表１】
2004513193.tif 000010
【００７７】
トリオクチルアルミニウムは全ての試験（２５％ｗｔ）においてスカベンジャーとして使用した。これらの２つの反応におけるスカベンジャー−触媒のモル比は１０より少ない。ポリマーはイソプロピルアルコールと共に沈殿し、真空オーブンで７５℃で乾燥させた。試料中のエチレンの比率はＦＴＩＲ（ＮＭＲに対して較正されたもの）によって決定し、一方、分子量はＧＰＣによって測定した。
【００７８】
【表２】
2004513193.tif 000011
【００７９】
特定の代表的な実施形態や詳細が本発明を表すために示されているが、付加クレームが定義する本発明の範囲を逸脱することなく、本明細書中の開示から変化させた様々な工程および生成物を作ることができるということは当業者に明らかであろう。
【００８０】
すべての引用特許、試験手順、優先権書類及びその他の引用文献は、該実体が本明細書に一致する範囲で、組込みが認められる全ての法域において、完全に引例として組込まれる。
【００８１】
本発明のひとつの特徴は一連の数値の上限値及び一連の数値の下限値の形で記載されている。本明細書はこれらの限定の組合わせによって形成される全ての範囲を開示する。これらの制限の全ての組合わせは、特に示さない限り本発明の範囲内である。
【国際公開パンフレット】
2004513193.tif 000012
2004513193.tif 000013
2004513193.tif 000014
2004513193.tif 000015
2004513193.tif 000016
2004513193.tif 000017
2004513193.tif 000018
2004513193.tif 000019
2004513193.tif 000020
2004513193.tif 000021
2004513193.tif 000022
2004513193.tif 000023
2004513193.tif 000024
2004513193.tif 000025
2004513193.tif 000026
2004513193.tif 000027
2004513193.tif 000028
2004513193.tif 000029
2004513193.tif 000030
2004513193.tif 000031
2004513193.tif 000032
2004513193.tif 000033
2004513193.tif 000034
2004513193.tif 000035
2004513193.tif 000036
2004513193.tif 000037
2004513193.tif 000038
2004513193.tif 000039
2004513193.tif 000040
2004513193.tif 000041
2004513193.tif 000042
2004513193.tif 000043
2004513193.tif 000044
2004513193.tif 000045
2004513193.tif 000046
2004513193.tif 000047
2004513193.tif 000048
2004513193.tif 000049
2004513193.tif 000050
2004513193.tif 000051
2004513193.tif 000052
2004513193.tif 000053
2004513193.tif 000054
2004513193.tif 000055
2004513193.tif 000056
2004513193.tif 000057
2004513193.tif 000058
2004513193.tif 000059
2004513193.tif 000060
2004513193.tif 000061
2004513193.tif 000062
2004513193.tif 000063
2004513193.tif 000064
2004513193.tif 000065
2004513193.tif 000066
2004513193.tif 000067
2004513193.tif 000068
2004513193.tif 000069
2004513193.tif 000070
2004513193.tif 000071
2004513193.tif 000072
2004513193.tif 000073
2004513193.tif 000074
2004513193.tif 000075
2004513193.tif 000076
2004513193.tif 000077
2004513193.tif 000078
2004513193.tif 000079
2004513193.tif 000080
2004513193.tif 000081
2004513193.tif 000082
2004513193.tif 000083
2004513193.tif 000084
2004513193.tif 000085
2004513193.tif 000086
【国際公開パンフレット（コレクトバージョン）】
2004513193.tif 000087
【国際調査報告】
2004513193.tif 000088
2004513193.tif 000089
2004513193.tif 000090